(57)【要約】  本願は、CSI測定方法および装置に関する。本方法は、第1の周波数領域指示情報を含み、かつ第2のネットワークデバイスによって送信されるCSI構成情報を、第1のネットワークデバイスにより取得するステップであって、CSI構成情報は、第1のネットワークデバイスにCSI測定を実行するように指示するために使用され、第1の周波数領域指示情報は、第1のネットワークデバイスがCSI測定を実行する周波数領域位置を指示するために使用される、ステップと、CSIを取得するために、CSI構成情報に基づいて第1のネットワークデバイスによって、第1の周波数領域指示情報によって示される周波数領域位置における基準信号を測定するステップと、を含む。第1のネットワークデバイスがCSIを第2のネットワークデバイスに送信して、チャネル帯域幅内の特定の周波数領域位置における基準信号を測定することができる。
2019530370.tif 000002
【特許請求の範囲】
【請求項１】
第1の周波数領域指示情報を含み、かつ第2のネットワークデバイスによって送信されるCSI構成情報を、第1のネットワークデバイスにより取得するステップであって、前記CSI構成情報は、前記第1のネットワークデバイスにCSI測定を実行するように指示するために使用され、前記第1の周波数領域指示情報は、前記第1のネットワークデバイスがCSI測定を実行する周波数領域位置を示すために使用される、ステップと、
CSIを取得するために、前記CSI構成情報に基づいて前記第1のネットワークデバイスによって、前記第1の周波数領域指示情報によって示される前記周波数領域位置における基準信号を測定するステップと、
を含む、チャネル状態情報CSI測定方法。
【請求項２】
前記第1の周波数領域指示情報はチャネル分割情報を含み、前記チャネル分割情報はチャネル帯域幅を複数のリソースブロックに分割する方式を示すために使用される、請求項1に記載の方法。
【請求項３】
前記第1のネットワークデバイスにより、予め設定された分割方式でチャネル帯域幅を複数のリソースブロックに分割するステップ
をさらに含む、請求項1に記載の方法。
【請求項４】
前記第1の周波数領域指示情報は、前記チャネル帯域幅の前記複数のリソースブロックの各々に対応する周波数領域測定識別子を含み、
前記第1の周波数領域指示情報によって示される前記周波数領域位置で基準信号を測定する前記ステップは、
前記第1のネットワークデバイスによって、前記チャネル帯域幅の前記複数のリソースブロックのそれぞれに対応する前記周波数領域測定識別子を取得するステップであって、前記周波数領域測定識別子は、第1の測定識別子と第2の測定識別子とを含む、ステップと、
前記第1のネットワークデバイスによって、前記チャネル帯域幅内の周波数領域測定識別子が前記第1の測定識別子であるリソースブロック上の基準信号を測定するステップと、
を含む、請求項1から3のいずれか一項に記載の方法。
【請求項５】
前記第1の周波数領域指示情報は、測定対象リソースブロックの情報識別子を含み、
前記第1の周波数領域指示情報によって示される前記周波数領域位置で基準信号を測定する前記ステップは、
前記第1のネットワークデバイスによって、前記測定対象リソースブロックの前記情報識別子を取得するステップであって、前記情報識別子は、測定リソースの周波数領域位置を示すために使用される、ステップと、
前記第1のネットワークデバイスによって、前記周波数領域位置に対応するリソースブロック上の基準信号を測定するステップと、
を含む、請求項1に記載の方法。
【請求項６】
第1の周波数領域指示情報を含み、かつ第2のネットワークデバイスによって送信されるCSI構成情報を、第1のネットワークデバイスにより取得する前記ステップは、
無線リソース制御RRCまたは物理層シグナリングを使用することによって前記第1のネットワークデバイスにより、前記第1の周波数領域指示情報を含み、かつ前記第2のネットワークデバイスによって送信される前記CSI構成情報を取得するステップ
を含む、請求項1から5のいずれか一項に記載の方法。
【請求項７】
前記第1のネットワークデバイスにより、前記取得されたCSIを前記第2のネットワークデバイスに送信するステップ
をさらに含み、
前記取得されたCSIは、
前記第1のネットワークデバイスにより、前記複数のリソースブロック内のターゲットリソースブロックに対応するCSIを取得すること、または、
前記第1のネットワークデバイスによって、前記複数のリソースブロック内のターゲットリソースブロックに対応するCSIを取得し、前記ターゲットリソースブロックに対応する前記CSIを予め設定された方式で処理し、処理結果を前記CSIとして使用すること
を含む、請求項2から4のいずれか一項に記載の方法。
【請求項８】
第2のネットワークデバイスにより第1のネットワークデバイスに、第1の周波数領域指示情報を含むCSI構成情報を送信するステップであって、前記CSI構成情報は、前記第1のネットワークデバイスにCSI測定を実行するように指示するために使用され、前記第1の周波数領域指示情報は、前記第1のネットワークデバイスがCSI測定を実行する周波数領域位置を示すために使用され、その結果、前記第1のネットワークデバイスが、前記CSI構成情報に基づいて、前記第1の周波数領域指示情報によって示される前記周波数領域位置における基準信号を測定する、ステップ
を含む、チャネル状態情報CSI測定方法。
【請求項９】
前記第1の周波数領域指示情報は、チャネル分割情報を含み、前記チャネル分割情報は、チャネル帯域幅を複数のリソースブロックに分割する方式を示すために使用される、請求項8に記載の方法。
【請求項１０】
前記第2のネットワークデバイスにより、予め設定された分割方式でチャネル帯域幅を複数のリソースブロックに分割するステップ
をさらに含む、請求項8に記載の方法。
【請求項１１】
前記第1の周波数領域指示情報は、前記チャネル帯域幅の前記複数のリソースブロックの各々に対応する周波数領域測定識別子を含む、請求項8から10のいずれか一項に記載の方法。
【請求項１２】
前記周波数領域測定識別子は、第1の測定識別子と第2の測定識別子とを含み、
前記第1の測定識別子は、前記チャネル帯域幅内の周波数領域測定識別子が前記第1の測定識別子であるリソースブロックを測定するように前記第1のネットワークデバイスに指示するために使用され、
前記第2の測定識別子は、前記チャネル帯域幅内の周波数領域測定識別子が前記第2の測定識別子であるリソースブロックを測定しないように前記第1のネットワークデバイスに指示するために使用される、請求項11に記載の方法。
【請求項１３】
前記第1の周波数領域指示情報は、測定対象リソースブロックの情報識別子を含み、その結果、前記第1のネットワークデバイスが、前記情報識別子に基づいて前記チャネル帯域幅の対応するリソースブロックを測定する、請求項8に記載の方法。
【請求項１４】
第2のネットワークデバイスにより第1のネットワークデバイスに、第1の周波数領域指示情報を含むCSI構成情報を送信する前記ステップは、
無線リソース制御RRCまたは物理層シグナリングを使用することによって前記第2のネットワークデバイスにより前記第1のネットワークデバイスに、前記第1の周波数領域指示情報を含む前記CSI構成情報を送信するステップを含む、請求項8から13のいずれか一項に記載の方法。
【請求項１５】
前記第1のネットワークデバイスによって送信されたCSIを、前記第2のネットワークデバイスにより取得するステップをさらに含み、
前記CSIは、
前記複数のリソースブロック内のターゲットリソースブロックに対応し、かつ前記第1のネットワークデバイスによって取得されたCSI、または、
前記複数のリソースブロック内のターゲットリソースブロックに対応するCSIを取得し、前記ターゲットリソースブロックに対応する前記CSIを予め設定された方式で処理することによって前記第1のネットワークデバイスにより取得されたCSIを含む、請求項9から11のいずれか一項に記載の方法。
【請求項１６】
第1の周波数領域指示情報を含み、かつ第2のネットワークデバイスによって送信されるCSI構成情報を取得するように構成された受信部であって、前記CSI構成情報は前記第1の周波数領域指示情報を含み、前記CSI構成情報は、第1のネットワークデバイスにCSI測定を実行するように指示するために使用され、前記第1の周波数領域指示情報は、前記第1のネットワークデバイスがCSI測定を実行する周波数領域位置を示すために使用される、受信部と、
前記CSI構成情報に基づいて、前記第1の周波数領域指示情報によって示された前記周波数領域位置における基準信号を測定するように構成された処理部と
を含む、チャネル状態情報CSI測定装置であって、
前記第1の周波数領域指示情報は、チャネル分割情報を含み、前記チャネル分割情報は、チャネル帯域幅を複数のリソースブロックに分割する方法を示すために使用される、装置。
【請求項１７】
前記第1の周波数領域指示情報は、チャネル分割情報を含み、前記チャネル分割情報は、チャネル帯域幅を複数のリソースブロックに分割する方式を示すために使用される、請求項16に記載の装置。
【請求項１８】
前記処理部は、予め設定された分割方式でチャネル帯域幅を複数のリソースブロックに分割するようにさらに構成される、
をさらに含む、請求項16に記載の装置。
【請求項１９】
前記第1の周波数領域指示情報は、前記チャネル帯域幅の前記複数のリソースブロックの各々に対応する周波数領域測定識別子を含み、
前記処理部は、前記チャネル帯域幅の前記複数のリソースブロックの各々に対応する前記周波数領域測定識別子を取得するようにさらに構成され、前記周波数領域測定識別子は、第1の測定識別子と第2の測定識別子とを含み、
前記処理部は、前記チャネル帯域幅内の周波数領域測定識別子が前記第1の測定識別子であるリソースブロック上の基準信号を測定するようにさらに構成される、請求項16から18のいずれか一項に記載の装置。
【請求項２０】
前記第1の周波数領域指示情報は、測定対象リソースブロックの情報識別子を含み、
前記処理部は、前記測定対象リソースブロックの前記情報識別子を取得するようにさらに構成され、前記情報識別子は、測定リソースの周波数領域位置を示すために使用され、
前記処理部は、前記周波数領域位置に対応するリソースブロック上の基準信号を測定するようにさらに構成される、請求項16に記載の装置。
【請求項２１】
無線リソース制御RRCまたは物理層シグナリングを使用することによって、前記第1の周波数領域指示情報を含み、かつ前記第2のネットワークデバイスによって送信される前記CSI構成情報を取得するために前記第1のネットワークデバイスにより使用される送信部
をさらに含む、請求項16から20のいずれか一項に記載の装置。
【請求項２２】
前記送信部は、取得されたCSIを前記第2のネットワークデバイスに送信するようにさらに構成され、をさらに含み、
前記取得されたCSIは、
前記第1のネットワークデバイスにより、前記複数のリソースブロック内のターゲットリソースブロックに対応するCSIを取得すること、または、
前記第1のネットワークデバイスによって、前記複数のリソースブロック内のターゲットリソースブロックに対応するCSIを取得し、前記ターゲットリソースブロックに対応する前記CSIを予め設定された方式で処理し、処理結果を前記CSIとして使用することを含む、請求項17から19のいずれか一項に記載の装置。
【請求項２３】
チャネル状態情報CSI測定装置であって、
第1の周波数領域指示情報を含むCSI構成情報を第1のネットワークデバイスに送信するために、第2のネットワークデバイスによって使用される送信部を含み、前記CSI構成情報は、前記第1のネットワークデバイスにCSI測定を実行するように指示するために使用され、前記第1の周波数領域指示情報は、前記第1のネットワークデバイスがCSI測定を実行する周波数領域位置を示すために使用され、その結果、前記第1のネットワークデバイスが、前記CSI構成情報に基づいて、前記第1の周波数領域指示情報によって示される前記周波数領域位置における基準信号を測定する、装置。
【請求項２４】
前記第1の周波数領域指示情報は、チャネル分割情報を含み、前記チャネル分割情報は、チャネル帯域幅を複数のリソースブロックに分割する方式を示すために使用される、請求項23に記載の装置。
【請求項２５】
予め設定された分割方式でチャネル帯域幅を複数のリソースブロックに分割するように構成される処理部
をさらに含む、請求項23に記載の装置。
【請求項２６】
前記第1の周波数領域指示情報は、前記チャネル帯域幅の前記複数のリソースブロックの各々に対応する周波数領域測定識別子を含む、請求項23から25のいずれか一項に記載の装置。
【請求項２７】
前記周波数領域測定識別子は、第1の測定識別子と第2の測定識別子とを含み、
前記処理部は、前記チャネル帯域幅内の周波数領域測定識別子が前記第1の測定識別子であるリソースブロックを測定するように前記第1のネットワークデバイスに指示するようにさらに構成され、
前記処理部は、前記チャネル帯域幅内の周波数領域測定識別子が前記第2の測定識別子であるリソースブロックを測定しないように前記第1のネットワークデバイスに指示するようにさらに構成される、請求項26に記載の装置。
【請求項２８】
前記第1の周波数領域指示情報は、測定対象リソースブロックの情報識別子を含み、その結果、前記第1のネットワークデバイスが、前記情報識別子に基づいて前記チャネル帯域幅の対応するリソースブロックを測定する、請求項23に記載の装置。
【請求項２９】
前記送信部は、無線リソース制御RRCまたは物理層シグナリングを使用することによって、前記第1の周波数領域指示情報を含む前記CSI構成情報を前記第1のネットワークデバイスに送信するようにさらに構成される、
請求項23から28のいずれか一項に記載の装置。
【請求項３０】
前記送信部は、前記第1のネットワークデバイスによって送信されたCSIを取得するように構成され、をさらに含み、
前記CSIは、
前記複数のリソースブロック内のターゲットリソースブロックに対応し、かつ前記第1のネットワークデバイスによって取得されたCSI、または、
前記複数のリソースブロック内のターゲットリソースブロックに対応するCSIを取得し、前記ターゲットリソースブロックに対応する前記CSIを予め設定された方式で処理することによって前記第1のネットワークデバイスにより取得されたCSIをさらに含む、請求項24から26のいずれか一項に記載の装置。
【請求項３１】
端末によって、基地局から第1の情報を受信するステップであって、前記第1の情報は、CSI干渉測定の周波数領域情報を含み、前記CSI干渉測定の前記周波数領域情報とCSIチャネル測定の周波数領域情報との間には対応関係がある、ステップと、
前記CSI干渉測定の前記周波数領域情報に基づいて、前記CSI干渉測定の前記周波数領域情報に対応する周波数領域位置においてCSI干渉測定リソース上の干渉を、前記端末によって測定するステップと
を含む、干渉測定方法。
【請求項３２】
前記第1の情報はCSI構成情報であり、前記CSI構成情報は前記CSIチャネル測定の前記周波数領域情報を含み、前記CSIチャネル測定の前記周波数領域情報および／または前記CSI干渉測定の前記周波数領域情報は、全帯域幅の複数のサブセットであるか、または全帯域幅の1つのサブセットである、請求項31に記載の方法。
【請求項３３】
基地局によって、CSI干渉測定の周波数領域情報を決定するステップであって、前記CSI干渉測定の前記周波数領域情報とCSIチャネル測定の周波数領域情報との間には対応関係がある、ステップと、
前記基地局によって、第1の情報を端末に送信するステップであって、前記第1の情報は、前記CSI干渉測定の前記周波数領域情報を含む、ステップと
を含む、干渉測定方法。
【請求項３４】
前記CSIチャネル測定の前記周波数領域情報および／または前記CSI干渉測定の前記周波数領域情報は、全帯域幅の複数のサブセットであるか、または全帯域幅の1つのサブセットである、請求項33に記載の方法。
【請求項３５】
端末によって、基地局から第2の情報を受信するステップであって、前記第2の情報は、CSIチャネル測定の周波数領域情報を含み、前記CSI干渉測定の周波数領域情報と前記CSIチャネル測定の前記周波数領域情報との間には対応関係がある、ステップと、
前記端末によって、前記CSIチャネル測定の前記周波数領域情報に基づいて前記CSI干渉測定の前記周波数領域情報を決定するステップと、前記CSI干渉測定の前記周波数領域情報に対応する周波数領域位置においてCSI干渉測定リソース上の干渉を測定するステップと
を含む、干渉測定方法。
【請求項３６】
前記CSIチャネル測定の前記周波数領域情報および／または前記CSI干渉測定の前記周波数領域情報は、全帯域幅の複数のサブセットであるか、または全帯域幅の1つのサブセットである、請求項35に記載の方法。
【請求項３７】
基地局によって、CSIチャネル測定の周波数領域情報を取得するステップと、
前記基地局によって、前記端末に第2の情報を送信するステップであって、前記第2の情報は、前記CSIチャネル測定の前記周波数領域情報を含み、前記CSI干渉測定の周波数領域情報と前記CSIチャネル測定の前記周波数領域情報との間には対応関係がある、ステップと
を含む、干渉測定方法。
【請求項３８】
前記CSI干渉測定情報および／または前記CSIチャネル測定の前記周波数領域情報は、全帯域幅の複数のサブセットであるか、または全帯域幅の1つのサブセットである、請求項37に記載の方法。
【請求項３９】
基地局から第1の情報を受信するように構成されたトランシーバ部であって、前記第1の情報は、CSI干渉測定の周波数領域情報を含み、前記CSI干渉測定の前記周波数領域情報とCSIチャネル測定の周波数領域情報との間には対応関係がある、トランシーバ部と、
前記CSI干渉測定の前記周波数領域情報に基づいて、前記CSI干渉測定の前記周波数領域情報に対応する周波数領域位置においてCSI干渉測定リソース上の干渉を測定するように構成された処理部と
を含む、干渉測定装置。
【請求項４０】
前記第1の情報はCSI構成情報であり、前記CSI構成情報は前記CSIチャネル測定の前記周波数領域情報を含み、前記CSIチャネル測定の前記周波数領域情報および／または前記CSI干渉測定の前記周波数領域情報は、全帯域幅の複数のサブセットであるか、または全帯域幅の1つのサブセットである、請求項39に記載の装置。
【請求項４１】
CSI干渉測定の周波数領域情報を決定するように構成された処理部であって、前記CSI干渉測定の前記周波数領域情報とCSIチャネル測定の周波数領域情報との間には対応関係がある、処理部と、
端末に第1の情報を送信するように構成されたトランシーバ部であって、前記第1の情報は、前記CSI干渉測定の前記周波数領域情報を含む、トランシーバ部と
を含む、干渉測定装置。
【請求項４２】
前記CSIチャネル測定の前記周波数領域情報および／または前記CSI干渉測定の前記周波数領域情報は、全帯域幅の複数のサブセットであるか、または全帯域幅の1つのサブセットである、請求項41に記載の装置。
【請求項４３】
基地局から第2の情報を受信するように構成されたトランシーバ部であって、前記第2の情報は、CSIチャネル測定の周波数領域情報を含み、前記CSI干渉測定の周波数領域情報と前記CSIチャネル測定の前記周波数領域情報との間には対応関係がある、トランシーバ部と、
前記CSIチャネル測定の前記周波数領域情報に基づいて前記CSI干渉測定の前記周波数領域情報を決定し、前記CSI干渉測定の前記周波数領域情報に対応する周波数領域位置においてCSI干渉測定リソース上の干渉を測定するように構成された処理部と
を含む、干渉測定装置。
【請求項４４】
前記CSIチャネル測定の前記周波数領域情報および／または前記CSI干渉測定の前記周波数領域情報は、全帯域幅の複数のサブセットであるか、または全帯域幅の1つのサブセットである、請求項43に記載の装置。
【請求項４５】
CSIチャネル測定の周波数領域情報を取得するように構成された処理部と、
前記端末に第2の情報を送信するように構成されたトランシーバ部であって、前記第2の情報は、前記CSIチャネル測定の前記周波数領域情報を含み、前記CSI干渉測定の周波数領域情報と前記CSIチャネル測定の前記周波数領域情報との間には対応関係がある、トランシーバ部と
を含む、干渉測定装置。
【請求項４６】
前記CSI干渉測定情報および／または前記CSIチャネル測定の前記周波数領域情報は、全帯域幅の複数のサブセットであるか、または全帯域幅の1つのサブセットである、請求項45に記載の装置。
【請求項４７】
前記CSI干渉測定の前記周波数領域情報とCSIチャネル測定の周波数領域情報との間には対応関係があるということは、
前記CSI干渉測定の前記周波数領域情報は、前記CSIチャネル測定の前記周波数領域情報と同じであるか、または、
前記CSI干渉測定の前記周波数領域情報は、前記CSIチャネル測定の前記周波数領域情報と部分的に同じであるか、または、
前記CSI干渉測定の前記周波数領域情報は、前記CSIチャネル測定の前記周波数領域情報とは異なる、ということを含む、
請求項31から38のいずれか一項に記載の方法、または請求項39から46のいずれか一項に記載の装置。
【請求項４８】
前記CSI干渉測定リソースは、非ゼロ電力チャネル状態情報基準信号NZP CSI−RSリソースおよび／またはゼロ電力チャネル状態情報基準信号ZP CSI−RSリソースを含む、請求項31から38のいずれか一項に記載の方法、あるいは請求項39から46のいずれか一項および請求項47に記載の装置。
【請求項４９】
前記全帯域幅のサブセットは、N個のリソースユニットを含み、Nは1以上であり、前記全帯域幅のリソースユニットの総数より少ないか、または、
前記全帯域幅のサブセットはM個のサブバンドを含み、Mは1以上であり、前記全帯域幅のサブバンドの総数よりも少ない、請求項31から38のいずれか一項に記載の方法、あるいは請求項39から46のいずれか一項および請求項47もしくは48に記載の装置。
【請求項５０】
前記CSIチャネル測定は、チャネル品質指標CQI測定、プリコーディング行列指標PMIの測定、ランク表示RIの測定、およびCRI測定のうちの1つまたは組み合わせを含む、請求項31から38のいずれか一項に記載の方法、あるいは請求項39から46のいずれか一項および請求項47、48、もしくは49に記載の装置。
【請求項５１】
命令を含むコンピュータ可読記憶媒体であって、前記命令がコンピュータ上で実行された場合に、前記コンピュータは請求項1から7のいずれか一項に記載の方法を実行するか、または前記コンピュータは請求項8から15のいずれか一項に記載の方法を実行するか、または前記コンピュータは請求項31または32に記載の方法を実行するか、または前記コンピュータは請求項33または34に記載の方法を実行するか、または前記コンピュータは請求項35または36に記載の方法を実行するか、または前記コンピュータは請求項37または38に記載の方法を実行する、コンピュータ可読記憶媒体。
【請求項５２】
コンピュータプログラム製品であって、前記コンピュータプログラム製品がコンピュータ上で動作する場合に、前記コンピュータは請求項1から7のいずれか一項に記載の方法を実行するか、または前記コンピュータは請求項8から15のいずれか一項に記載の方法を実行するか、または前記コンピュータは請求項31または32に記載の方法を実行するか、または前記コンピュータは請求項33または34に記載の方法を実行するか、または前記コンピュータは請求項35または36に記載の方法を実行するか、または前記コンピュータは請求項37または38に記載の方法を実行する、コンピュータプログラム製品。
【請求項５３】
プロセッサを含むネットワークデバイスであって、前記プロセッサは、第2のネットワークデバイスによって送信された第1の周波数領域指示情報を含むCSI構成情報を取得し、前記CSI構成情報は、第1のネットワークデバイスにCSI測定を実行するように指示するために使用され、前記第1の周波数領域指示情報は、前記第1のネットワークデバイスがCSI測定を実行する周波数領域位置を指示するために使用され、CSIを取得するために、前記CSI構成情報に基づいて、前記第1の周波数領域指示情報によって示される前記周波数領域位置における基準信号を測定するように構成される、ネットワークデバイス。
【請求項５４】
プロセッサを含むネットワークデバイスであって、前記プロセッサは、第1の周波数領域指示情報を含むCSI構成情報を第1のネットワークデバイスに送信するように構成され、前記CSI構成情報は、前記第1のネットワークデバイスにCSI測定を実行するように指示するために使用され、前記第1の周波数領域指示情報は、前記第1のネットワークデバイスがCSI測定を実行する周波数領域位置を指示するために使用され、その結果、前記第1のネットワークデバイスが、前記CSI構成情報に基づいて、前記第1の周波数領域指示情報によって示される前記周波数領域位置における基準信号を測定する、ネットワークデバイス。
【請求項５５】
プロセッサを含む端末デバイスであって、前記プロセッサは、基地局から第1の情報を取得し、前記第1の情報は、CSI干渉測定の周波数領域情報を含み、前記CSI干渉測定の前記周波数領域情報とCSIチャネル測定の周波数領域情報との間には対応関係があり、前記CSI干渉測定の前記周波数領域情報に基づいて、前記CSI干渉測定の前記周波数領域情報に対応する周波数領域位置においてCSI干渉測定リソース上の干渉を測定するように構成されるか、または前記プロセッサは、基地局から第2の情報を取得し、前記第2の情報は、CSIチャネル測定の周波数領域情報を含み、前記CSI干渉測定の周波数領域情報と前記CSIチャネル測定の前記周波数領域情報との間には対応関係があり、前記CSIチャネル測定の前記周波数領域情報に基づいて前記CSI干渉測定の前記周波数領域情報を決定し、前記CSI干渉測定の前記周波数領域情報に対応する周波数領域位置においてCSI干渉測定リソース上の干渉を測定するように構成される、端末デバイス。
【請求項５６】
プロセッサを含む基地局であって、前記プロセッサは、CSI干渉測定の周波数領域情報を決定するように構成され、前記CSI干渉測定の前記周波数領域情報とCSIチャネル測定の周波数領域情報との間には対応関係があり、端末に第1の情報を送信し、前記第1の情報は、前記CSI干渉測定の周波数領域情報を含み、または、前記プロセッサは前記端末に第2の情報を送信するように構成され、前記第2の情報は、前記CSIチャネル測定の前記周波数領域情報を含み、前記CSI干渉測定の周波数領域情報と前記CSIチャネル測定の前記周波数領域情報との間には対応関係がある、基地局。
【発明の詳細な説明】
【技術分野】
【０００１】
本願は、2016年9月30日に中国特許庁に提出され「CSI測定方法および装置」という名称の中国特許出願第201610878533．9号、ならびに2017年3月25日に中国特許庁に提出された「CSI測定方法および装置」という名称の中国特許出願第201710184954．6号の優先権を主張し、上記出願の全体が参照により本明細書に組み込まれる。
【０００２】
本願の実施形態は、通信技術の分野に関し、特に、CSI（Channel State Information、チャネル状態情報）測定方法および装置に関する。
【背景技術】
【０００３】
移動通信技術が高速かつ大容量のデータサービスに向かって発展するにつれて、次世代移動通信システムは大容量かつ高品質のデータ伝送を必要とする。MIMO（Multiple−Input Multiple−Output、多入力多出力）技術は、将来の高速データ伝送を実現することができる重要な技術の1つと考えられており、第4世代（4G）および第5世代（5G）移動通信システムにおいて広い応用の期待がある。従来の集中型MIMOシステムにおける複数の送信アンテナは、基地局（BS）側に集中している。集中型MIMOにおけるものとは異なり、分散型MIMOシステムにおける複数の送信アンテナは様々な地理的位置に分散されている。分散型MIMOシステムの受信／送信リンクの異なるペアは、互いにより独立している。分散型MIMOシステムは、大容量、低消費電力、より優れた通信範囲、および人体に対する低い電磁気損傷などの利点を有しており、将来の無線通信システムに対する代替ソリューションの1つとして考えられている。
【０００４】
分散型MIMOでは、セル間干渉に対処し、かつエッジユーザのスループットを向上させる有効な方法として、CoMP（Coordinated Multipoint Transmission、協調マルチポイント伝送）が考えられている。CoMP技術では、干渉を回避し、エッジユーザのスループットを向上させるために、複数の隣接セルに対してジョイント処理を実行するか、またはエッジユーザを協調させることができる。ダウンリンクCoMP技術は、主に、JT（Joint Transmission、ジョイント伝送）、協調スケジューリングおよびCS／CB（Coordinated Scheduling and Beamforming、ビームフォーミング）、およびDPS／DPB（Dynamic Point Selection／Dynamic Point Blanking、ダイナミックポイント選択／ダイナミックポイントブランキング）を含む。JTはコヒーレントJTとインコヒーレントJTに分類される。CoMPスケジューリングを実施するために、サービング基地局は、各局からターゲットユーザへのダウンリンクチャネルの状態を知る必要がある。
【０００５】
LTE（Long Term Evolution、ロングタームエボリューション）仕様は基準信号、すなわちCSI−RS（Channel State Information Reference Signal、チャネル状態情報基準信号）を提供する。端末は、特定のCSI−RSを測定することによってチャネル干渉状態を推定し、CSI−IM（Channel State Information Interference Measurement、チャネル状態情報干渉測定）を取得し、PUCCH（Physical uplink control channel、物理アップリンク制御チャネル）を介してCSI−IM情報をサービング基地局に報告する。特定のCSI−RSを受信し処理し、必要なフィードバック情報を提供するように端末を構成するために、基地局は、上位層のRRC（Radio resource control、無線リソース制御）シグナリングを構成することによって指示を端末に提供する。しかしながら、CoMP技術の一つであるJTでは、一人のユーザに対して複数のセルが同時にデータを送信するようにスケジューリングされる。これは、異なる周波数領域位置で異なる干渉状態を引き起こす。あるいは、5Gでは、異なる種類のデータが異なる周波数領域位置で送信される。これはまた、異なる周波数領域位置において異なる干渉状態を引き起こす。従来技術では、CSI−IMおよびCSIレートマッチングは通常、全帯域幅に基づいて構成され、帯域幅の特定の周波数領域位置における干渉状態を測定することができない。
【発明の概要】
【０００６】
本願は、CSI−IMおよびCSIレートマッチングが全帯域幅に基づいて通常構成され、帯域幅の特定の周波数領域位置における干渉状態を測定することができないという従来技術の問題を克服するためのCSI測定方法を提供する。
【課題を解決するための手段】
【０００７】
本願の実施形態の第1の態様によれば、CSI測定方法が提供され、本方法は、第1の周波数領域指示情報を含み、かつ第2のネットワークデバイスによって送信されるCSI構成情報を、第1のネットワークデバイスにより取得するステップであって、CSI構成情報は、第1のネットワークデバイスにCSI測定を実行するように指示するために使用され、第1の周波数領域指示情報は、第1のネットワークデバイスがCSI測定を実行する周波数領域位置を指示するために使用される、ステップと、CSIを取得するために、CSI構成情報に基づいて第1のネットワークデバイスによって、第1の周波数領域指示情報によって示される周波数領域位置における基準信号を測定するステップと、を含む。
【０００８】
任意選択で、第1の周波数領域指示情報は、チャネル分割情報を含み、チャネル分割情報は、チャネル帯域幅を複数のリソースブロックに分割する方法を示すために使用される。
【０００９】
任意選択で、本方法は、第1のネットワークデバイスにより、予め設定された分割方式でチャネル帯域幅を複数のリソースブロックに分割するステップをさらに含む。
【００１０】
任意選択で、第1の周波数領域指示情報は、チャネル帯域幅の複数のリソースブロックの各々に対応する周波数領域測定識別子を含み、
第1の周波数領域指示情報によって示される周波数領域位置で基準信号を測定するステップは、第1のネットワークデバイスによって、チャネル帯域幅の複数のリソースブロックのそれぞれに対応する周波数領域測定識別子を取得するステップであって、周波数領域測定識別子は、第1の測定識別子と第2の測定識別子とを含む、ステップと、第1のネットワークデバイスによって、チャネル帯域幅内の周波数領域測定識別子が第1の測定識別子であるリソースブロック上の基準信号を測定するステップと、を含む。
【００１１】
任意選択で、第1の周波数領域指示情報は、測定対象リソースブロックの情報識別子を含み、第1の周波数領域指示情報によって示される周波数領域位置で基準信号を測定するステップは、第1のネットワークデバイスによって、測定対象リソースブロックの情報識別子を取得するステップであって、情報識別子は、測定リソースの周波数領域位置を示すために使用される、ステップと、第1のネットワークデバイスによって、周波数領域位置に対応するリソースブロック上の基準信号を測定するステップと、を含む。
【００１２】
任意選択で、第1の周波数領域指示情報を含み、かつ第2のネットワークデバイスによって送信されるCSI構成情報を、第1のネットワークデバイスにより取得するステップは、無線リソース制御RRCまたは物理層シグナリングを使用することによって第1のネットワークデバイスにより、第1の周波数領域指示情報を含み、かつ第2のネットワークデバイスによって送信されるCSI構成情報を取得するステップを含む。
【００１３】
任意選択で、基準信号はチャネル測定基準信号および／または干渉測定基準信号を含む。
【００１４】
任意選択で、本方法は、第1のネットワークデバイスにより、取得されたCSIを第2のネットワークデバイスに送信するステップをさらに含み、取得されたCSIは、以下を含む。
【００１５】
第1のネットワークデバイスにより、複数のリソースブロック内のターゲットリソースブロックに対応するCSIを取得すること、または、第1のネットワークデバイスによって、複数のリソースブロック内のターゲットリソースブロックに対応するCSIを取得し、ターゲットリソースブロックに対応するCSIを予め設定された方法で処理し、処理結果をCSIとして使用すること。
【００１６】
本願の実施形態の第2の態様によれば、CSI測定方法が提供され、本方法は、第2のネットワークデバイスにより第1のネットワークデバイスに、第1の周波数領域指示情報を含むCSI構成情報を送信するステップを含み、CSI構成情報は、第1のネットワークデバイスにCSI測定を実行するように指示するために使用され、第1の周波数領域指示情報は、第1のネットワークデバイスがCSI測定を実行する周波数領域位置を指示するために使用され、その結果、第1のネットワークデバイスが、CSI構成情報に基づいて、第1の周波数領域指示情報によって示される周波数領域位置における基準信号を測定する。
【００１７】
任意選択で、第1の周波数領域指示情報は、チャネル分割情報を含み、チャネル分割情報は、チャネル帯域幅を複数のリソースブロックに分割する方法を示すために使用される。
【００１８】
任意選択で、本方法は、第2のネットワークデバイスにより、予め設定された分割方式でチャネル帯域幅を複数のリソースブロックに分割するステップをさらに含む。
【００１９】
任意選択で、第1の周波数領域指示情報は、チャネル帯域幅の複数のリソースブロックの各々に対応する周波数領域測定識別子を含む。
【００２０】
任意選択で、周波数領域測定識別子は、第1の測定識別子と第2の測定識別子とを含み、第1の測定識別子は、チャネル帯域幅内の周波数領域測定識別子が第1の測定識別子であるリソースブロックを測定するように第1のネットワークデバイスに指示するために使用され、第2の測定識別子は、チャネル帯域幅内の周波数領域測定識別子が第2の測定識別子であるリソースブロックを測定しないように第1のネットワークデバイスに指示するために使用される。
【００２１】
本願の実施形態の第3の態様によれば、CSI測定方法が提供され、本方法は、第1の周波数領域指示情報は、測定対象リソースブロックの情報識別子を含み、その結果、第1のネットワークデバイスが、情報識別子に基づいてチャネル帯域幅の対応するリソースブロックを測定する。
【００２２】
任意選択で、第2のネットワークデバイスにより第1のネットワークデバイスに、第1の周波数領域指示情報を含むCSI構成情報を送信するステップは、無線リソース制御RRCまたは物理層シグナリングを使用することによって第2のネットワークデバイスにより第1のネットワークデバイスに、第1の周波数領域指示情報を含むCSI構成情報を送信するステップを含む。
【００２３】
任意選択で、基準信号はチャネル測定基準信号および／または干渉測定基準信号を含む。
【００２４】
本方法は、第1のネットワークデバイスによって送信されたCSIを、第2のネットワークデバイスにより取得するステップをさらに含み、
CSIは、複数のリソースブロック内のターゲットリソースブロックに対応し、かつ第1のネットワークデバイスによって取得されたCSI、または、複数のリソースブロック内のターゲットリソースブロックに対応するCSIを取得し、ターゲットリソースブロックに対応するCSIを予め設定された方法で処理することによって第1のネットワークデバイスにより取得されたCSIを含む。
【００２５】
本願の実施形態の第4の態様によれば、レートマッチング方法が提供され、本方法は、第2の周波数領域指示情報を含み、かつ第2のネットワークデバイスによって送信されるレート構成情報を、第1のネットワークデバイスにより取得するステップであって、レート構成情報は、第1のネットワークデバイスにレートマッチングを実行するように指示するために使用され、第2の周波数領域指示情報は、第1のネットワークデバイスがレートマッチングを実行する周波数領域位置を指示するために使用される、ステップと、第1のネットワークデバイスにより、レート構成情報に基づいて、第2の周波数領域指示情報に対応する周波数領域位置における基準信号のリソース位置を決定するステップと、第1のネットワークデバイスにより、リソース位置に基づいて受信データに対してレートマッチングを実行するステップと、を含む。
【００２６】
任意選択で、第2の周波数領域指示情報は、チャネル分割情報を含み、チャネル分割情報は、チャネル帯域幅を複数のリソースブロックに分割する方法を示すために使用される。
【００２７】
任意選択で、本方法は、第1のネットワークデバイスにより、予め設定された分割方式でチャネル帯域幅を複数のリソースブロックに分割するステップをさらに含む。
【００２８】
任意選択で、第2の周波数領域指示情報は、チャネル帯域幅の複数のリソースブロックの各々は、1つのレートマッチング識別子に対応し、第2の周波数領域指示情報に対応する周波数領域位置における基準信号のリソース位置を決定するステップは、第1のネットワークデバイスによって、チャネル帯域幅の複数のリソースブロックのそれぞれに対応するレートマッチング識別子を取得するステップであって、レートマッチング識別子は、第1のレートマッチング識別子と第2のレートマッチング識別子とを含む、ステップと、第1のネットワークデバイスにより、チャネル帯域幅内のレートマッチング識別子が第1のレートマッチング識別子であるリソースブロック上の基準信号のリソース位置を決定するステップと、を含む。
【００２９】
任意選択で、第2の周波数領域指示情報は、レートマッチングが実行されるリソースブロックの情報識別子を含み、第2の周波数領域指示情報に対応する周波数領域位置における基準信号のリソース位置を決定するステップは、第1のネットワークデバイスにより、レートマッチングが実行されるリソースブロックの情報識別子を取得するステップであって、情報識別子は周波数領域位置を含む、ステップと、第1のネットワークデバイスによって、周波数領域位置に対応するリソースブロック上の基準信号のリソース位置を決定するステップと、を含む。
【００３０】
任意選択で、第2の周波数領域指示情報を含み、かつ第2のネットワークデバイスによって送信されるレート構成情報を、第1のネットワークデバイスにより取得するステップは、無線リソース制御RRCまたは物理層シグナリングを使用することによって第1のネットワークデバイスにより、第2の周波数領域指示情報を含み、かつ第2のネットワークデバイスによって送信されるレート構成情報を取得するステップを含む。
【００３１】
本願の実施形態の第5の態様によれば、レートマッチング方法が提供され、本方法は、第2のネットワークデバイスによって第1のネットワークデバイスに、第2の周波数領域指示情報を含むレート構成情報を送信するステップであって、レート構成情報は、第1のネットワークデバイスにレートマッチングを実行するように指示するために使用され、第2の周波数領域指示情報は、第1のネットワークデバイスがレートマッチングを実行する周波数領域位置を指示するために使用される、ステップを含み、その結果、第1のネットワークデバイスは、レート構成情報に基づいて、第2の周波数領域指示情報に対応する周波数領域位置における基準信号のリソース位置を決定し、リソース位置に基づいて受信データに対してレートマッチングを実行する。
【００３２】
任意選択で、第2の周波数領域指示情報は、チャネル分割情報を含み、チャネル分割情報は、チャネル帯域幅を複数のリソースブロックに分割する方法を示すために使用される。
【００３３】
任意選択で、第2の周波数領域指示情報は、チャネル帯域幅の複数のリソースブロックの各々が1つのレートマッチング識別子に対応することを含む。
【００３４】
任意選択で、レートマッチング識別子は第1の測定識別子および第2の測定識別子を含み、第1の測定識別子は、チャネル帯域幅内のレートマッチング識別子が第1の測定識別子であるリソースブロック上のデータに対してレートマッチングを実行するように第1のネットワークデバイスに指示するために使用され、第2の測定識別子は、チャネル帯域幅内のレートマッチング識別子が第2の測定識別子であるリソースブロック上のデータに対してレートマッチングを実行しないように第1のネットワークデバイスに指示するために使用される。
【００３５】
任意選択で、第2の周波数領域指示情報は、レートマッチングが実行されるリソースブロックの情報識別子を含む。
【００３６】
任意選択で、情報識別子は周波数領域位置を含み、情報識別子は、周波数領域位置に対応するリソースブロック上の基準信号のリソース位置を決定するように第1のネットワークデバイスに指示し、リソース位置に基づいて受信データに対してレートマッチングを実行するように第1のネットワークデバイスに指示するために使用される。
【００３７】
任意選択で、第2のネットワークデバイスにより第1のネットワークデバイスに、第2の周波数領域指示情報を含むレート構成情報を送信するステップは、無線リソース制御RRCまたは物理層シグナリングを使用することによって第2のネットワークデバイスにより第1のネットワークデバイスに、第2の周波数領域指示情報を含むレート構成情報を送信するステップを含む。
【００３８】
本願の実施形態の第6の態様によれば、チャネル状態情報CSI測定装置が提供され、本装置は、第1の周波数領域指示情報を含み、かつ第2のネットワークデバイスによって送信されるCSI構成情報を取得するように構成された受信部であって、CSI構成情報は第1の周波数領域指示情報を含み、CSI構成情報は、第1のネットワークデバイスにCSI測定を実行するように指示するために使用され、第1の周波数領域指示情報は、第1のネットワークデバイスがCSI測定を実行する周波数領域位置を指示するために使用される、受信部と、CSI構成情報に基づいて、第1の周波数領域指示情報によって指示された周波数領域位置における基準信号を測定するように構成された処理部と、を含む。
【００３９】
第1の周波数領域指示情報は、チャネル分割情報を含み、チャネル分割情報は、チャネル帯域幅を複数のリソースブロックに分割する方法を示すために使用される。
【００４０】
任意選択で、第1の周波数領域指示情報は、チャネル分割情報を含み、チャネル分割情報は、チャネル帯域幅を複数のリソースブロックに分割する方法を示すために使用される。
【００４１】
任意選択で、装置は、処理部が予め設定された分割方式でチャネル帯域幅を複数のリソースブロックに分割するようにさらに構成されることをさらに含む。
【００４２】
任意選択で、第1の周波数領域指示情報は、チャネル帯域幅の複数のリソースブロックの各々に対応する周波数領域測定識別子を含む。
【００４３】
処理部は、チャネル帯域幅の複数のリソースブロックの各々に対応する周波数領域測定識別子を取得するようにさらに構成され、周波数領域測定識別子は、第1の測定識別子と第2の測定識別子とを含み、処理部は、チャネル帯域幅内の周波数領域測定識別子が第1の測定識別子であるリソースブロック上の基準信号を測定するようにさらに構成される。
【００４４】
任意選択で、第1の周波数領域指示情報は、測定対象リソースブロックの情報識別子を含み、処理部は、測定対象リソースブロックの情報識別子を取得するようにさらに構成され、情報識別子は、測定リソースの周波数領域位置を示すために使用され、処理部は、周波数領域位置に対応するリソースブロック上の基準信号を測定するようにさらに構成される。
【００４５】
任意選択で、送信部は、無線リソース制御RRCまたは物理層シグナリングを使用することによって、第1の周波数領域指示情報を含み、かつ第2のネットワークデバイスによって送信されるCSI構成情報を取得するために第1のネットワークデバイスにより使用される。
【００４６】
任意選択で、装置は、送信部が、取得されたCSIを第2のネットワークデバイスに送信するようにさらに構成されることをさらに含み、取得されたCSIは以下を含む。
【００４７】
第1のネットワークデバイスにより、複数のリソースブロック内のターゲットリソースブロックに対応するCSIを取得すること、または、第1のネットワークデバイスによって、複数のリソースブロック内のターゲットリソースブロックに対応するCSIを取得し、ターゲットリソースブロックに対応するCSIを予め設定された方法で処理し、処理結果をCSIとして使用することを含む。
【００４８】
本願の実施形態の第6の態様によれば、チャネル状態情報CSI測定装置が提供され、本装置は、第1の周波数領域指示情報を含むCSI構成情報を第1のネットワークデバイスに送信するために、第2のネットワークデバイスによって使用される送信部を含み、CSI構成情報は、第1のネットワークデバイスにCSI測定を実行するように指示するために使用され、第1の周波数領域指示情報は、第1のネットワークデバイスがCSI測定を実行する周波数領域位置を指示するために使用され、その結果、第1のネットワークデバイスが、CSI構成情報に基づいて、第1の周波数領域指示情報によって示される周波数領域位置における基準信号を測定する。
【００４９】
任意選択で、第1の周波数領域指示情報は、チャネル分割情報を含み、チャネル分割情報は、チャネル帯域幅を複数のリソースブロックに分割する方法を示すために使用される。
【００５０】
任意選択で、装置は、予め設定された分割方式でチャネル帯域幅を複数のリソースブロックに分割するように構成された処理部をさらに含む。
【００５１】
任意選択で、第1の周波数領域指示情報は、チャネル帯域幅の複数のリソースブロックの各々に対応する周波数領域測定識別子を含む。
【００５２】
任意選択で、周波数領域測定識別子は、第1の測定識別子と第2の測定識別子とを含み、処理部は、チャネル帯域幅内の周波数領域測定識別子が第1の測定識別子であるリソースブロックを測定するように第1のネットワークデバイスに指示するようにさらに構成され、処理部は、チャネル帯域幅内の周波数領域測定識別子が第2の測定識別子であるリソースブロックを測定しないように第1のネットワークデバイスに指示するようにさらに構成される。
【００５３】
任意選択で、第1の周波数領域指示情報は、測定対象リソースブロックの情報識別子を含み、その結果、第1のネットワークデバイスが、情報識別子に基づいてチャネル帯域幅の対応するリソースブロックを測定する。
【００５４】
任意選択で、送信部は、無線リソース制御RRCまたは物理層シグナリングを使用することによって、第1の周波数領域指示情報を含むCSI構成情報を第1のネットワークデバイスに送信するようにさらに構成される。
【００５５】
任意選択で、装置は、送信部が、第1のネットワークデバイスによって送信されたCSIを取得するように構成されることをさらに含む。
【００５６】
CSIは、複数のリソースブロック内のターゲットリソースブロックに対応し、かつ第1のネットワークデバイスによって取得されたCSI、または、複数のリソースブロック内のターゲットリソースブロックに対応するCSIを取得し、ターゲットリソースブロックに対応するCSIを予め設定された方法で処理することによって第1のネットワークデバイスにより取得されたCSIを含む。
【００５７】
本願の実施形態の別の態様によれば、干渉測定方法が提供され、本方法は、端末によって、基地局から第1の情報を受信するステップであって、第1の情報は、CSI干渉測定の周波数領域情報を含み、CSI干渉測定の周波数領域情報とCSIチャネル測定の周波数領域情報との間には対応関係がある、ステップと、CSI干渉測定の周波数領域情報に基づいて、CSI干渉測定の周波数領域情報に対応する周波数領域位置においてCSI干渉測定リソース上の干渉を、端末によって測定するステップと、を含む。
【００５８】
本願の実施形態で提供される可能な設計では、第1の情報はCSI構成情報であり、CSI構成情報はCSIチャネル測定の周波数領域情報を含み、CSIチャネル測定の周波数領域情報および／またはCSI干渉測定の周波数領域情報は、全帯域幅の複数のサブセットであるか、または全帯域幅の1つのサブセットである。
【００５９】
本願の実施形態の別の態様によれば、干渉測定方法が提供され、本方法は、基地局によって、CSI干渉測定の周波数領域情報を決定するステップであって、CSI干渉測定の周波数領域情報とCSIチャネル測定の周波数領域情報との間には対応関係がある、ステップと、基地局によって、第1の情報を端末に送信するステップであって、第1の情報は、CSI干渉測定の周波数領域情報を含む、ステップと、を含む。
【００６０】
本願の実施形態で提供される可能な設計では、CSIチャネル測定の周波数領域情報およびCSI干渉測定の周波数領域情報は全帯域幅のサブセットである。
【００６１】
本願の実施形態の別の態様によれば、干渉測定方法が提供され、本方法は、端末によって、基地局から第2の情報を受信するステップであって、第2の情報は、CSIチャネル測定の周波数領域情報を含み、CSI干渉測定の周波数領域情報とCSIチャネル測定の周波数領域情報との間には対応関係がある、ステップと、端末によって、CSIチャネル測定の周波数領域情報に基づいてCSI干渉測定の周波数領域情報を決定するステップと、CSI干渉測定の周波数領域情報に対応する周波数領域位置においてCSI干渉測定リソース上の干渉を測定するステップと、を含む。
【００６２】
本願の実施形態で提供される可能な設計では、CSIチャネル測定の周波数領域情報およびCSI干渉測定の周波数領域情報は全帯域幅のサブセットである。
【００６３】
本願の実施形態の別の態様によれば、干渉測定方法が提供され、本方法は、基地局によって、CSIチャネル測定の周波数領域情報を取得するステップと、基地局によって、端末に第2の情報を送信するステップであって、第2の情報は、CSIチャネル測定の周波数領域情報を含み、CSI干渉測定の周波数領域情報とCSIチャネル測定の周波数領域情報との間には対応関係がある、ステップと、を含む。
【００６４】
本願の実施形態で提供される可能な設計では、CSI干渉測定情報および／またはCSIチャネル測定の周波数領域情報は、全帯域幅の複数のサブセットであるか、または全帯域幅の1つのサブセットである。
【００６５】
本願の実施形態の別の態様によれば、干渉測定装置が提供され、本装置は、基地局から第1の情報を受信するように構成されたトランシーバ部であって、第1の情報は、CSI干渉測定の周波数領域情報を含み、CSI干渉測定の周波数領域情報とCSIチャネル測定の周波数領域情報との間には対応関係がある、トランシーバ部と、CSI干渉測定の周波数領域情報に基づいて、CSI干渉測定の周波数領域情報に対応する周波数領域位置においてCSI干渉測定リソース上の干渉を測定するように構成された処理部と、を含む。
【００６６】
本願の実施形態で提供される可能な設計では、第1の情報はCSI構成情報であり、CSI構成情報はCSIチャネル測定の周波数領域情報を含み、CSIチャネル測定の周波数領域情報および／またはCSI干渉測定の周波数領域情報は、全帯域幅の複数のサブセットであるか、または全帯域幅の1つのサブセットである。
【００６７】
本願の実施形態の別の態様によれば、干渉測定装置が提供され、本装置は、CSI干渉測定の周波数領域情報を決定するように構成された処理部であって、CSI干渉測定の周波数領域情報とCSIチャネル測定の周波数領域情報との間には対応関係がある、処理部と、端末に第1の情報を送信するように構成されたトランシーバ部であって、第1の情報は、CSI干渉測定の周波数領域情報を含む、トランシーバ部と、を含む。
【００６８】
本願の実施形態で提供される可能な設計では、CSIチャネル測定の周波数領域情報および／またはCSI干渉測定の周波数領域情報は、全帯域幅の複数のサブセットであるか、または全帯域幅の1つのサブセットである。
【００６９】
本願の実施形態の別の態様によれば、干渉測定装置が提供され、本装置は、基地局から第2の情報を受信するように構成されたトランシーバ部であって、第2の情報は、CSIチャネル測定の周波数領域情報を含み、CSI干渉測定の周波数領域情報とCSIチャネル測定の周波数領域情報との間には対応関係がある、トランシーバ部と、CSIチャネル測定の周波数領域情報に基づいてCSI干渉測定の周波数領域情報を決定し、CSI干渉測定の周波数領域情報に対応する周波数領域位置においてCSI干渉測定リソース上の干渉を測定するように構成された処理部と、を含む。
【００７０】
本願の実施形態で提供される可能な設計では、CSI干渉測定情報および／またはCSIチャネル測定の周波数領域情報は、全帯域幅の複数のサブセットであるか、または全帯域幅の1つのサブセットである。
【００７１】
本願の実施形態の別の態様によれば、干渉測定装置が提供され、本装置は、CSIチャネル測定の周波数領域情報を取得するように構成された処理部と、端末に第2の情報を送信するように構成されたトランシーバ部であって、第2の情報は、CSIチャネル測定の周波数領域情報を含み、CSI干渉測定の周波数領域情報とCSIチャネル測定の周波数領域情報との間には対応関係がある、トランシーバ部と、を含む。
【００７２】
本願の実施形態で提供される可能な設計では、CSI干渉測定情報およびCSIチャネル測定の周波数領域情報は全帯域幅のサブセットである。
【００７３】
本願の実施形態で提供される可能な設計では、CSI干渉測定の周波数領域情報とCSIチャネル測定の周波数領域情報との間には対応関係があるということは、CSI干渉測定の周波数領域情報は、CSIチャネル測定の周波数領域情報と同じであるか、または、CSI干渉測定の周波数領域情報は、CSIチャネル測定の周波数領域情報と部分的に同じであるか、または、CSI干渉測定の周波数領域情報は、CSIチャネル測定の周波数領域情報とは異なる、ということを含む。
【００７４】
本願の実施形態で提供される可能な設計では、CSI干渉測定リソースは、非ゼロ電力チャネル状態情報基準信号NZP CSI−RSリソースおよび／またはゼロ電力チャネル状態情報基準信号ZP CSI−RSリソースを含む。
【００７５】
本願の実施形態で提供される可能な設計では、全帯域幅のサブセットは、N個のリソースユニットを含み、Nは1以上であり、全帯域幅のリソースユニットの総数より少ないか、または、全帯域幅のサブセットはM個のサブバンドを含み、Mは1以上であり、全帯域幅のサブバンドの総数よりも少ない。
【００７６】
本願の実施形態で提供される可能な設計では、CSIチャネル測定は、チャネル品質指標CQI測定、プリコーディング行列指標PMI測定、ランク表示RI測定、およびCRI測定のうちの1つまたはそれらの組み合わせを含む。前述の一般的な説明および以下の詳細な説明は単なる例および説明であり、本願に対する限定として解釈するべきではないことを理解されたい。
【００７７】
本明細書の添付の図面は、本明細書に組み込まれ、本明細書のリソースブロックを構成し、本願の実施形態を示し、本明細書と共に本願の原理を説明するために使用される。
【図面の簡単な説明】
【００７８】
【図１】例示的な実施形態によるアプリケーションシナリオの概略図である。
【図２】例示的な実施形態によるCSI測定方法のフローチャートである。
【図３】図2のステップS220のフローチャートである。
【図４】図2のステップS220の別のフローチャートである。
【図５】例示的な実施形態によるCSI測定方法のフローチャートである。
【図６】例示的な実施形態によるレートマッチング方法のフローチャートである。
【図７】図6のステップS620のフローチャートである。
【図８】図6のステップS620の別のフローチャートである。
【図９】例示的な実施形態によるレートマッチング方法のフローチャートである。
【図１０】例示的な実施形態による干渉測定方法のフローチャートである。
【図１１】例示的な実施形態による干渉測定方法のフローチャートである。
【図１２】例示的な実施形態による干渉測定方法のフローチャートである。
【図１３】例示的な実施形態による干渉測定方法のフローチャートである。
【図１４】例示的な実施形態による干渉測定シナリオの概略図である。
【図１５】例示的な実施形態による干渉測定シナリオの概略図である。
【図１６】例示的な実施形態による干渉測定装置の概略図である。
【図１７】例示的な実施形態による第1のネットワークデバイスの概略図である。
【図１８】例示的な実施形態による第2のネットワークデバイスの概略図である。
【図１９】別の例示的な実施形態による第1のネットワークデバイスの概略図である。
【図２０】別の例示的な実施形態による第2のネットワークデバイスの概略図である。
【図２１】別の例示的な実施形態によるデバイスの概略図である。
【発明を実施するための形態】
【００７９】
以下、添付図面を参照しながら、本願の実施形態について説明する。
【００８０】
関連技術では、CSI−IMが実行されると、CSI process（プロセス）は通常、既存のプロトコルに従ってサービングセルの基地局を使用することによってサービングセルの端末に対して構成され、その結果、その端末は、基地局によって構成されたCSI processに従ってCSI−IMを実行する。しかしながら、端末に対してサービングセルによって構成されたCSI processは、通常、全チャネル帯域幅に基づく測定である。このように、端末が、測定により、チャネル帯域幅に干渉情報があることを発見したとしても、チャネル帯域幅のうち、干渉情報が位置する特定の周波数帯域を決定することができない。また、通常、チャネル帯域幅のいくつかの周波数帯域には干渉情報があり、他のいくつかの周波数帯域には干渉情報がない。端末が全帯域幅でCSI−IMを実行する場合には、端末は、端末のサービングセルによって構成されたCSI processに従って測定を実行し、それによってリソースの浪費を引き起こす。
【００８１】
例えば、図1に示すように、端末は、CoMP技術を用いて伝送ポイントTP1と伝送ポイントTP2と同時に通信する。この場合、端末とTP1との間に通信チャネルがあり、端末とTP2との間にも通信チャネルがある。端末は、2つの通信チャネルのチャネル帯域幅に対して別々にCSI−IMを実行し、2つのチャネルの帯域幅の最適なスケジューリングサブバンドを別々に取得して、TP1およびTP2がそれぞれ対応する最適なサブバンドを使用して端末と通信する。しかしながら、2つの通信チャネルは重なり合って、2つの通信チャネル間に相互干渉を引き起こす可能性がある。その結果、2つの通信チャネルの異なるサブバンドも異なる程度の干渉を受けやすく、関連技術において端末がCSI−IM測定を行った後に得られる測定結果は不正確になる可能性がある。さらに、関連技術において全帯域幅で実行されるCSI−IMもまた大きなパイロットオーバーヘッドおよびリソースの浪費を引き起こす。
【００８２】
したがって、チャネル帯域幅に対してCSI−IMを正確に実行することができず、測定プロセスにおいてリソースが浪費されるという関連技術における問題を解決するために、本願の実施形態はCSI測定の方法および装置を提供する。本願の実施形態におけるCSI測定プロセスは、端末間、端末と基地局との間、基地局間などの通信プロセスに適用することができる。本願の実施形態はこれに限定されない。理解を容易にするために、本願は、例として端末と基地局との間の通信を使用することによって説明される。
【００８３】
第1のネットワークデバイスおよび第2のネットワークデバイスについて以下に説明し記載する。
【００８４】
ネットワークデバイスの一例は、基地局または他の種類の伝送ポイントデバイスであってもよい。もちろん、ネットワークデバイスは、上記2種類のデバイスに限定されない。例えば、第2のデバイスは、代替として、別の端末に対する構成動作を実施することができる端末であってもよい。
【００８５】
基地局は、LTEシステムまたは進化型LTEシステムにおける、進化型ノードB（Evolutional Node B、略してeNBまたはe−NodeB）、マクロ基地局、マイクロ基地局（「スモールセル」とも呼ばれる）、ピコセル、アクセスポイント（Access Point、略してAP）、または伝送ポイント（Transmission Point、略してTP）などであってもよく、あるいは、将来のネットワークにおける基地局、例えば5Gネットワークにおける基地局であってもよい。
【００８６】
本願の実施形態では、端末はユーザ機器（User Equipment、略してUE）と呼ばれることもあり、あるいは移動局（Mobile Station、略してMS）またはモバイル端末（Mobile Terminal）などと呼ばれることもある。端末は、無線アクセスネットワーク（Radio Access Network、略してRAN）を介して、1つまたは複数のコアネットワークと通信することができる。例えば、端末は、携帯電話（または「セルラー」電話と呼ばれる）またはモバイル端末を有するコンピュータであってもよい。例えば、端末はまた、携帯型か、ポケットサイズか、ハンドヘルドか、コンピュータ内蔵か、または車載の移動装置であって、無線アクセスネットワークと音声および／またはデータをやりとりするものであってもよい。本願の実施形態における端末はまた、D2D（Device to Device、デバイス間）端末またはM2M（Machine to Machine、機器間）端末であってもよい。
【００８７】
図1に示すように、基地局100と基地局300は同時に端末200と通信する。端末200のモビリティ管理および通信プロセスにおいて、端末200がCSI−IMを実行し、測定結果を基地局100および基地局300に報告することは、基地局がハンドオーバ決定を実行するのを支援する重要な方法である。本実施形態について、図1の端末200と基地局100との間のチャネル帯域幅のCSI測定を例として用いて説明する。CSIは、端末200と基地局300との間のチャネル帯域幅についても同様に測定することができる。また、端末は、基地局100のチャネル帯域幅と基地局300のチャネル帯域幅でCSIを同時に測定してもよい。
【００８８】
端末200がCSI測定を実行できるようにするために、基地局100はさらに基準信号を端末に送信する。例えば、LTE仕様では、CSI基準信号、すなわちCSI−RSが提供され、端末によってCSIを測定するために使用される。
【００８９】
端末200がチャネル帯域幅でCSIを測定する必要があるとき、基地局100はチャネル帯域幅のサブバンド内のどの周波数領域位置を測定する必要があるかを決定する。したがって、基地局100は、CSI構成情報を生成する。CSI構成情報は、第1の周波数領域指示情報を含む。CSI構成情報は、第1の周波数領域指示情報に対応し、かつチャネル帯域幅内にある周波数領域位置において基準信号を測定するように端末に指示するために使用される。
【００９０】
関連技術で使用されるCSI構成情報は以下の通りである。サービング基地局は、ターゲットユーザに対して複数のCSIプロセスを構成することができる。各CSIプロセスにおいて、チャネル情報を測定するために、端末の非ゼロ電力（Non−zero power、NZP）が示され、干渉を測定するために、干渉測定リソース（Interference measurement resource、IMR）も示される。さらに、各CSIプロセスに対応するユーザの報告内容および報告方法は、対応して構成中に指定される。
【００９１】
具体的には、CSI構成情報は、CSIプロセス識別子csi−ProcessId、チャネル情報を測定するために使用される構成識別子csi−RS−ConfigNZPId、および干渉情報を測定するために使用される構成識別子csi−IM−ConfigIdを含む、CSIプロセス情報を含むことができる。したがって、本願のこの実施形態では、端末200がチャネル帯域幅を正確に測定するように、第1の周波数領域指示情報が既存のCSI構成情報に追加される。
【００９２】
チャネル帯域幅は分割される必要があるので、端末200は、基地局100によって送信されたCSI構成情報に基づいて、対応する周波数領域位置における基準信号内のCSIを測定する。本願で提供されるこの実施形態では、チャネル帯域幅は2つの方法で分割することができる。第1のチャネル帯域幅分割方式では、基地局100と端末200とは予め設定された方法で分割を行う。第2の分割方式では、基地局100は、チャネル帯域幅分割方式を定義し、その分割方式をCSI構成情報に追加し、そしてCSI構成情報を端末200に送信することができる。端末200は、基地局100によって送信されたCSI構成情報に基づいてチャネル分割を行ってもよい。
【００９３】
第1のチャネル帯域幅分割方式では、端末200と基地局100は、チャネル帯域幅を所定の方法で分割し、チャネル帯域幅を複数のリソースブロックに分割することができる。
【００９４】
本願のこの実施形態では、チャネル帯域幅は複数のリソースブロックに分割され、各リソースブロックは1つのRB、2つのRB、または複数のRBであってもよいことに留意されたい。各リソースブロックに含まれるリソースは、チャネル帯域幅よりも小さくなければならない。分割後に得られるリソースブロック内のいくつかのリソースは重複してもよく、またはリソースブロック内のリソースは重複しなくてもよい。リソースブロック（Resource Block、RB）は、既存のLTE技術におけるリソースユニット（リソース粒度）である。5G以降のプロトコルでは、リソースユニットはRBに基づいて定義されない可能性がある。リソースユニットまたはリソース粒度は他の方法で指定されてもよい。これは本明細書に限定されない。例えば、チャネル帯域幅が100個のRBであり、チャネル帯域幅が2つのRBの粒度に基づいて分割される場合には、チャネル帯域幅は50個のリソースブロックに分割することができ、各リソースブロックは2つのRBである。
【００９５】
第1のチャネル帯域幅分割方式は、端末200と基地局100との間の事前交渉を通じて得られ、基地局100は端末との分割規則を再度決定しなくてもよい。
【００９６】
第2のチャネル帯域幅分割方式では、基地局100は、チャネル帯域幅分割方式をCSI構成情報に追加することができ、端末200は、基地局100によって送信されたCSI構成情報に基づいてチャネル帯域幅を分割する。
【００９７】
具体的には、基地局100が端末に送信するCSI構成情報は第1の周波数領域指示情報を含み、端末200は第1の周波数領域指示情報のチャネル分割情報に基づいてチャネル帯域幅を分割する。
【００９８】
チャネル帯域幅を複数のリソースブロックに分割した後に、端末200は、基地局100によって送信されたCSI構成情報に基づいて基準信号を測定する。なお、基準信号は、基地局100、基地局300、他の基地局または伝送ポイントなどによって送信された基準信号であってもよい。
【００９９】
基準信号を測定する過程で、端末200は、CSI構成情報に基づいて全チャネル帯域幅に対してCSIを測定する必要はなく、第1の周波数領域指示情報内の対応する周波数領域位置に対して測定を行うことができる。
【０１００】
端末200がCSIを測定する場合に、複数のリソースブロックに分割されたチャネル帯域幅に対して測定を実行する2つの方法があり得る。
【０１０１】
第1の測定方法では、チャネル帯域幅が分割された複数のリソースブロックのそれぞれは、1つの周波数領域測定識別子に対応する。周波数領域測定識別子は、第1の測定識別子と第2の測定識別子とに分類することができる。端末200は、第1の測定識別子に対応するリソースブロックを測定し、第2の測定識別子に対応するリソースブロックは測定しない。例えば、チャネル帯域幅が100個のRBであり、チャネル帯域幅が2つのRBの粒度に基づいて分割される場合には、チャネル帯域幅は50個のリソースブロックに分割され、各リソースブロックは2つのRBである。そして、CSI構成情報は、50個のリソースブロックを個別に識別するために、50ビットを含むことができる。例えば、測定識別子のビット情報が1または0であり、端末200は、測定識別子が1のリソースブロックを測定し、測定識別子が0のリソースブロックを測定しない。このように、端末200は、測定対象リソースブロックの測定識別子に基づいて対応する測定を行い、チャネル帯域幅上のCSIを正確に測定することができる。
【０１０２】
例えば、第1の測定方法ではbit mappingが使用されてもよい。上記の実施形態のようにチャネル帯域幅が複数のリソースブロックに分割されるとき、各リソースブロックの粒度は以下のようになり得る。
【０１０３】
（1）1つのRBの粒度に基づいてチャネル帯域幅測定を行う場合、第1の周波数領域指示情報で示されるbit mapping用のbit数は、システム帯域幅のRB数、すなわち
【数１】
2019530370.tif 000003
となる。
【数２】
2019530370.tif 000004
は、チャネル帯域幅のRB数を示す。
【０１０４】
（2）2つのRBの粒度に基づいてチャネル帯域幅測定を行う場合、第1の周波数領域指示情報が示すbit mapping用のbit数は、システム帯域幅のRB数の半分、すなわち、
【数３】
2019530370.tif 000005
となる。
【０１０５】
（3）P RBの粒度、すなわち既存のRBG（Resource Block Group、リソースブロックグループ）サイズに基づいてチャネル帯域幅測定を行う場合、第1の周波数領域指示情報で示されるbit mapping用のbit数は
【数４】
2019530370.tif 000006
となる。Pは、表1に示すように、2以上の整数である。
【０１０６】
【表１】
2019530370.tif 000007
【０１０７】
（4）Kの粒度、すなわち既存のCSI測定Subband Size（subband size）に基づいてチャネル帯域幅測定を行う場合、第1の周波数領域指示情報で示されるbit mapping用のbit数は
【数５】
2019530370.tif 000008
となる。Kは、表2に示すように、正の整数である。
【０１０８】
【表２】
2019530370.tif 000009
【０１０９】
第2の測定方法では、CSI構成情報中の第1の周波数領域指示情報は、測定対象リソースブロックの情報識別子をさらに含むことができる。情報識別子は、測定対象リソースブロックの周波数領域位置を含む。端末200は、測定対象リソースブロックの情報識別子の指示に基づいて、対応する周波数領域位置のリソースブロックを測定してもよい。
【０１１０】
例えば、対応する周波数領域位置におけるリソースブロックは、以下の方法で測定することができる。
【０１１１】
方法1：
【０１１２】
すべてのRBGはP個のサブセットに分割され、ここで、PはRBGサイズである。各RBGサブセットp（0≦p＜P）は、RBG pから始まり、Pの間隔を有するすべてのRBGを含む。端末に割り当てられるRBリソースは、同じサブセットから来る必要がある。
【０１１３】
第1のフィールドは
【数６】
2019530370.tif 000010
ビットを含み、選択されたRBGサブセット、すなわちpの値を特定するために使用される。
【０１１４】
第2のフィールドは1ビット（shift bit）を含み、サブセット内のリソースがシフトされているかどうかを指定するために使用される。1はリソースがシフトされていることを示し、0はリソースがシフトされていないことを示す。
【０１１５】
第3のフィールドは1つのbitmapを含む。bitmap内の各ビットは、選択されたRBGサブセット内の1つのRB（RBGではないことに留意）に対応している。最上位ビットはサブセット内の最初のRBを示し、最下位ビットはサブセット内の最後のRBを示す。RBが端末に割り当てられている場合には、bitmap内の対応するビットは1に設定され、そうでなければ、bitmap内の対応するビットは0に設定される。bitmapサイズ、すなわちbitmapに含まれるビット数
【数７】
2019530370.tif 000011
は以下の通りである。
【数８】
2019530370.tif 000012
【０１１６】
選択されたRBGサブセット内のRBは、サブセット内の最小のRBインデックス＋シフト量Δshift（p）から始まり、開始RBはbitmap内の最上位ビットに対応する。シフト量は、RBの個数で表され、選択されたRBGサブセットに発生したシフトを示す。第2のフィールドが0の場合には、RBGサブセットpのシフトはΔshift（p）＝0である。第2のフィールドが1の場合には、RBGサブセットpのシフトは
【数９】
2019530370.tif 000013
となり、bitmapの最下位ビットは対応するRBGサブセットの最後のRBに調整される。
【０１１７】
【数１０】
2019530370.tif 000014
は、RBGサブセットpに含まれるRBの数である。計算式は以下の通りである。
【数１１】
2019530370.tif 000015
【０１１８】
RBGサブセットpのbitmap内の各ビットi（
【数１２】
2019530370.tif 000016
）に対応するRBは、以下の式を用いて計算することができる。
【数１３】
2019530370.tif 000017
【０１１９】
前述のRBは、仮想リソースブロック（VRB）でもよく、物理リソースブロック（PRB）でもよい。したがって、周波数領域指示情報は、VRBの位置を指示することができ、次いでVRBはPRBにマッピングされる。あるいは周波数領域指示情報は、PRBの位置を直接指示してもよい。これは本明細書に限定されない。
【０１２０】
方法2：
【０１２１】
周波数領域指示情報において、端末に割り当てられたリソースは、RBの連続したセグメントである。RBは局在（localized）していてもよく、または分散（distributed）していてもよい。
【０１２２】
第1に、周波数領域指示フィールド内の1ビットは、局在したRBが使用されるか（例えば、ビットが0のとき）または分散RBが使用されるか（例えば、ビットが1のとき）を示すために使用される。
【０１２３】
集中リソース割り当ては、リソース指示値RIVによって表される。この値を用いて導出することにより、端末に割り当てられた開始RBと、連続して割り当てられたRBの長さ（LCRB）とを求めることができる。計算式は以下の通りである。
【０１２４】
【数１４】
2019530370.tif 000018
の場合には、
【数１５】
2019530370.tif 000019
であり、そうでなければ、
【数１６】
2019530370.tif 000020
である。ここでLCRBs≧1であり、
【数１７】
2019530370.tif 000021
より大きくない。
【０１２５】
【数１８】
2019530370.tif 000022
に基づいて、
【数１９】
2019530370.tif 000023
か
【数２０】
2019530370.tif 000024
か、そしてRBstartとLCRBが最終的に計算によって得られるかどうかを知ることができる。
【０１２６】
LCRB≧1であって、
【数２１】
2019530370.tif 000025
より大きくなく、
【数２２】
2019530370.tif 000026
は確実に満たされる。したがって、
【数２３】
2019530370.tif 000027
であり、
【０１２７】
1．
【数２４】
2019530370.tif 000028
の場合、
【数２５】
2019530370.tif 000029
であり、2．
【数２６】
2019530370.tif 000030
の場合、
【数２７】
2019530370.tif 000031
である。
【０１２８】
RIVを受信した後に、端末は、
【数２８】
2019530370.tif 000032
の値xを計算する。
【０１２９】
（1）
【数２９】
2019530370.tif 000033
であれば、
【数３０】
2019530370.tif 000034
であることがわかり、最終結果は
【数３１】
2019530370.tif 000035
、
【数３２】
2019530370.tif 000036
となる。（2）
【数３３】
2019530370.tif 000037
であれば、
【数３４】
2019530370.tif 000038
であることがわかり、最終結果は
【数３５】
2019530370.tif 000039
、
【数３６】
2019530370.tif 000040
となる。分散リソース割り当てにおいて端末に割り当てられるリソースは
【数３７】
2019530370.tif 000041
RBであり、最大で
【数３８】
2019530370.tif 000042
RBであり、ここで、
【数３９】
2019530370.tif 000043
は増加ステップであり、次の表に示すように、ダウンリンクシステム帯域幅
【数４０】
2019530370.tif 000044
に関連する。
【０１３０】
【表３】
2019530370.tif 000045
【０１３１】
分散リソース割り当ては、リソース指示値RIVによっても表される。端末に割り当てられた開始RB（RBstart＝0、
【数４１】
2019530370.tif 000046
、
【数４２】
2019530370.tif 000047
、…、
【数４３】
2019530370.tif 000048
）と連続して割り当てられたRBの長さ（LCRB＝
【数４４】
2019530370.tif 000049
、
【数４５】
2019530370.tif 000050
、…、
【数４６】
2019530370.tif 000051
）は、その値を使って導出することによって得られる。計算式は以下の通りである。
【０１３２】
【数４７】
2019530370.tif 000052
であれば、
【数４８】
2019530370.tif 000053
であり、そうでなければ、
【数４９】
2019530370.tif 000054
である。ここで
【数５０】
2019530370.tif 000055
、
【数５１】
2019530370.tif 000056
、
【数５２】
2019530370.tif 000057
、およびL’CRBs≧1であり、
【数５３】
2019530370.tif 000058
より大きくない。
【０１３３】
RIVを受信した後に端末によってRBstartおよびLCRBを計算する方法は、前述の方法と同様であり、本明細書では説明されない。
【０１３４】
前述のRBは、仮想リソースブロック（VRB）でもよく、物理リソースブロック（PRB）でもよい。したがって、周波数領域指示情報は、VRBの位置を指示することができ、次いでVRBはPRBにマッピングされる。あるいは周波数領域指示情報は、PRBの位置を直接指示してもよい。これは本明細書に限定されない。
【０１３５】
具体的には、周波数領域指示情報における測定対象情報ブロックの情報識別子は、既存のプロトコルにおけるリソース指示方法を用いて指示されてもよいし、他の指示方法を用いて指示されてもよい。これは本明細書に限定されない。本実施形態における端末は、図1の端末200を例として用いて説明することができる。
【０１３６】
また、端末200は、RRCまたは物理層シグナリングを用いて、基地局100によって送信されたCSI構成情報を取得する。
【０１３７】
具体的には、周波数領域指示情報は、CSI測定リソースのために構成されてもよく、またはCQI（Channel Quality Indicator、チャネル品質情報）報告のために構成されてもよい。周波数領域指示情報がCSI測定リソースに対して構成されている場合には、それは、基準信号によって占有されているリソースが周波数領域指示情報によって示された周波数領域位置にのみあることを示し、UEは周波数領域位置にある基準信号のみを測定すればよい。周波数領域指示情報がCQI報告のために構成されている場合には、それは、UEによって報告されたCQIが、周波数領域指示情報によって指示された周波数領域位置における基準信号に基づいて取得されたCSIであることを示す。
【０１３８】
具体的には、以下のシグナリングフィールドに基づいて構成が行われてもよい。
【０１３９】
CSI Processで干渉測定（CSI−IM）リソースの周波数領域指示情報を構成する。
【０１４０】
基地局は、CSI Processにおいて干渉測定（CSI−IM）リソースの周波数領域指示情報を構成し、そのリソースの干渉測定が指示された周波数領域位置にのみ適用可能であることをUEに通知する。UEがシグナリングを受信した後に、UEは、リソースに対する干渉測定の間にリソースの周波数領域位置に対する影響のみを考慮する。
【０１４１】
報告中に、異なる干渉測定リソースに対して構成された周波数領域指示情報について、周波数領域位置に対するCSI情報が報告されてもよく、または全測定帯域幅に対する平均CSI情報が報告されてもよい。
【０１４２】
具体的には、周波数領域指示情報は、frequencyConfigフィールドによって以下のように示される。
CSI−IM−Config−r11：：＝SEQUENCE｛
csi−IM−ConfigId−r11  CSI−IM−ConfigId−r11，
resourceConfig−r11  INTEGER（0．．31），
frequencyConfig  BIT STRING OR OTHER
subframeConfig−r11  INTEGER（0．．154），
．．．
｝
および／または
CSI−IM−ConfigExt−r12：：＝SEQUENCE｛
csi−IM−ConfigId−v1250  CSI−IM−ConfigId−v1250、resourceConfig−r12  INTEGER（0．．31），
frequencyConfig  BIT STRING OR OTHER
subframeConfig−r12  INTEGER（0．．154），
．．．
｝
−ASN1STOP
【０１４３】
CSI−RS−configNZPIdでCSI−RSリソースの周波数領域指示情報を構成する。
【０１４４】
基地局は、CSI−RS−configNZPId内のCSI−RSリソースに対する周波数領域指示情報を構成し、リソースを測定するようにUEに指示し、測定が周波数領域指示情報によって指示される周波数領域位置にのみ適用可能であることを示す。
【０１４５】
特定のRRCシグナリング通知（例えば、frequencyConfigが追加される）は以下の通りである。
CSI−RS−ConfigNZP information elements
−ASN1START
CSI−RS−ConfigNZP−r11：：＝SEQUENCE｛
csi−RS−ConfigNZPId−r11  CSI−RS−ConfigNZPId−r11，
antennaPortsCount−r11  ENUMERATED｛an1、an2、an4、an8｝，
resourceConfig−r11  INTEGER（0．．31），
frequencyConfig  BIT STRING OR OTHER
subframeConfig−r11  INTEGER（0．．154），
scramblingIdentity−r11  INTEGER（0．．503），
qcl−CRS−Info−r11  SEQUENCE｛
qcl−ScramblingIdentity−r11  INTEGER（0．．503），
crs−PortsCount−r11  ENUMERATED｛n1，n2，n4，spare1｝，
mbsfn−SubframeConfigList−r11  CHOICE｛
release  NULL，
setup  SEQUENCE｛
subframeConfigList  MBSFN−SubframeConfigList
｝
｝OPTIONAL−−Need ON
｝OPTIONAL，−−Need OR
．．．，
［［  eMIMO−Info−r13  CHOICE｛
release  NULL，
setup  SEQUENCE｛
nzp−resourceConfigList−r13  SEQUENCE（SIZE（2．．8））OF ResourceConfig−r13，
cdmType  ENUMERATED｛cdm2、cdm4｝OPTIONAL−−Need OR
｝
｝OPTIONAL−−Need ON
］］
｝
および／または
ResourceConfig−r13：：＝INTEGER（0．．31）
frequencyConfig  BIT STRING OR OTHER
−ASN1STOP
【０１４６】
CQIレポート用の周波数領域指示情報を構成する。
【０１４７】
基地局は、報告されたCQIが周波数領域指示情報によって指示された周波数領域位置において基準信号を測定することによって得られたCSIであることをUEに指示するために、CQI報告のための周波数領域指示情報を構成する。
【０１４８】
特定のRRCシグナリング通知（例えば、frequencyConfigが追加される）は以下の通りである。
CQI−ReportConfig information elements
−ASN1START
CQI−ReportConfig：：＝SEQUENCE｛
cqi−ReportModeAperiodic  CQI−ReportModeAperiodic  OPTIONAL，−−Need OR
nomPDSCH−RS−EPRE−Offset  INTEGER（−1．．6），
cqi−ReportPeriodic  CQI−ReportPeriodic  OPTIONAL−−Need ON
frequencyConfig  BIT STRING OR OTHER
｝
または
CQI−ReportConfig−v920：：＝SEQUENCE｛
cqi−Mask−r9  ENUMERATED｛setup｝OPTIONAL，−Cond cqi−Setup
pmi−RI−Report−r9  ENUMERATED｛setup｝OPTIONAL−−Cond PMIRI
frequencyConfig  BIT STRING OR OTHER
｝
【０１４９】
端末200は、CSIを取得するために、第1の周波数領域指示情報に対応する周波数領域位置において基準信号を測定する。CSIは、チャネル帯域幅内の測定されたリソースブロックにそれぞれ対応する測定結果を含むことができ、あるいは、測定されたリソースブロックにそれぞれ対応する測定結果が予め設定された方法で処理されてもよく、処理結果がCSIとして使用される。予め設定された方法は、リソースブロックを測定することによって得られた測定結果の平均値または最大値を計算する方法でCSIを決定することであってもよい。端末200は、測定報告の形でCSIを基地局100に報告してもよい。
【０１５０】
関連技術では、端末は通常、全帯域幅に基づいてレートマッチングを実行し、チャネル帯域幅内の特定の周波数領域位置にある信号に対してレートマッチングを実行することはできない。その結果、関連技術において端末によって得られるレートマッチング結果は不正確になる可能性があり、リソースが無駄になる。したがって、要求に従って、チャネル帯域幅内の特定の周波数領域位置において対応するデータに対してレートマッチングを実行するために、本願において提供される別の実施形態は、レートマッチングを実行するためのレートマッチング方法をさらに提供する。図1は、説明のための例として依然として使用される。本願のこの実施形態におけるレートマッチングプロセスは、端末間、端末と基地局との間、基地局間などの通信プロセスに適用することができる。本願のこの実施形態はこれに限定されない。理解を容易にするために、本願は、例として端末と基地局との間の通信を使用することによって説明される。
【０１５１】
図1を参照すると、基地局100はレート構成情報を端末に送信する。レートマッチング情報は、第2の周波数領域指示情報を含む。レート構成情報は、端末200にレートマッチングを実行するように指示するために使用される。第2の周波数領域指示情報は、第2の周波数領域指示情報に対応する周波数領域位置にある基準信号のリソース位置にある受信データに対してレートマッチングを実行するように端末200に指示するために使用される。
【０１５２】
本明細書における第2の周波数領域指示情報は、前述の実施形態における第1の周波数領域指示情報とは異なってもよい。前述の実施形態における第1の周波数領域指示情報は、主に、端末200がCSI測定を行う周波数領域位置を示すために使用される。ここで、第2の周波数領域指示情報は、主に、端末200がレートマッチングを行う周波数領域位置を示すものであり、第2の周波数領域指示情報とも呼ばれる。
【０１５３】
端末200は、基地局100から送信されたレート構成情報を受信し、そのレート構成情報に基づいて、第2の周波数領域指示情報に対応する周波数領域位置にある基準信号のリソース位置における受信データに対してレートマッチングを行う。基準信号は、基地局100によって送信されてもよく、または他の基地局または伝送ポイントなどによって送信されてもよい。
【０１５４】
レート構成情報に基づいてレートマッチングを行うプロセスにおいて、端末200は、さらにチャネル帯域幅を分割し、チャネル帯域幅を複数のリソースブロックに分割する必要がある。具体的には、チャネル帯域幅をリソースブロックに分割する方式として、上述の実施形態におけるチャネル分割方式を用いることができる。したがって、ここでは詳細については再度の説明を省略する。
【０１５５】
このレートマッチングソリューションでは、周波数領域指示情報の具体的な指示方法は以下の通りである。
【０１５６】
基地局100は、PDSCH−RE−MappingQCL−Configフィールドのcsi−RS−ConfigZPId−r11に周波数領域指示情報を構成する。具体的には、基地局100は、UEがレートマッチングを実行するときに、UEがZP CSI−RSリソースが位置する周波数帯域のみを考慮することができることを示すために、ZP CSI−RSリソースに対する周波数領域指示情報を構成する。
【０１５７】
UEがシグナリングを受信した後に、UEは、ZP CSI−RSリソースの位置に基づいてデータに対してレートマッチングを実行するときに、ZP CSI−RSリソースが位置する周波数帯域のみを考慮することができ、全帯域幅に基づいてレートマッチングを実行する必要はない。
【０１５８】
特定のRRCシグナリング（frequencyConfigListなど）は次の通りである。
PDSCH−RE−MappingQCL−Config−r11：：＝SEQUENCE｛
pdsch−RE−MappingQCL−ConfigId−r11  PDSCH−RE−MappingQCL−ConfigId−r11，
optionalSetOfFields−r11  SEQUENCE｛
crs−PortsCount−r11  ENUMERATED｛n1，n2，n4，spare1｝，
crs−FreqShift−r11  INTEGER（0．．5），
mbsfn−SubframeConfigList−r11  CHOICE｛
release  NULL，
setup  SEQUENCE｛
subframeConfigList  MBSFN−SubframeConfigList
｝
｝OPTIONAL，−−Need ON
pdsch−Start−r11  ENUMERATED｛reserved，n1，n2，n3，n4，assigned｝
｝OPTIONAL，−−Need OP
csi−RS−ConfigZPId−r11  CSI−RS−ConfigZPId−r11，
qcl−CSI−RS−ConfigNZPId−r11  CSI−RS−ConfigNZPId−r11  OPTIONAL，−−Need OR
．．．
｝
CSI−RS−ConfigZP information elements
−ASN1START
CSI−RS−ConfigZP−r11：：＝SEQUENCE｛
csi−RS−ConfigZPId−r11  CSI−RS−ConfigZPId−r11，
resourceConfigList−r11  BIT STRING（SIZE（16）），
frequencyConfigList−r14  SEQUENCE｛non zero number of resourceConfigList−r11｝OF BIT STRING（SIZE（N））OPTIONAL，−−Need OR
subframeConfig−r11  INTEGER（0．．154），
．．．
｝
−ASN1STOP
【０１５９】
レートマッチングでは、データがリソースにマッピングされた後に、またはデータがリソースにマッピングされない後にパンクチャリングが実行されてもよい。レートマッチングは、前述の場合を含むがこれに限定されない。
【０１６０】
物理層シグナリング通知方法は以下の通りである。
【０１６１】
CSI測定のための周波数領域指示情報および／またはレートマッチングのための周波数領域情報は、DCI（Downlink Control Information、ダウンリンク制御情報）に追加される。
【０１６２】
CSI測定のための周波数領域指示情報の例は以下の通りである。
−CSI frequency information field−4または5ビット
【０１６３】
CSI process構成が複数ある場合には、CSI−process IDを示す必要がある。
【０１６４】
複数のCSI−IM構成がある場合には、CSI−IM IDを示す必要がある。
【０１６５】
複数のNZP CSI−RS構成がある場合には、NZP CSI−RS IDを示す必要がある。
【０１６６】
このフィールドは、CSI測定のための基準信号の周波数領域位置情報を示すのに使用されるか、またはCSI報告のための周波数領域位置情報を示すのに使用される。さらに、基地局は、異なる測定リソース識別子について周波数領域指示情報を構成することができる。測定リソース識別子は、CSI−process ID、CSI−IM ID、NZP CSI−RS ID、または別の測定リソースであってもよい。これは本明細書に限定されない。
【０１６７】
周波数領域指示は通常、シグナリングオーバーヘッドを減らすために、サブバンド（subband）の粒度などの比較的大きい粒度を使用することによって実行される。
【０１６８】
レートマッチングのための周波数領域指示情報の例は以下の通りである。
−rata matching frequency information field−2or 3bits
【０１６９】
このフィールドは、レートマッチングのための基準信号の周波数領域位置情報を示すために使用される。
【０１７０】
レートマッチングのための基準信号は、ZP CSI−RS、またはUEにレートマッチングを実行するように指示するために使用される別の基準信号であってもよい。これは本明細書に限定されない。
【０１７１】
以下では、レートマッチング信号がZP CSI−RSである例を使用する。基地局100は、複数のZP CSI−RS IDを予め構成してもよい。UEにデータを送信するために使用されたZP CSI−RSが以前に構成されたRRCシグナリングにおけるものと異なる場合、基地局は物理層シグナリングを使用することによってZP CSI−RS IDのみをUEに通知することができる。言い換えれば、基地局は、異なるZP CSI−RS IDについて周波数領域指示情報を構成することができる。
【０１７２】
本願のこの実施形態における構成方法は、前述の解決策を含むがこれに限定されないことに留意されたい。
【０１７３】
レート構成情報内の第2の周波数領域指示情報は、チャネル帯域幅の複数のリソースブロックの各々が1つのレートマッチング識別子に対応することを含む。レートマッチング識別子は、第1のレートマッチング識別子と第2のレートマッチング識別子とに分類することができる。端末200は、チャネル帯域幅の複数のリソースブロックの各々に対応するレートマッチング識別子を取得し、チャネル帯域幅内の周波数領域マッチング識別子が第1のレートマッチング識別子である基準信号のリソース位置を決定する。ここで、前述の実施形態におけるbit mapping方式は、各リソースブロックと1つのレートマッチング識別子との間の対応関係を確立するために使用することができ、その結果、端末200が、レートマッチング識別子に基づいて対応するリソースブロックのデータに対してレートマッチングを行う。
【０１７４】
さらに、第2の周波数領域指示情報は、レートマッチングが実行されるリソースブロックの情報識別子を含むことができる。情報識別子は周波数領域位置を含む。レートマッチングを実行するとき、端末200は、周波数領域位置に対応するリソースブロック上の基準信号のリソース位置を決定し、そのリソース位置に基づいてデータに対してレートマッチングを実行する。
【０１７５】
本願で提供される別の実施形態では、端末側および基地局側で前述の実施形態を実行するプロセスを詳細に説明するために、図2に示すように、CSI測定方法がさらに提供される。この方法は第1のネットワークデバイスに適用され、この方法は以下のステップを含むことができる。
【０１７６】
ステップS210において、第1のネットワークデバイスが、第1の周波数領域指示情報を含み、かつ第2のネットワークデバイスによって送信されるCSI構成情報を取得する。
【０１７７】
第1のネットワークデバイスは、端末または基地局などのデバイスであってもよい。第2のネットワークデバイスもまた、端末または基地局などのデバイスであってもよい。例えば、本方法は、端末間、端末と基地局との間、または基地局間の通信に適用することができる。
【０１７８】
本願のこの実施形態におけるCSI構成情報は、第1の周波数領域指示情報を含むことができる。CSI構成情報は、第1のネットワークデバイスにCSI測定を実行するように指示するために使用される。第1の周波数領域指示情報は、第1のネットワークデバイスがCSI測定を実行する周波数領域位置を示すために使用される。
【０１７９】
さらに、第1のネットワークデバイスは、RRCまたは物理層シグナリングを使用することによって、第1の周波数領域指示情報を含み、かつ第2のネットワークデバイスによって送信されるCSI構成情報を取得することができる。
【０１８０】
ステップS220において、第1のネットワークデバイスは、CSI構成情報に基づいて、第1の周波数領域指示情報によって示される周波数領域位置における基準信号を測定して、CSIを取得する。
【０１８１】
本願のこの実施形態における基準信号は、チャネル測定基準信号および／または干渉測定基準信号を含むことができる。
【０１８２】
第1の周波数領域指示情報は、チャネル分割情報を含む。チャネル分割情報は、チャネル帯域幅を複数のリソースブロックに分割する方式を示すために使用される。このチャネル帯域幅分割方式は、前述の実施形態における第1のチャネル帯域幅分割方式と等価である。したがって、ここでは詳細については再度の説明を省略する。詳細については、前述の実施形態を参照されたい。
【０１８３】
第1のネットワークデバイスは、予め設定された分割方式でチャネル帯域幅を複数のリソースブロックに分割することができる。このチャネル帯域幅分割方式は、前述の実施形態における第2のチャネル帯域幅分割方式と等価である。したがって、ここでは詳細については再度の説明を省略する。詳細については、前述の実施形態を参照されたい。
【０１８４】
第1のネットワークデバイスは、複数のリソースブロック内のターゲットリソースブロックに対応する測定結果を取得し、その測定結果をCSIとして用いる。
【０１８５】
あるいは、第1のネットワークデバイスは、複数のリソースブロック内のターゲットリソースブロックに対応する測定結果を取得し、ターゲットリソースブロックに対応する測定結果を予め設定された方法で処理してCSIを取得する。
【０１８６】
本願のこの実施形態では、CSIを取得した後に、第1のネットワークデバイスはCSIを第2のネットワークデバイスに送信する。
【０１８７】
本願で提供される別の実施形態では、図2の方法の改良として、第1のネットワークデバイスがどのようにチャネル帯域幅上のCSIを測定するかを詳細に説明する。第1の周波数領域指示情報は、チャネル帯域幅の複数のリソースブロックの各々に対応する周波数領域測定識別子を含む。図3に示すように、ステップS220はさらに以下のステップを含むことができる。
【０１８８】
ステップS221において、第1のネットワークデバイスは、チャネル帯域幅の複数のリソースブロックの各々に対応する周波数領域測定識別子を取得する。
【０１８９】
周波数領域測定識別子は、第1の測定識別子と第2の測定識別子とを含む。
【０１９０】
本願のこの実施形態におけるこの方法は、前述の実施形態で使用されたbit mapping方法と等価である。詳細については、前述の実施形態を参照されたい。
【０１９１】
ステップS222において、第1のネットワークデバイスは、チャネル帯域幅内の周波数領域測定識別子が第1の測定識別子であるリソースブロック上の基準信号を測定する。
【０１９２】
チャネル帯域幅が複数のリソースブロックに分割された後に、測定する必要があるリソースブロックの周波数領域測定識別子は、対応して第1の測定識別子に設定され、測定する必要がないリソースブロックの周波数領域測定識別子は、対応して第2の測定識別子に設定されるので、第1のネットワークデバイスは、チャネル帯域幅内の周波数領域測定識別子が第1の測定識別子であるリソースブロックを測定する。
【０１９３】
本願で提供される別の実施形態では、図2の方法の改良として、第1のネットワークデバイスがどのようにチャネル帯域幅上のCSIを測定するかを詳細に説明する。第1の周波数領域指示情報は、測定対象リソースブロックの情報識別子を含む。図4に示すように、ステップS220はさらに以下のステップを含むことができる。
【０１９４】
ステップS223において、第1のネットワークデバイスは、測定対象リソースブロックの情報識別子を取得し、情報識別子は測定リソースの周波数領域位置を示すために使用される。
【０１９５】
ステップS224において、第1のネットワークデバイスは、周波数領域位置に対応するリソースブロック上の基準信号を測定する。
【０１９６】
本願のこの実施形態は、測定する必要があって、かつチャネル帯域幅の複数のリソースブロックであるリソースブロックの情報識別子を取得することと等価である。情報識別子は、測定する必要があるリソースブロックの周波数領域位置に対応することができるので、第1のネットワークデバイスが測定を行う。
【０１９７】
さらに、第1のネットワークデバイスは、取得したCSIを第2のネットワークデバイスに送信する。取得したCSIは以下を含む。
【０１９８】
第1のネットワークデバイスにより、複数のリソースブロック内のターゲットリソースブロックに対応するCSIを取得すること、または、第1のネットワークデバイスによって、複数のリソースブロック内のターゲットリソースブロックに対応するCSIを取得し、ターゲットリソースブロックに対応するCSIを予め設定された方法で処理し、処理結果をCSIとして使用することを含む。
【０１９９】
本願で提供される別の実施形態では、端末側および基地局側で前述の実施形態を実行するプロセスを詳細に説明するために、図5に示すように、CSI測定方法がさらに提供される。この方法は第2のネットワークデバイスに適用され、この方法は以下のステップを含むことができる。
【０２００】
ステップS510において、第2のネットワークデバイスは、第1の周波数領域指示情報を含むCSI構成情報を第1のネットワークデバイスに送信し、CSI構成情報は、CSI測定を実行するように第1のネットワークデバイスに指示するために使用され、第1の周波数領域指示情報は、第1のネットワークデバイスがCSI測定を実行する周波数領域位置を示すために使用され、その結果、第1のネットワークデバイスが、CSI構成情報に基づいて、第1の周波数領域指示情報によって示される周波数領域位置における基準信号を測定する。
【０２０１】
第1の周波数領域指示情報は、チャネル分割情報を含む。チャネル分割情報は、チャネル帯域幅を複数のリソースブロックに分割する方式を示すために使用される。
【０２０２】
第2のネットワークデバイスは、予め設定された分割方式で、第2のネットワークデバイスと第1のネットワークデバイスとの間のチャネル帯域幅を複数のリソースブロックに分割する。
【０２０３】
ここでの2つのチャネル帯域幅分割方式は、前述の実施形態における第1のチャネル帯域幅分割方式および第2のチャネル帯域幅分割方式と等価である。詳細な実施態様については、前述の実施形態を参照されたい。
【０２０４】
第1の周波数領域指示情報は、チャネル帯域幅の複数のリソースブロックの各々に対応する周波数領域測定識別子を含み、その結果、第1のネットワークデバイスは、周波数領域測定識別子に基づいてチャネル帯域幅のリソースブロックを測定する。あるいは、第1の周波数領域指示情報は、測定対象リソースブロックの情報識別子を含み、その結果、第1のネットワークデバイスが、情報識別子に基づいてチャネル帯域幅の対応するリソースブロックを測定する。
【０２０５】
さらに、第2のネットワークデバイスは、RRCまたは物理層シグナリングを使用することによって、第1の周波数領域指示情報を含むCSI構成情報を第1のネットワークデバイスに送信することができる。基準信号は、チャネル測定基準信号および／または干渉測定基準信号を含むことができる。
【０２０６】
ステップS520において、第2のネットワークデバイスは、第1のネットワークデバイスによって送信されたCSIを取得する。
【０２０７】
CSIは、複数のリソースブロックの中のターゲットリソースブロックに対応し、かつ第1のネットワークデバイスによって取得された測定結果であってもよく、あるいは、複数のリソースブロックのうちのターゲットリソースブロックに対応する測定結果を取得し、ターゲットリソースブロックに対応する測定結果を予め設定された方法で処理することによって、第1のネットワークデバイスによって取得された結果であってもよい。
【０２０８】
さらに、周波数領域測定識別子は、第1の測定識別子と第2の測定識別子とを含む。
【０２０９】
第1の測定識別子は、チャネル帯域幅内の周波数領域測定識別子が第1の測定識別子であるリソースブロックを測定するように第1のネットワークデバイスに指示するために使用される。
【０２１０】
第2の測定識別子は、チャネル帯域幅内の周波数領域測定識別子が第2の測定識別子であるリソースブロックを測定しないように第1のネットワークデバイスに指示するために使用される。
【０２１１】
本願において提供される別の実施形態では、図6に示すように、レートマッチング方法がさらに提供される。この方法は第1のネットワークデバイスに適用され、この方法は以下のステップを含むことができる。
【０２１２】
ステップS610において、第2のネットワークデバイスは、第2の周波数領域指示情報を含むレート構成情報を第1のネットワークデバイスに送信する。
【０２１３】
レート構成情報は、第1のネットワークデバイスにレートマッチングを実行するように指示するために使用され、第2の周波数領域指示情報は、第1のネットワークデバイスがレートマッチングを実行する周波数領域位置を指示するために使用される、ステップを含み、その結果、第1のネットワークデバイスは、レート構成情報に基づいて、第2の周波数領域指示情報に対応する周波数領域位置における基準信号のリソース位置を決定し、リソース位置に基づいて受信データに対してレートマッチングを実行する。
【０２１４】
第2の周波数領域指示情報は、チャネル分割情報を含む。チャネル分割情報は、チャネル帯域幅を複数のリソースブロックに分割する方式を示すために使用される。
【０２１５】
第1のネットワークデバイスは、予め設定された分割方式でチャネル帯域幅を複数のリソースブロックに分割する。あるいは、第1のネットワークデバイスは、無線リソース制御RRCまたは物理層シグナリングを使用することによって、第2の周波数領域指示情報を含み、かつ第2のネットワークデバイスによって送信されるレート構成情報を取得する。これは、前述の実施形態における第1のチャネル帯域幅分割方式および第2のチャネル帯域幅分割方式と等価である。
【０２１６】
ステップS620において、第1のネットワークデバイスは、レート構成情報に基づいて、第2の周波数領域指示情報に対応する周波数領域位置における基準信号のリソース位置を決定する。
【０２１７】
ステップS630において、第1のネットワークデバイスは、リソース位置に基づいて受信データに対してレートマッチングを実行する。
【０２１８】
本願において提供されるこの実施形態では、第1のネットワークデバイスは、チャネル帯域幅を複数のリソースブロックに分割し、次いで、測定対象リソースブロック上のデータに対してレートマッチングを実行することができる。
【０２１９】
図6の方法の改良として、本願において提供される別の実施形態では、図7に示すように、第2の周波数領域指示情報は、チャネル帯域幅の複数のリソースブロックの各々が1つのレートマッチング識別子に対応することを含む。ステップS620はさらに以下のステップを含むことができる。
【０２２０】
ステップS621において、第1のネットワークデバイスは、チャネル帯域幅の複数のリソースブロックの各々に対応するレートマッチング識別子を取得する。
【０２２１】
ステップS622において、第1のネットワークデバイスは、チャネル帯域幅内のレートマッチング識別子が第1のレートマッチング識別子であるリソースブロック上の基準信号のリソース位置を決定する。
【０２２２】
レートマッチング識別子は、第1のレートマッチング識別子と第2のレートマッチング識別子とを含む。
【０２２３】
チャネル帯域幅の複数のリソースブロックに対してレートマッチング識別子が設定することができる。例えば、レートマッチングを行うリソースブロックのレートマッチング識別子を第1のレートマッチング識別子に設定し、レートマッチングを行う必要がないリソースブロックのレートマッチング識別子を第2のレートマッチング識別子に設定する。
【０２２４】
図6の方法の改良として、本願において提供される別の実施形態では、図8に示すように、第2の周波数領域指示情報は、レートマッチングが実行されるリソースブロックの情報識別子を含む。ステップS620はさらに以下のステップを含むことができる。
【０２２５】
ステップS623において、第1のネットワークデバイスは、レートマッチングが実行されるリソースブロックの情報識別子を取得し、情報識別子は周波数領域位置を含む。
【０２２６】
ステップS624において、第1のネットワークデバイスは、周波数領域位置に対応するリソースブロック上の基準信号のリソース位置を決定する。
【０２２７】
本願のこの実施形態では、レートマッチングが実行されるリソースブロックの情報識別子が取得され、情報識別子内の周波数領域位置に対応するリソースブロック上のリソース位置が決定されるので、ネットワークデバイスは、リソースロケーション内のデータに対してレートマッチングを実行する。
【０２２８】
本願で提供される別の実施形態では、図9に示すように、レートマッチング方法がさらに提供される。この方法は第2のネットワークデバイスに適用され、この方法は以下のステップを含むことができる。
【０２２９】
ステップS910において、第2のネットワークデバイスはレート構成情報を決定する。
【０２３０】
レート構成情報は、第2の周波数領域指示情報を含む。レート構成情報は、第1のネットワークデバイスにレートマッチングを実行するように指示するために使用される。第2の周波数領域指示情報は、第1のネットワークデバイスがレートマッチングを実行する周波数領域位置を指示するために使用される。
【０２３１】
第2の周波数領域指示情報は、チャネル分割情報を含むことができる。チャネル分割情報は、チャネル帯域幅を複数のリソースブロックに分割するために使用される。
【０２３２】
チャネル帯域幅の複数のリソースブロックの各々は、1つのレートマッチング識別子に対応し、その結果、第1のネットワークデバイスは、レートマッチング識別子に基づいてチャネル帯域幅のリソースブロック上のデータに対してレートマッチングを実行する。
【０２３３】
さらに、第2の周波数領域指示情報は、レートマッチングが実行されるリソースブロックの情報識別子を含むことができ、それにより第1のネットワークデバイスは、その情報識別子に基づいてチャネル帯域幅の対応するリソースブロック上のデータに対してレートマッチングを実行する。
【０２３４】
ステップS920において、第2のネットワークデバイスは、第2の周波数領域指示情報を含むレート構成情報を第1のネットワークデバイスに送信し、第1のネットワークデバイスは、受信したレート構成情報に基づいてレートマッチングを実行する。
【０２３５】
具体的には、第2のネットワークデバイスは、RRCまたは物理層シグナリングを使用することによって、第2の周波数領域指示情報を含むレート構成情報を第1のネットワークデバイスに送信することができる。
【０２３６】
さらに、レートマッチング識別子は、第1の測定識別子と第2の測定識別子とを含む。第1の測定識別子は、チャネル帯域幅内のレートマッチング識別子が第1の測定識別子であるリソースブロック上のデータに対してレートマッチングを実行するように第1のネットワークデバイスに指示するために使用される。第2の測定識別子は、チャネル帯域幅内のレートマッチング識別子が第2の測定識別子であるリソースブロック上のデータに対してレートマッチングを実行しないように第1のネットワークデバイスに指示するために使用される。
【０２３７】
情報識別子は周波数領域位置を含む。情報識別子は、周波数領域位置に対応するリソースブロック上の基準信号のリソース位置を決定するように第1のネットワークデバイスに指示し、リソース位置に基づいて受信データに対してレートマッチングを実行するように第1のネットワークデバイスに指示するために使用される。
【０２３８】
本願で提供される別の実施形態では、チャネルのマルチパスフェージング、ドップラー特徴などのために、異なる周波数領域位置（またはサブバンド）に対するチャネル行列は異なる。基地局が協調インコヒーレントJT伝送を実行する場合、異なる周波数領域位置（またはサブバンド）に対するチャネルは異なる。したがって、プリコーディング行列が送信のために選択されるとき、異なる周波数領域位置に対するプリコーディング行列もまた異なり、異なる周波数領域位置（またはサブバンド）におけるフロー間（またはレイヤ間、またはコードワード間）干渉は異なる。
【０２３９】
関連技術では、干渉測定において、全帯域幅で干渉を平均することにより干渉結果が得られる。この場合、干渉測定は不正確である。
【０２４０】
協調伝送では、端末がCSI測定においてフロー間（またはレイヤ間、またはコードワード間）干渉下で正確なチャネル状態情報を取得できるようにするために、周波数領域制限干渉測定またはサブバンド干渉測定を考慮する必要がある。
【０２４１】
本願の実施形態において提供される干渉測定方法は、以下の具体的な実施態様を含むことができる。
【０２４２】
方法1：図10に示すように、本願において提供される実施形態において、本願のこの実施形態において提供される干渉測定方法は、以下のステップを含むことができる。
【０２４３】
ステップS1001：端末が基地局から第1の情報を受信し、第1の情報はCSI干渉測定の周波数領域情報を含み、CSI干渉測定の周波数領域情報とCSIチャネル測定の周波数領域情報との間には対応関係がある。
【０２４４】
チャネル測定の周波数領域情報は、チャネル測定に関連する情報の周波数領域情報であってもよい。例えば、チャネル測定に関する情報は、以下のチャネル測定情報のうちの少なくとも1つであってもよい。RI（Rank Indication、ランク表示）、PMI（Precoding Matrix Indicator、プリコーディングマトリクスインジケータ）、CQI、およびCRI（CSI−RS Resource Indicator、チャネル状態情報−基準信号リソースインジケータ）。
【０２４５】
干渉測定の周波数領域情報は、干渉測定に関連する情報の周波数領域情報であってもよい。例えば、干渉測定に関する情報は、以下の干渉測定情報のうちの少なくとも1つであってもよい。RI（Rank Indication、ランク表示）、PMI（Precoding Matrix Indicator、プリコーディングマトリクスインジケータ）、CQI、およびCRI（CSI−RS Resource Indicator、チャネル状態情報−基準信号リソースインジケータ）。
【０２４６】
第1の情報は、CSI構成情報であってもよい。例えば、LTEシステムでは、CSI構成情報は、CSI報告構成情報および基準信号構成情報のうちの少なくとも一方を含むことができる。NR（5Gシステム）では、CSI構成情報は、基準信号設定（RS setting）構成情報、CSI報告設定（CSI reporting setting）構成情報、およびCSI測定設定（CSI measurement setting）構成情報のうちの少なくとも1つを含むことができる。
【０２４７】
これに基づいて、例えば、CSI干渉測定の周波数領域情報は、前述の情報のうちの少なくとも1つ、または同様の機能を有する任意の情報の中で搬送することができる。
【０２４８】
CSI干渉測定の周波数領域情報の具体的な表現形式は以下の通りであってもよい。
CSI報告構成情報またはCSI報告設定構成情報におけるCSI干渉報告モード、ここで、CSI干渉報告モードはCSI干渉測定の周波数領域情報を示し、基準信号構成情報における、CSI干渉測定基準信号の周波数領域情報、基準信号設定構成情報における、CSI干渉測定基準信号の周波数領域情報、およびCSI測定設定構成情報における周波数領域情報。
【０２４９】
一例として、CSI干渉報告モードが使用される。例えば、基地局によって構成することができるCSI干渉報告モードは、サブバンドCSI干渉報告モード、部分帯域CSI干渉報告モード、広帯域CSI干渉報告モードなどを含む。基地局は構成されたCSI干渉報告モードを端末に送信する。CSI干渉報告モードを受信した後に、端末は、CSI干渉報告モードに基づいてCSI干渉測定の周波数領域情報を決定し、さらにCSI干渉測定を実行することができる。
【０２５０】
具体的には、CSI干渉報告モードはCSI干渉測定の周波数領域情報を示すので、端末は、CSI干渉報告モードに基づいてCSI干渉測定の周波数領域情報を決定することができる。
【０２５１】
別の例では、干渉測定の周波数領域情報は、代替として、CSI干渉測定基準信号の周波数領域情報によって示されてもよい。
【０２５２】
表示方法の詳細については、前述の実施形態の表示方法を参照されたい。
【０２５３】
さらに、CSI干渉報告モードは、周期的、非周期的、および半永続的CSI干渉報告モードなどを含むことができる。例えば、周期的CSI干渉報告モード（表3が例として使用される）の場合、基地局は、端末によってCQIおよびPMIを受信するための干渉報告タイプを構成することができる。例えば、モード1−0は広帯域CQI（wideband CQI）を示し、PMIは報告されない。モード1−1は、広帯域CQIと広帯域PMIを示す。モード2−0はサブバンドCQIを示し、PMIは報告されない。モード2−1は、サブバンドCQIとサブバンドPMIを示す。他の報告タイプは制限されていない。さらに、広帯域RIまたはサブバンドRIなどの報告タイプもRIに対して構成することができる。
【０２５４】
周期的CSI干渉報告モードを受信した後に、端末は、CSI干渉報告モードに基づいてCSI干渉測定の周波数領域情報を決定し、さらにCSI干渉測定を実行することができる。
【０２５５】
【表４】
2019530370.tif 000059
【０２５６】
確かに、CSI干渉測定の周波数領域情報はまた、表2から表4の表現形式を使用することによって示すことができる。前述の実施態様では、CSI干渉測定の周波数領域情報とCSIチャネル測定の周波数領域情報との間に対応関係があり得る。この対応関係は、チャネル測定の1つまたは複数の種類の周波数領域情報が干渉測定の1つまたは複数の種類の周波数領域情報に対応することであってもよい。周波数領域情報の複数の種類がある場合には、周波数領域情報が示す一組の周波数領域帯域幅を用いてもよいし、最大または最小の周波数領域帯域幅を用いてもよい。チャネル測定対象は、RI、PMI、CQI、CRIなどであってもよい。干渉測定対象は、前述のチャネル測定対象のうちの1つまたは複数であってもよい。
【０２５７】
基地局による構成の観点から、基地局は、特定の対応関係に基づいて、CSI干渉測定の周波数領域情報とCSIチャネル測定の周波数領域情報とを構成することができる。例えば、チャネル測定は、サブバンド報告情報またはワイドバンド報告情報を使用することによって実行することができる。チャネル測定の周波数領域情報がサブバンド報告情報である場合には、干渉測定もサブバンド報告情報を用いて行われる。広帯域報告情報を用いてチャネル測定が行われる場合には、広帯域報告情報を用いて干渉測定も行われる。このようにして、干渉測定の周波数領域情報はチャネル測定の周波数領域情報と同じである。周波数領域情報は、周波数領域位置（特定の帯域幅に対応する）を示してもよいことに留意されたい。
【０２５８】
確かに、干渉測定の周波数領域情報は、代替として、チャネル測定の周波数領域情報とは異なってもよい。以下のような場合があり得る。
【０２５９】
（1）干渉測定の周波数領域位置は、チャネル測定の周波数領域位置よりも大きい。
【０２６０】
（2）干渉測定の周波数領域位置は、チャネル測定の周波数領域位置と部分的に重なる。この場合、干渉測定の周波数領域位置は、チャネル測定の周波数領域位置と部分的に同じである。
【０２６１】
（3）干渉測定の周波数領域位置は、チャネル測定の周波数領域位置と完全に重ならない。この場合、干渉測定の周波数領域位置は、チャネル測定の周波数領域位置とは完全に異なる。
【０２６２】
さらに、第1の情報がCSI構成情報である場合、CSI構成情報は、CSI干渉測定の周波数領域情報および／またはCSIチャネル測定の周波数領域情報を含むことができる。CSIチャネル測定の周波数領域情報および／またはCSI干渉測定の周波数領域情報は、全帯域幅の複数のサブセットであるか、または全帯域幅の1つのサブセットである。
【０２６３】
全帯域幅のサブセットはN個のリソースユニットを含む。Nは1以上であり、全帯域幅のリソースユニットの総数よりも少ない。リソースユニットはリソースブロック（Resource Block、RB）であってもよい。リソースブロック（Resource Block、RB）は、既存のLTE技術におけるリソースユニット（リソース粒度）である。5G以降のプロトコルでは、リソースユニットはRBに基づいて定義されなくてもよい。リソースユニットまたはリソース粒度は、他の方法で指定されてもよく、例えば、（サブキャリア間隔または巡回シフト長などの）フレーム構造パラメータに関連付けられてもよい。これは本明細書に限定されない。
【０２６４】
全帯域幅のサブセットはまたサブバンドによって表されてもよく、言い換えれば、全帯域幅のサブセットはM個のサブバンドを含む。Mは1以上であり、全帯域幅のサブバンドの総数よりも小さい。
【０２６５】
具体的には、サブバンドは以下のように定義することができる。
【０２６６】
（1）サブバンドサイズは、1つのRBの粒度に基づく。
【０２６７】
（2）サブバンドサイズは、2つのRBの粒度に基づく。
【０２６８】
（3）サブバンドサイズは、P個のRBの粒度、すなわち既存のRBG（Resource Block Group、リソースブロックグループ）サイズに基づく。表5に示すように、Pは2以上の整数である。
【０２６９】
【表５】
2019530370.tif 000060
【０２７０】
（4）サブバンドサイズは、粒度K、すなわち既存のCSI測定Subband Size（subband size）に基づく。表6に示すように、Kは正の整数である。
【０２７１】
【表６】
2019530370.tif 000061
【０２７２】
あるいは、別のサブバンド定義があってもよい。これは本明細書に限定されない。
【０２７３】
ステップS1002：端末は、CSI干渉測定の周波数領域情報に基づいて、CSI干渉測定の周波数領域情報に対応する周波数領域CSI干渉測定リソースを測定する。
【０２７４】
具体的には、基準信号は、チャネル測定基準信号および／または干渉測定基準信号を含むことができる。チャネル測定基準信号は、チャネルを測定するために端末によって使用され、干渉測定基準信号は、干渉を測定するために端末によって使用される。CSI測定プロセスでは、端末は、チャネル測定の周波数領域情報に基づいてチャネルを測定し、干渉測定の周波数領域情報に基づいて干渉を測定することができる。
【０２７５】
本願のこの実施形態では、端末によって、対応する周波数領域位置におけるCSI干渉測定リソースを測定することは、周波数領域位置において干渉測定基準信号を測定することである。
【０２７６】
したがって、端末はCSI干渉測定結果を取得することができる。さらに、端末は、チャネル測定の周波数領域情報に基づいてチャネルを測定して、CSIチャネル測定結果を取得することができ、CSIチャネル測定の測定結果とCSI干渉測定の測定結果の両方に基づいてCSIを取得することができる。
【０２７７】
さらに、干渉測定基準信号は、NZP CSI−RS（Non−Zero Power Channel State Information−Reference Signal、非ゼロ電力チャネル状態情報基準信号）およびZP CSI−RS（Zero Power Channel State Information−Reference Signal、ゼロ電力チャネル状態情報基準信号）を含むことができる。
【０２７８】
基地局による構成の観点から、CSI干渉測定の周波数領域情報とCSIチャネル測定の周波数領域情報との間には対応関係がある。この対応関係は予め定義されても予め構成されてもよく、この定義または構成は基地局側と端末側の両方に知られている必要がある。異なるCSI−RSリソースに対して、本願のこの実施形態はさらに、前述の対応関係のために複数の任意選択の実施態様を提供する。例を以下に示す。
【０２７９】
（1）NZP CSI−RSリソースとZP CSI−RSリソースがある場合、NZP CSI−RSリソースに基づいて干渉を測定する際に使用される周波数領域情報のみが決定される。干渉がZP CSI−RSリソースに基づいて測定される場合、全帯域幅測定方法が依然として使用される。すなわち、NZP CSI−RSリソースに基づいて干渉が測定される場合には、前述の対応関係が用いられる。
【０２８０】
ZP CSI−RSリソースが干渉測定に使用される場合、干渉電力のみが測定される。その結果、測定結果はあまり正確ではない。さらに、異なる周波数領域位置間の差はそれほど大きくはない。したがって、全帯域幅の平均化によって精度が向上することがあり得る。NZP CSI−RSリソースが干渉測定に使用される場合、チャネル行列情報が具体的に取得されてもよく、またはプリコーディング行列情報がさらに取得されてもよい。したがって、正確な測定を行うことができる。加えて、異なる周波数領域位置における測定結果間の差は比較的大きい可能性がある。結果として、全帯域幅平均化方法は不正確な干渉測定をまねく可能性がある。したがって、NZP CSI−RSリソースに対する干渉測定の周波数領域情報は、チャネル測定の周波数領域情報に基づいて決定されてもよい。これにより、シグナリングのオーバーヘッドが減少し、CSI測定の精度も向上する。
【０２８１】
（2）ZP CSI−RSリソースがあり、NZP CSI−RSリソースがない場合、ZP CSI−RSリソースに基づいて干渉を測定する際に使用される周波数領域情報が決定される。すなわち、ZP CSI−RSリソースに基づいて干渉を測定する場合には、前述の対応関係が用いられる。
【０２８２】
例えば、干渉測定リソースは、ZP CSI−RSリソースのみを含む。
【０２８３】
CS／CBシナリオでは、特定のデータスケジューリング中に、隣接セルは、異なるプリコーディング行列／ビームを使用することによって異なる周波数帯域でデータを送信することができる。隣接セルにおけるデータ伝送のための異なるプリコーディング行列／ビームは、端末に対して異なる程度の干渉を引き起こす。例えば、異なるプリコーディング行列／ビームは、異なる場所では異なる信号エネルギー強度を生じさせ、さらに異なる周波数領域位置では異なる程度の干渉を引き起こす。したがって、ZP CSI−RSリソースが干渉測定に使用される場合、周波数領域情報は、チャネル測定の周波数領域情報に基づいて決定されてもよい。周波数領域情報内のチャネル状態情報が対応して取得され、チャネル状態情報測定の精度を向上させる。
【０２８４】
（3）NZP CSI−RSリソースとZP CSI−RSリソースがある場合、NZP CSI−RSリソースに基づいて干渉を測定する際に使用される周波数領域情報が決定され、またZP CSI−RSリソースに基づいて干渉を測定する際に使用される周波数領域情報も決定される。すなわち、NZP CSI−RSリソースとZP CSI−RSリソースで干渉が測定される場合、前述の対応関係が用いられる。
【０２８５】
NZP CSI−RSリソースに関する異なる周波数領域情報が異なる干渉状態に対応し、かつ、ZP CSI−RSリソースに関する異なる周波数領域情報が異なる干渉状態に対応する場合には、NZP CSI−RSリソースが干渉測定に使用される際に、周波数領域情報は、チャネル測定の周波数領域情報に基づいて決定することができ、あるいは、ZP CSI−RSリソースが干渉測定に使用される際に、周波数領域情報はまた、チャネル測定の周波数領域情報に基づいて決定することができる。周波数領域情報内のチャネル状態情報が対応して取得され、チャネル状態情報測定の精度を向上させる。
【０２８６】
（4）NZP CSI−RSリソースとZP CSI−RSリソースがある場合、ZP CSI−RSリソースに基づいて干渉を測定する際に使用される周波数領域情報のみが決定される。干渉がNZP CSI−RSリソースに基づいて測定される場合、全帯域幅測定方法が依然として使用される。
【０２８７】
さらに、NZP CSI−RSリソースは、Class AのCSI−RSリソースまたはClass BのCSI−RSリソースであってもよい。
【０２８８】
方法2：図11に示すように、基地局側での実行プロセスとして、本願で提供される別の実施形態では、本願のこの実施形態で提供される干渉測定方法は、以下のステップを含むことができる。
【０２８９】
ステップS2001：基地局がCSI干渉測定の周波数領域情報を決定し、CSI干渉測定の周波数領域情報とCSIチャネル測定の周波数領域情報との間には対応関係がある。
【０２９０】
前述の実施態様では、CSI干渉測定の周波数領域情報とCSIチャネル測定の周波数領域情報との間に対応関係があり得る。この対応関係は、チャネル測定の1つまたは複数の種類の周波数領域情報が干渉測定の1つまたは複数の種類の周波数領域情報に対応することであってもよい。周波数領域情報の複数の種類がある場合には、周波数領域情報が示す一組の周波数領域帯域幅を用いてもよいし、最大または最小の周波数領域帯域幅を用いてもよい。チャネル測定対象は、RI、PMI、CQI、CRIなどであってもよい。干渉測定対象は、前述のチャネル測定対象のうちの1つまたは複数であってもよい。
【０２９１】
基地局による構成の観点から、基地局は、特定の対応関係に基づいて、CSI干渉測定の周波数領域情報とCSIチャネル測定の周波数領域情報とを構成することができる。例えば、チャネル測定は、サブバンド報告情報またはワイドバンド報告情報を使用することによって実行することができる。チャネル測定の周波数領域情報がサブバンド報告情報である場合には、干渉測定もサブバンド報告情報を用いて行われる。広帯域報告情報を用いてチャネル測定が行われる場合には、広帯域報告情報を用いて干渉測定も行われる。このようにして、干渉測定の周波数領域情報はチャネル測定の周波数領域情報と同じである。周波数領域情報は、周波数領域位置（特定の帯域幅に対応する）を示してもよいことに留意されたい。
【０２９２】
確かに、干渉測定の周波数領域情報は、代替として、チャネル測定の周波数領域情報とは異なってもよい。以下のような場合があり得る。
【０２９３】
（1）干渉測定の周波数領域位置は、チャネル測定の周波数領域位置よりも大きい。
【０２９４】
（2）干渉測定の周波数領域位置は、チャネル測定の周波数領域位置と部分的に重なる。この場合、干渉測定の周波数領域位置は、チャネル測定の周波数領域位置と部分的に同じである。
【０２９５】
（3）干渉測定の周波数領域位置は、チャネル測定の周波数領域位置と完全に重ならない。この場合、干渉測定の周波数領域位置は、チャネル測定の周波数領域位置とは完全に異なる。
【０２９６】
ステップS2002：基地局が第1の情報を端末に送信し、CSI干渉測定の周波数領域情報とCSIチャネル測定の周波数領域情報との間には対応関係がある。
【０２９７】
さらに、第1の情報がCSI構成情報である場合、CSI構成情報は、CSI干渉測定の周波数領域情報および／またはCSIチャネル測定の周波数領域情報を含むことができる。CSIチャネル測定の周波数領域情報および／またはCSI干渉測定の周波数領域情報は、全帯域幅の複数のサブセットであるか、または全帯域幅の1つのサブセットである。
【０２９８】
全帯域幅のサブセットはN個のリソースユニットを含む。Nは1以上であり、全帯域幅のリソースユニットの総数よりも少ない。リソースユニットはリソースブロック（Resource Block、RB）であってもよい。リソースブロック（Resource Block、RB）は、既存のLTE技術におけるリソースユニット（リソース粒度）である。5G以降のプロトコルでは、リソースユニットはRBに基づいて定義されなくてもよい。リソースユニットまたはリソース粒度は、他の方法で指定されてもよく、例えば、（サブキャリア間隔または巡回シフト長などの）フレーム構造パラメータに関連付けられてもよい。これは本明細書に限定されない。
【０２９９】
全帯域幅のサブセットはまたサブバンドによって表されてもよく、言い換えれば、全帯域幅のサブセットはM個のサブバンドを含む。Mは1以上であり、全帯域幅のサブバンドの総数よりも小さい。
【０３００】
具体的には、サブバンドは以下のように定義することができる。
【０３０１】
（1）サブバンドサイズは、1つのRBの粒度に基づく。
【０３０２】
（2）サブバンドサイズは、2つのRBの粒度に基づく。
【０３０３】
（3）サブバンドサイズは、P個のRBの粒度、すなわち既存のRBG（Resource Block Group、リソースブロックグループ）サイズに基づく。表7に示すように、Pは2以上の整数である。
【０３０４】
【表７】
2019530370.tif 000062
【０３０５】
（4）サブバンドサイズは、粒度K、すなわち既存のCSI測定Subband Size（subband size）に基づく。表8に示すように、Kは正の整数である。
【０３０６】
【表８】
2019530370.tif 000063
【０３０７】
あるいは、別のサブバンド定義があってもよい。これは本明細書に限定されない。
【０３０８】
具体的には、基準信号は、チャネル測定基準信号および／または干渉測定基準信号を含むことができる。チャネル測定基準信号は、チャネルを測定するために端末によって使用され、干渉測定基準信号は、干渉を測定するために端末によって使用される。CSI測定プロセスでは、端末は、チャネル測定の周波数領域情報に基づいてチャネルを測定し、干渉測定の周波数領域情報に基づいて干渉を測定することができる。
【０３０９】
さらに、干渉測定基準信号は、NZP CSI−RS（Non−Zero Power Channel State Information−Reference Signal、非ゼロ電力チャネル状態情報基準信号）およびZP CSI−RS（Zero Power Channel State Information−Reference Signal、ゼロ電力チャネル状態情報基準信号）を含むことができる。
【０３１０】
基地局による構成の観点から、CSI干渉測定の周波数領域情報とCSIチャネル測定の周波数領域情報との間には対応関係がある。この対応関係は予め定義されても予め構成されてもよく、この定義または構成は基地局側と端末側の両方に知られている必要がある。異なるCSI−RSリソースに対して、本願のこの実施形態はさらに、前述の対応関係のために複数の任意選択の実施態様を提供する。例を以下に示す。
【０３１１】
（1）NZP CSI−RSリソースとZP CSI−RSリソースがある場合、NZP CSI−RSリソースに基づいて干渉を測定する際に使用される周波数領域情報のみが決定される。干渉がZP CSI−RSリソースに基づいて測定される場合、全帯域幅測定方法が依然として使用される。すなわち、NZP CSI−RSリソースに基づいて干渉が測定される場合には、前述の対応関係が用いられる。
【０３１２】
ZP CSI−RSリソースが干渉測定に使用される場合、干渉電力のみが測定される。その結果、測定結果はあまり正確ではない。さらに、異なる周波数領域位置間の差はそれほど大きくはない。したがって、全帯域幅の平均化によって精度が向上することがあり得る。NZP CSI−RSリソースが干渉測定に使用される場合、チャネル行列情報が具体的に取得されてもよく、またはプリコーディング行列情報がさらに取得されてもよい。したがって、正確な測定を行うことができる。加えて、異なる周波数領域位置における測定結果間の差は比較的大きい可能性がある。結果として、全帯域幅平均化方法は不正確な干渉測定をまねく可能性がある。したがって、NZP CSI−RSリソースに対する干渉測定の周波数領域情報は、チャネル測定の周波数領域情報に基づいて決定されてもよい。これにより、シグナリングのオーバーヘッドが減少し、CSI測定の精度も向上する。
【０３１３】
（2）ZP CSI−RSリソースがあり、NZP CSI−RSリソースがない場合、ZP CSI−RSリソースに基づいて干渉を測定する際に使用される周波数領域情報が決定される。すなわち、ZP CSI−RSリソースに基づいて干渉を測定する場合には、前述の対応関係が用いられる。
【０３１４】
例えば、干渉測定リソースは、ZP CSI−RSリソースのみを含む。
【０３１５】
CS／CBシナリオでは、特定のデータスケジューリング中に、隣接セルは、異なるプリコーディング行列／ビームを使用することによって異なる周波数帯域でデータを送信することができる。隣接セルにおけるデータ伝送のための異なるプリコーディング行列／ビームは、端末に対して異なる程度の干渉を引き起こす。例えば、異なるプリコーディング行列／ビームは、異なる場所では異なる信号エネルギー強度を生じさせ、さらに異なる周波数領域位置では異なる程度の干渉を引き起こす。したがって、ZP CSI−RSリソースが干渉測定に使用される場合、周波数領域情報は、チャネル測定の周波数領域情報に基づいて決定されてもよい。周波数領域情報内のチャネル状態情報が対応して取得され、チャネル状態情報測定の精度を向上させる。
【０３１６】
（3）NZP CSI−RSリソースとZP CSI−RSリソースがある場合、NZP CSI−RSリソースに基づいて干渉を測定する際に使用される周波数領域情報が決定され、またZP CSI−RSリソースに基づいて干渉を測定する際に使用される周波数領域情報も決定される。すなわち、NZP CSI−RSリソースとZP CSI−RSリソースで干渉が測定される場合、前述の対応関係が用いられる。
【０３１７】
NZP CSI−RSリソースに関する異なる周波数領域情報が異なる干渉状態に対応し、かつ、ZP CSI−RSリソースに関する異なる周波数領域情報が異なる干渉状態に対応する場合には、NZP CSI−RSリソースが干渉測定に使用される際に、周波数領域情報は、チャネル測定の周波数領域情報に基づいて決定することができ、あるいは、ZP CSI−RSリソースが干渉測定に使用される際に、周波数領域情報はまた、チャネル測定の周波数領域情報に基づいて決定することができる。周波数領域情報内のチャネル状態情報が対応して取得され、チャネル状態情報測定の精度を向上させる。
【０３１８】
（4）NZP CSI−RSリソースとZP CSI−RSリソースがある場合、ZP CSI−RSリソースに基づいて干渉を測定する際に使用される周波数領域情報のみが決定される。干渉がNZP CSI−RSリソースに基づいて測定される場合、全帯域幅測定方法が依然として使用される。
【０３１９】
さらに、NZP CSI−RSリソースは、Class AのCSI−RSリソースまたはClass BのCSI−RSリソースであってもよい。
【０３２０】
本願のこの実施形態では、基地局はチャネル測定の周波数領域情報に基づいて干渉測定の周波数領域情報を決定することができ、あるいは、チャネル測定の周波数領域情報と干渉測定の周波数領域情報とを同時に決定することができることに留意されたい。本願のこの実施形態はこれに限定されない。
【０３２１】
方法3：図12に示すように、本願において提供される別の実施形態において、本願のこの実施形態において提供される干渉測定方法は、以下のステップを含むことができる。
【０３２２】
ステップS3001：端末が基地局から第2の情報を受信し、第2の情報はCSIチャネル測定の周波数領域情報を含み、CSI干渉測定の周波数領域情報とCSIチャネル測定の周波数領域情報との間には対応関係がある。
【０３２３】
ステップS3002：端末は、CSIチャネル測定の周波数領域情報に基づいてCSI干渉測定の周波数領域情報を決定し、CSI干渉測定の周波数領域情報に対応する周波数領域位置においてCSI干渉測定リソース上の干渉を測定する。
【０３２４】
チャネル測定の周波数領域情報は、チャネル測定に関連する情報の周波数領域情報であってもよい。例えば、チャネル測定に関する情報は、以下のチャネル測定情報のうちの少なくとも1つであってもよい。RI（Rank Indication、ランク表示）、PMI（Precoding Matrix Indicator、プリコーディングマトリクスインジケータ）、CQI、およびCRI（CSI−RS Resource Indicator、チャネル状態情報−基準信号リソースインジケータ）。
【０３２５】
干渉測定の周波数領域情報は、干渉測定に関連する情報の周波数領域情報であってもよい。例えば、干渉測定に関する情報は、以下の干渉測定情報のうちの少なくとも1つであってもよい。RI（Rank Indication、ランク表示）、PMI（Precoding Matrix Indicator、プリコーディングマトリクスインジケータ）、CQI、およびCRI（CSI−RS Resource Indicator、チャネル状態情報−基準信号リソースインジケータ）。
【０３２６】
前述の実施態様では、CSI干渉測定の周波数領域情報とCSIチャネル測定の周波数領域情報との間に対応関係があり得る。この対応関係は、チャネル測定の1つまたは複数の種類の周波数領域情報が干渉測定の1つまたは複数の種類の周波数領域情報に対応することであってもよい。周波数領域情報の複数の種類がある場合には、周波数領域情報が示す一組の周波数領域帯域幅を用いてもよいし、最大または最小の周波数領域帯域幅を用いてもよい。チャネル測定対象は、RI、PMI、CQI、CRIなどであってもよい。干渉測定対象は、前述のチャネル測定対象のうちの1つまたは複数であってもよい。
【０３２７】
基地局による構成の観点から、基地局は、特定の対応関係に基づいて、CSI干渉測定の周波数領域情報とCSIチャネル測定の周波数領域情報とを構成することができる。例えば、チャネル測定は、サブバンド報告情報またはワイドバンド報告情報を使用することによって実行することができる。チャネル測定の周波数領域情報がサブバンド報告情報である場合には、干渉測定もサブバンド報告情報を用いて行われる。広帯域報告情報を用いてチャネル測定が行われる場合には、広帯域報告情報を用いて干渉測定も行われる。このようにして、干渉測定の周波数領域情報はチャネル測定の周波数領域情報と同じである。周波数領域情報は、周波数領域位置（特定の帯域幅に対応する）を示してもよいことに留意されたい。
【０３２８】
確かに、干渉測定の周波数領域情報は、代替として、チャネル測定の周波数領域情報とは異なってもよい。以下のような場合があり得る。
【０３２９】
（1）干渉測定の周波数領域位置は、チャネル測定の周波数領域位置よりも大きい。
【０３３０】
（2）干渉測定の周波数領域位置は、チャネル測定の周波数領域位置と部分的に重なる。この場合、干渉測定の周波数領域位置は、チャネル測定の周波数領域位置と部分的に同じである。
【０３３１】
（3）干渉測定の周波数領域位置は、チャネル測定の周波数領域位置と完全に重ならない。この場合、干渉測定の周波数領域位置は、チャネル測定の周波数領域位置とは完全に異なる。
【０３３２】
第1の情報は、CSI構成情報であってもよい。例えば、LTEシステムでは、CSI構成情報は、CSI報告構成情報および基準信号構成情報のうちの少なくとも一方を含むことができる。NR（5Gシステム）では、CSI構成情報は、基準信号設定（RS setting）構成情報、CSI報告設定（CSI reporting setting）構成情報、およびCSI測定設定（CSI measurement setting）構成情報のうちの少なくとも1つを含むことができる。
【０３３３】
これに基づいて、例えば、CSIチャネル測定の周波数領域情報は、前述の情報のうちの少なくとも1つ、または同様の機能を有する任意の情報の中で搬送することができる。
【０３３４】
CSIチャネル測定の周波数領域情報の具体的な表現形式は以下の通りであってもよい。
CSI報告構成情報またはCSI報告設定構成情報におけるCSI報告モード、ここで、CSI干渉報告モードはCSIチャネル測定の周波数領域情報を示し、基準信号構成情報における、CSIチャネル測定基準信号の周波数領域情報、基準信号設定構成情報における、CSIチャネル測定基準信号の周波数領域情報、および4．CSI測定設定構成情報における周波数領域情報。
【０３３５】
例としてCSI報告モードが使用される。例えば、基地局によって構成することができるCSI報告モードは、サブバンドCSI報告モード、部分帯域CSI報告モード、広帯域CSI報告モードなどを含む。基地局は、構成されたCSI報告モードを端末に送信する。CSI報告モードを受信した後に、端末は、CSI報告モードに基づいてCSIチャネル測定の周波数領域情報を決定し、さらにCSIチャネル測定を実行することができる。
【０３３６】
具体的には、CSI報告モードはCSIチャネル測定の周波数領域情報を示すので、端末は、CSI干渉測定の周波数領域情報とCSIチャネル測定の周波数領域情報との間の対応関係に基づいて干渉測定の周波数領域情報を決定することができる。
別の例では、CSIチャネル測定基準信号の周波数領域情報が代わりに使用されてもよい。表示方法の詳細については、前述の実施形態の表示方法を参照されたい。
【０３３７】
さらに、CSI報告モードは、周期的、非周期的、および半永続的CSI報告モードなどを含むことができる。例えば、周期的CSI報告モード（表9が例として使用される）の場合、基地局は端末によってCQIおよびPMIを受信するための報告タイプを構成することができる。例えば、モード1−0は広帯域CQI（wideband CQI）を示し、PMIは報告されない。モード1−1は、広帯域CQIと広帯域PMIを示す。モード2−0はサブバンドCQIを示し、PMIは報告されない。モード2−1は、サブバンドCQIとサブバンドPMIを示す。他の報告タイプは制限されていない。さらに、広帯域RIまたはサブバンドRIなどの報告タイプもRIに対して構成することができる。
【０３３８】
周期的CSI干渉報告モードを受信した後に、端末は、CSI報告モードに基づいてCSIチャネル測定の周波数領域情報を決定し、さらにCSI干渉測定を実行することができる。
【０３３９】
【表９】
2019530370.tif 000064
【０３４０】
確かに、CSIチャネル測定の周波数領域情報はまた、表2から表4の表現形式を使用することによって示すことができる。端末は、チャネル測定の周波数領域情報と干渉測定の周波数領域情報との間の対応関係に基づいて、CSI干渉測定の周波数領域情報を決定する。
【０３４１】
さらに、第2の情報がCSI構成情報である場合、CSI構成情報は、CSIチャネル測定の周波数領域情報を含むことができる。CSIチャネル測定の周波数領域情報は全帯域幅のサブセットである。
【０３４２】
全帯域幅のサブセットはN個のリソースユニットを含む。Nは1以上であり、全帯域幅のリソースユニットの総数よりも少ない。リソースユニットはリソースブロック（Resource Block、RB）であってもよい。リソースブロック（Resource Block、RB）は、既存のLTE技術におけるリソースユニット（リソース粒度）である。5G以降のプロトコルでは、リソースユニットはRBに基づいて定義されなくてもよい。リソースユニットまたはリソース粒度は、他の方法で指定されてもよく、例えば、（サブキャリア間隔または巡回シフト長などの）フレーム構造パラメータに関連付けられてもよい。これは本明細書に限定されない。
【０３４３】
全帯域幅のサブセットはまたサブバンドによって表されてもよく、言い換えれば、全帯域幅のサブセットはM個のサブバンドを含む。Mは1以上であり、全帯域幅のサブバンドの総数よりも小さい。
【０３４４】
具体的には、サブバンドは以下のように定義することができる。
【０３４５】
（1）サブバンドサイズは、1つのRBの粒度に基づく。
【０３４６】
（2）サブバンドサイズは、2つのRBの粒度に基づく。
【０３４７】
（3）サブバンドサイズは、P個のRBの粒度、すなわち既存のRBG（Resource Block Group、リソースブロックグループ）サイズに基づく。表10に示すように、Pは2以上の整数である。
【０３４８】
【表１０】
2019530370.tif 000065
【０３４９】
（4）サブバンドサイズは、粒度K、すなわち既存のCSI測定Subband Size（subband size）に基づく。表11に示すように、Kは正の整数である。
【０３５０】
【表１１】
2019530370.tif 000066
【０３５１】
あるいは、別のサブバンド定義があってもよい。これは本明細書に限定されない。
【０３５２】
CSIチャネル測定の周波数領域情報は、3つの方法でCSI干渉測定の周波数領域情報に対応する。前述の実施形態を参照されたい。したがって、ここでは詳細については再度の説明を省略する。
【０３５３】
具体的には、基準信号は、チャネル測定基準信号および／または干渉測定基準信号を含むことができる。チャネル測定基準信号は、チャネルを測定するために端末によって使用され、干渉測定基準信号は、干渉を測定するために端末によって使用される。CSI測定プロセスでは、端末は、チャネル測定の周波数領域情報に基づいてチャネルを測定し、干渉測定の周波数領域情報に基づいて干渉を測定することができる。
【０３５４】
本願のこの実施形態では、端末によって、対応する周波数領域位置におけるCSI干渉測定リソースを測定することは、周波数領域位置において干渉測定基準信号を測定することである。
【０３５５】
端末は、CSI干渉測定結果を取得することができる。さらに、端末は、チャネル測定の周波数領域情報に基づいてチャネルを測定して、CSIチャネル測定結果を取得することができ、CSIチャネル測定の測定結果とCSI干渉測定の測定結果の両方に基づいてCSIを取得することができる。
【０３５６】
さらに、任意選択で、端末はCSIを基地局に送信することができる。
【０３５７】
方法4：図13に示すように、本願において提供される別の実施形態において、この実施形態において提供される干渉測定方法は以下のステップを含むことができる。
【０３５８】
ステップS4001：基地局がCSIチャネル測定の周波数領域情報を決定する。
【０３５９】
ステップS4002：基地局が第2の情報を端末に送信し、第2の情報はCSIチャネル測定の周波数領域情報を含み、CSI干渉測定の周波数領域情報とCSIチャネル測定の周波数領域情報との間には対応関係がある。
【０３６０】
チャネル測定の周波数領域情報は、チャネル測定に関連する情報の周波数領域情報であってもよい。例えば、チャネル測定に関する情報は、以下のチャネル測定情報のうちの少なくとも1つであってもよい。RI（Rank Indication、ランク表示）、PMI（Precoding Matrix Indicator、プリコーディングマトリクスインジケータ）、CQI、およびCRI（CSI−RS Resource Indicator、チャネル状態情報−基準信号リソースインジケータ）。
【０３６１】
干渉測定の周波数領域情報は、干渉測定に関連する情報の周波数領域情報であってもよい。例えば、干渉測定に関する情報は、以下の干渉測定情報のうちの少なくとも1つであってもよい。RI（Rank Indication、ランク表示）、PMI（Precoding Matrix Indicator、プリコーディングマトリクスインジケータ）、CQI、およびCRI（CSI−RS Resource Indicator、チャネル状態情報−基準信号リソースインジケータ）。
【０３６２】
チャネル測定の周波数領域情報は、チャネル測定に関連する情報の周波数領域情報であってもよい。例えば、チャネル測定に関する情報は、以下のチャネル測定情報のうちの少なくとも1つであってもよい。RI（Rank Indication、ランク表示）、PMI（Precoding Matrix Indicator、プリコーディングマトリクスインジケータ）、CQI、およびCRI（CSI−RS Resource Indicator、チャネル状態情報−基準信号リソースインジケータ）。
【０３６３】
干渉測定の周波数領域情報は、干渉測定に関連する情報の周波数領域情報であってもよい。例えば、干渉測定に関する情報は、以下の干渉測定情報のうちの少なくとも1つであってもよい。RI（Rank Indication、ランク表示）、PMI（Precoding Matrix Indicator、プリコーディングマトリクスインジケータ）、CQI、およびCRI（CSI−RS Resource Indicator、チャネル状態情報−基準信号リソースインジケータ）。
【０３６４】
前述の実施態様では、CSI干渉測定の周波数領域情報とCSIチャネル測定の周波数領域情報との間に対応関係があり得る。この対応関係は、チャネル測定の1つまたは複数の種類の周波数領域情報が干渉測定の1つまたは複数の種類の周波数領域情報に対応することであってもよい。周波数領域情報の複数の種類がある場合には、周波数領域情報が示す一組の周波数領域帯域幅を用いてもよいし、最大または最小の周波数領域帯域幅を用いてもよい。チャネル測定対象は、RI、PMI、CQI、CRIなどであってもよい。干渉測定対象は、前述のチャネル測定対象のうちの1つまたは複数であってもよい。
【０３６５】
基地局による構成の観点から、基地局は、特定の対応関係に基づいて、CSI干渉測定の周波数領域情報とCSIチャネル測定の周波数領域情報とを構成することができる。例えば、チャネル測定は、サブバンド報告情報またはワイドバンド報告情報を使用することによって実行することができる。チャネル測定の周波数領域情報がサブバンド報告情報である場合には、干渉測定もサブバンド報告情報を用いて行われる。広帯域報告情報を用いてチャネル測定が行われる場合には、広帯域報告情報を用いて干渉測定も行われる。このようにして、干渉測定の周波数領域情報はチャネル測定の周波数領域情報と同じである。周波数領域情報は、周波数領域位置（特定の帯域幅に対応する）を示してもよいことに留意されたい。
【０３６６】
確かに、干渉測定の周波数領域情報は、代替として、チャネル測定の周波数領域情報とは異なってもよい。以下のような場合があり得る。
【０３６７】
（1）干渉測定の周波数領域位置は、チャネル測定の周波数領域位置よりも大きい。
【０３６８】
（2）干渉測定の周波数領域位置は、チャネル測定の周波数領域位置と部分的に重なる。この場合、干渉測定の周波数領域位置は、チャネル測定の周波数領域位置と部分的に同じである。
【０３６９】
（3）干渉測定の周波数領域位置は、チャネル測定の周波数領域位置と完全に重ならない。この場合、干渉測定の周波数領域位置は、チャネル測定の周波数領域位置とは完全に異なる。
【０３７０】
第1の情報は、CSI構成情報であってもよい。例えば、LTEシステムでは、CSI構成情報は、CSI報告構成情報および基準信号構成情報のうちの少なくとも一方を含むことができる。NR（5Gシステム）では、CSI構成情報は、基準信号設定（RS setting）構成情報、CSI報告設定（CSI reporting setting）構成情報、およびCSI測定設定（CSI measurement setting）構成情報のうちの少なくとも1つを含むことができる。
【０３７１】
これに基づいて、例えば、CSIチャネル測定の周波数領域情報は、前述の情報のうちの少なくとも1つ、または同様の機能を有する任意の情報の中で搬送することができる。
【０３７２】
CSIチャネル測定の周波数領域情報の具体的な表現形式は以下の通りであってもよい。
CSI報告構成情報またはCSI報告設定構成情報におけるCSI報告モード、ここで、CSI干渉報告モードはCSIチャネル測定の周波数領域情報を示し、基準信号構成情報における、CSIチャネル測定基準信号の周波数領域情報、基準信号設定構成情報における、CSIチャネル測定基準信号の周波数領域情報、および4．CSI測定設定構成情報における周波数領域情報。
【０３７３】
例としてCSI報告モードが使用される。例えば、基地局によって構成することができるCSI報告モードは、サブバンドCSI報告モード、部分帯域CSI報告モード、広帯域CSI報告モードなどを含む。基地局は、構成されたCSI報告モードを端末に送信する。CSI報告モードを受信した後に、端末は、CSI報告モードに基づいてCSIチャネル測定の周波数領域情報を決定し、さらにCSIチャネル測定を実行することができる。
【０３７４】
具体的には、CSI報告モードはCSIチャネル測定の周波数領域情報を示すので、端末は、CSI干渉測定の周波数領域情報とCSIチャネル測定の周波数領域情報との間の対応関係に基づいて干渉測定の周波数領域情報を決定することができる。
【０３７５】
別の例では、CSIチャネル測定基準信号の周波数領域情報が代わりに使用されてもよい。表示方法の詳細については、前述の実施形態の表示方法を参照されたい。
【０３７６】
さらに、CSI報告モードは、周期的、非周期的、および半永続的CSI報告モードなどを含むことができる。例えば、周期的CSI報告モード（表12が例として使用される）の場合、基地局は端末によってCQIおよびPMIを受信するための報告タイプを構成することができる。例えば、モード1−0は広帯域CQI（wideband CQI）を示し、PMIは報告されない。モード1−1は、広帯域CQIと広帯域PMIを示す。モード2−0はサブバンドCQIを示し、PMIは報告されない。モード2−1は、サブバンドCQIとサブバンドPMIを示す。他の報告タイプは制限されていない。さらに、広帯域RIまたはサブバンドRIなどの報告タイプもRIに対して構成することができる。
【０３７７】
周期的CSI干渉報告モードを受信した後に、端末は、CSI報告モードに基づいてCSIチャネル測定の周波数領域情報を決定し、さらにCSI干渉測定を実行することができる。
【０３７８】
【表１２】
2019530370.tif 000067
【０３７９】
確かに、CSIチャネル測定の周波数領域情報はまた、表2から表4の表現形式を使用することによって示すことができる。端末は、チャネル測定の周波数領域情報と干渉測定の周波数領域情報との間の対応関係に基づいて、CSI干渉測定の周波数領域情報を決定する。
【０３８０】
さらに、第2の情報がCSI構成情報である場合、CSI構成情報は、CSIチャネル測定の周波数領域情報を含むことができる。CSIチャネル測定の周波数領域情報は全帯域幅のサブセットである。
【０３８１】
全帯域幅のサブセットはN個のリソースユニットを含む。Nは1以上であり、全帯域幅のリソースユニットの総数よりも少ない。リソースユニットはリソースブロック（Resource Block、RB）であってもよい。リソースブロック（Resource Block、RB）は、既存のLTE技術におけるリソースユニット（リソース粒度）である。5G以降のプロトコルでは、リソースユニットはRBに基づいて定義されなくてもよい。リソースユニットまたはリソース粒度は、他の方法で指定されてもよく、例えば、（サブキャリア間隔または巡回シフト長などの）フレーム構造パラメータに関連付けられてもよい。これは本明細書に限定されない。
【０３８２】
全帯域幅のサブセットはまたサブバンドによって表されてもよく、言い換えれば、全帯域幅のサブセットはM個のサブバンドを含む。Mは1以上であり、全帯域幅のサブバンドの総数よりも小さい。
【０３８３】
具体的には、サブバンドは以下のように定義することができる。
【０３８４】
（1）サブバンドサイズは、1つのRBの粒度に基づく。
【０３８５】
（2）サブバンドサイズは、2つのRBの粒度に基づく。
【０３８６】
（3）サブバンドサイズは、P個のRBの粒度、すなわち既存のRBG（Resource Block Group、リソースブロックグループ）サイズに基づく。表13に示すように、Pは2以上の整数である。
【０３８７】
【表１３】
2019530370.tif 000068
【０３８８】
（4）サブバンドサイズは、粒度K、すなわち既存のCSI測定Subband Size（subband size）に基づく。表14に示すように、Kは正の整数である。
【０３８９】
【表１４】
2019530370.tif 000069
【０３９０】
あるいは、別のサブバンド定義があってもよい。これは本明細書に限定されない。
【０３９１】
CSIチャネル測定の周波数領域情報は、3つの方法でCSI干渉測定の周波数領域情報に対応する。前述の実施形態を参照されたい。したがって、ここでは詳細については再度の説明を省略する。
【０３９２】
具体的には、基準信号は、チャネル測定基準信号および／または干渉測定基準信号を含むことができる。チャネル測定基準信号は、チャネルを測定するために端末によって使用され、干渉測定基準信号は、干渉を測定するために端末によって使用される。CSI測定プロセスでは、端末は、チャネル測定の周波数領域情報に基づいてチャネルを測定し、干渉測定の周波数領域情報に基づいて干渉を測定することができる。
【０３９３】
本願のこの実施形態では、端末によって、対応する周波数領域位置におけるCSI干渉測定リソースを測定することは、周波数領域位置において干渉測定基準信号を測定することである。
【０３９４】
端末は、CSI干渉測定結果を取得することができる。さらに、端末は、チャネル測定の周波数領域情報に基づいてチャネルを測定して、CSIチャネル測定結果を取得することができ、CSIチャネル測定の測定結果とCSI干渉測定の測定結果の両方に基づいてCSIを取得することができる。
【０３９５】
さらに、任意選択で、端末はCSIを基地局に送信することができる。任意選択で、基地局は端末によって送信されたCSIを受信することができる。
【０３９６】
本願のこの実施形態では、基地局はチャネル測定の周波数領域情報に基づいて干渉測定の周波数領域情報を決定することができ、あるいは、チャネル測定の周波数領域情報と干渉測定の周波数領域情報とを同時に決定することができることに留意されたい。本願のこの実施形態はこれに限定されない。
【０３９７】
前述の実施形態を参照すると、本願において提供される別の実施形態では、CSIチャネル測定の周波数領域情報とCSI干渉測定の周波数領域情報とは、基地局間で交換することができる。前述の実施形態では、情報は、上位層シグナリングおよび物理層シグナリングのうちの少なくとも一方を使用することによって送信することができる。
【０３９８】
本願で提供されるこの実施形態では、CSI報告のために異なる周波数領域粒度を有する報告方法、例えば広帯域CSI（Wideband CSI）報告、部分帯域CSI（Partial band CSI）報告、およびサブバンドCSI（Subband CSI）を使用することができる。
【０３９９】
広帯域CSI報告では、広帯域粒度は、端末によるダウンリンク信号を受信する能力に基づいて決定することができる。広帯域位置は基地局によって構成することができる。このシナリオはビーム管理に適用することができる。
【０４００】
部分帯域CSI報告では、粒度は端末レベルで構成可能な帯域幅であってもよく、あるいはフレーム構造パラメータ情報またはスケジューリング時間単位情報に基づいて決定されてもよい。
【０４０１】
サブバンドCSI報告では、サブバンドサイズは、帯域幅または部分帯域幅を複数のサブバンドに分割することによって決定される。サブバンドCSI報告は、周波数領域選択およびスケジューリング、サブバンドプリコーディングおよび測定などに適用することができる。
【０４０２】
前述の実施形態を参照すると、本願において提供されるこの実施形態では、CSIを取得するために以下の情報のうちの少なくとも1つを構成することができる。
【０４０３】
（1）CSI報告に関する情報を示すために使用されるCSI報告設定（CSI reporting setting）構成情報。例えば、CSI報告設定構成情報は、CSI報告パラメータ（例えば、RI、PMI、CQI、またはCRI）、CSI報告タイプ（CSIタイプI  CSI Type I、またはCSIタイプII  CSI Type II）、コードブック構成情報、時間領域情報、周波数領域粒度情報（例えば、広帯域報告、部分帯域報告、またはサブバンド報告など）、および制限付き測定構成情報（有効化／無効化情報など）のうちの少なくとも1つを含むことができる。
【０４０４】
（2）CSI測定基準信号に関する情報を示すために使用される基準信号設定（Resource setting）構成情報。例えば、基準信号設定構成情報は、1つまたは複数のCSI−RSリソースセット（CSI−RS resource set）を含むことができる。各セットsetは、1つまたは複数のCSI−RSリソース構成情報を含むことができる。構成情報は、マッピングされた時間−周波数リソースの位置情報、アンテナポートの数、時間領域情報（周期的、非周期的、半永続的などであってもよい）などのうちの少なくとも1つを含み、RSタイプ指示情報をさらに含むことができる。
【０４０５】
（3）CSI測定リンク（link）に関する情報を示すために使用されるCSI測定設定（CSI measurement setting）構成情報。例えば、CSI測定構成情報は、1つまたは複数のリンク情報を含むことができる。各リンク情報は、CSI報告セット識別子、基準信号セット識別子、および測定値表示（例えば、チャネルまたは干渉）を含む。1つのCSI報告セットは、1つまたは複数の基準信号セットと関連付けられてもよい。複数のCSI報告セットはまた、1つの基準信号セットと関連付けられてもよい。
【０４０６】
本願において提供されるこの実施形態では、1つのCSI測定セットは1つまたは複数のCSI報告セットを有することができ、1つまたは複数のCSI報告セットは少なくとも1つの基準信号セットから選択されることに留意されたい。1つまたは複数のCSIリソースは、少なくとも1つのCSI−RSリソースセットから選択される。具体的には、周波数領域情報に関する指示情報が、上記3つの構成情報のうちの少なくとも1つに配置されてもよい。
【０４０７】
本願の前述の実施形態において提供される干渉測定方法は、協調シナリオに適用可能である。例えば、ダウンリンクCoMPは、主に、JT（Joint Transmission、ジョイント伝送）、協調スケジューリングおよびCS／CB（Coordinated Scheduling and Beamforming、ビームフォーミング）、およびDPS／DPB（Dynamic Point Selection／Dynamic Point Blanking、ダイナミックポイント選択／ブランキング）を含む。JTはコヒーレントJTとインコヒーレントJTに分類される。
【０４０８】
図14に示すように、基地局400と基地局500がJTシナリオでジョイント伝送を行う場合、基地局400と基地局500のリソースは、3つの場合がある。すなわち、2つの基地局のリソースが、完全に重なる、部分的に重なる、および重ならない。2つの基地局のリソースが重なる場合には、フロー間（またはレイヤ間もしくはコードワード間）の干渉が生じる。例えば、2つの基地局のリソースが完全に重なる場合にCSIを測定するために、サブバンドCSI報告モードを構成することができる。端末は、チャネルを測定するときにサブバンド周波数領域情報を決定し、また干渉を測定するときにチャネル測定の同じサブバンド周波数領域情報を使用する。このようにして、リソースが重なる場合の測定により、フロー間（またはレイヤ間もしくはコードワード間）の干渉状態を取得することができる。この場合、干渉測定リソースはチャネル測定リソースと完全に同じである。具体的には、本願のこの実施形態では、干渉測定リソースがNZP CSI−RSおよびZP CSI−RSに分類される場合、NZP CSI−RSは、フロー間（またはレイヤ間もしくはコードワード間）干渉を測定するために使用され、ZP CSI−RSは、基地局400および基地局500とは異なる別の基地局によって生じる干渉を測定するために使用される。さらに、NZP CSI−RSの干渉測定リソース情報は、チャネル測定リソース情報と同一であってもよく、全帯域幅測定は、ZP CSI−RSを用いて干渉を測定する際に行ってもよい。
【０４０９】
2つの基地局のリソースが部分的に重なる場合には、重なり合う部分にはフロー間干渉があり、重ならない部分にはフロー間（またはレイヤ間もしくはコードワード間）干渉はない。したがって、CSIを正確に測定するために、端末は、重ならない部分のチャネル測定におけるフロー間（またはレイヤ間もしくはコードワード間）干渉を無視して、重なり合う部分のチャネル測定におけるフロー間（またはレイヤ間もしくはコードワード間）干渉を考慮するように構成することができる。具体的には、基地局1のデータ伝送におけるCSIが測定される場合、端末は、チャネル測定サブバンド1上のフロー間（またはレイヤ間もしくはコードワード間）干渉の測定をスキップし、チャネル測定サブバンド2上では、測定サブバンド2上の基地局2のためのフロー間（またはレイヤ間もしくはコードワード間）干渉測定を考慮するように構成することができる。（この場合、干渉測定リソースはチャネル測定リソースと部分的に同じである。）具体的には、干渉測定リソースがNZP CSI−RSおよびZP CSI−RSに分類される場合、NZP CSI−RSは、フロー間（またはレイヤ間もしくはコードワード間）干渉を測定するために使用することができ、ZP CSI−RSは、基地局1および基地局2とは異なる別の基地局によって生じる干渉を測定するために使用することができる。さらに、NZP CSI−RSの干渉測定リソース情報は、チャネル測定リソース情報と同一であってもよく、全帯域幅測定は、ZP CSI−RSを用いて干渉を測定する際に行ってもよい。例えば、サブバンド1が測定される場合、全帯域幅測定により干渉を測定するためにZP CSI−RSのみが構成される。サブバンド2が測定される場合、NZP CSI−RSはサブバンド2上のフロー間（またはレイヤ間もしくはコードワード間）干渉を測定するように構成することができる。ZP CSI−RSが干渉を測定するように構成されている場合、全帯域幅測定を構成することができる。
【０４１０】
2つの基地局のリソースが全く重ならない場合には、重ならない部分にはフロー間干渉がない。したがって、CSIを正確に測定するために、端末は、重ならない部分のチャネル測定においてフロー間干渉を無視するように構成することができる。具体的には、基地局1のデータ伝送におけるCSIが測定される場合、端末は、チャネル測定サブバンド1上のチャネルを測定するように構成することができ、全帯域幅測定により干渉を測定することができる。（この場合、干渉測定リソースはチャネル測定リソースと部分的に同じである。）具体的には、チャネル測定の周波数領域情報はサブバンド1として構成することができ、全帯域幅測定は、ZP CSI−RSが干渉を測定するように構成されているときに構成することができる。
【０４１１】
NZP CSI−RSリソースは、Class AのCSI−RSリソースまたはClass BのCSI−RSリソースであってもよい。
【０４１２】
本願の前述の実施形態において提供される干渉測定方法は、CS／CBシナリオに適用可能である。本願で提供される本実施形態では、図15に示すように、基地局1と基地局2とがCS／CB伝送を行う場合、隣接する基地局が異なるビーム方向で伝送を行うと干渉状況が変化する。例えば、図中、ビーム2の干渉はビーム3の干渉およびビーム4の干渉よりも大きい。さらに、データスケジューリング中に、隣接する基地局は、異なる周波数領域リソース上で異なるユーザに対してスケジューリングを実行する際に、異なるプリコーディング行列またはビームを使用することによって伝送を実行する。したがって、CSI情報を正確に測定するために、サブバンドCSI報告モードを構成することができる。端末は、チャネルを測定するときにサブバンド周波数領域情報を決定し、また干渉を測定するときにチャネル測定の同じサブバンド周波数領域情報を使用する。このようにして、対応する周波数帯域上の干渉状態を測定により取得することができる。（この場合、干渉測定リソースはチャネル測定リソースと完全に同じである。）具体的には、干渉測定リソースがNZP CSI−RSとZP CSI−RSとに分類される場合、NZP CSI−RSは周波数内指向性ビームの干渉を測定するために使用することができ、ZP CSI−RSは基地局1および基地局2とは異なる別の基地局によって生じる干渉を測定するために使用することができる。さらに、NZP CSI−RSの干渉測定リソース情報は、チャネル測定リソース情報と同一であってもよく、全帯域幅測定は、ZP CSI−RSを用いて干渉を測定する際に行ってもよい。さらに、端末にデータを送信するときに基地局が隣接セルのビーム方向に関する情報を決定することができる場合には、基地局は、干渉測定の周波数領域情報をビーム方向のデータまたは信号の周波数領域情報となるように設定することができる。例えば、TP2は、周波数帯域1を用いてビーム2を送信し、周波数帯域2を使用してビーム3を送信し、周波数帯域3を使用してビーム4を送信する。基地局は、端末がチャネルを測定する周波数帯域を周波数帯域Xに設定する。干渉ビームがビーム2である場合には、干渉測定のための周波数帯域を周波数帯域1に設定することができ、干渉ビームがビーム3である場合には、干渉測定のための周波数帯域を周波
数帯域2に設定することができ、あるいは、干渉ビームがビーム4の場合には、干渉測定用の周波数帯域を周波数帯域3に設定することができる。チャネル測定用の周波数帯域Xは、干渉測定用の周波数帯域と同じでもあっても異なっていてもよい。チャネル測定のための周波数帯域Xが干渉測定のための周波数帯域と異なる場合、実施のために周波数領域オフセット情報を構成することができる。例えば、周波数帯域1がチャネル測定および干渉測定に使用される場合には、干渉測定の周波数領域オフセット情報を0に設定することができ、周波数帯域1がチャネル測定に使用され、かつ周波数帯域2が干渉測定に使用される場合には、干渉測定の周波数領域オフセット情報を1に設定することができ、あるいは、周波数帯域1がチャネル測定に使用され、かつ周波数帯域3が干渉測定に使用される場合には、干渉測定の周波数領域オフセット情報を2に設定することができる。端末は、チャネル測定の周波数領域情報と周波数領域オフセット情報とに基づいて、干渉測定の周波数領域情報を決定することができる。（新規）この場合、干渉測定リソースは、NZP CSI−RSリソースまたはZP CSI−RSリソースであってもよい。NZP CSI−RSリソースは、Class AのCSI−RSリソースまたはClass BのCSI−RSリソースであってもよい。
【０４１３】
本願で提供される別の実施形態では、干渉測定装置がさらに提供される。図16に示すように、本装置は端末に適用され、
基地局から第1の情報を受信するように構成されたトランシーバ部であって、第1の情報は、CSI干渉測定の周波数領域情報を含み、CSI干渉測定の周波数領域情報とCSIチャネル測定の周波数領域情報との間には対応関係がある、トランシーバ部と、CSI干渉測定の周波数領域情報に基づいて、CSI干渉測定の周波数領域情報に対応する周波数領域位置においてCSI干渉測定リソース上の干渉を測定するように構成された処理部と、を含む。
【０４１４】
本願のこの実施形態において提供される可能な実施態様では、第1の情報はCSI構成情報であり、CSI構成情報はCSIチャネル測定の周波数領域情報を含み、CSIチャネル測定の周波数領域情報および／またはCSI干渉測定の周波数領域情報は、全帯域幅の複数のサブセットであるか、または全帯域幅の1つのサブセットである。
【０４１５】
本願で提供される別の実施形態では、干渉測定装置がさらに提供される。図16に示すように、本装置は基地局に適用され、
CSI干渉測定の周波数領域情報を決定するように構成された処理部であって、CSI干渉測定の周波数領域情報とCSIチャネル測定の周波数領域情報との間には対応関係がある、処理部と、端末に第1の情報を送信するように構成されたトランシーバ部であって、第1の情報は、CSI干渉測定の周波数領域情報を含む、トランシーバ部と、を含む。
【０４１６】
本願のこの実施形態で提供される可能な実施態様では、CSIチャネル測定の周波数領域情報および／またはCSI干渉測定の周波数領域情報は、全帯域幅の複数のサブセットであるか、または全帯域幅の1つのサブセットである。
【０４１７】
本願で提供される別の実施形態では、干渉測定装置がさらに提供される。図16に示すように、本装置は端末に適用され、
基地局から第2の情報を受信するように構成されたトランシーバ部であって、第2の情報は、CSIチャネル測定の周波数領域情報を含み、CSI干渉測定の周波数領域情報とCSIチャネル測定の周波数領域情報との間には対応関係がある、トランシーバ部と、CSIチャネル測定の周波数領域情報に基づいてCSI干渉測定の周波数領域情報を決定し、CSI干渉測定の周波数領域情報に対応する周波数領域位置においてCSI干渉測定リソース上の干渉を測定するように構成された処理部と、を含む。
【０４１８】
本願のこの実施形態で提供される可能な実施態様では、CSIチャネル測定の周波数領域情報および／またはCSI干渉測定の周波数領域情報は、全帯域幅の複数のサブセットであるか、または全帯域幅の1つのサブセットである。
【０４１９】
本願で提供される別の実施形態では、干渉測定装置がさらに提供される。図16に示すように、本装置は基地局に適用され、
CSIチャネル測定の周波数領域情報を取得するように構成された処理部と、端末に第2の情報を送信するように構成されたトランシーバ部であって、第2の情報は、CSIチャネル測定の周波数領域情報を含み、CSI干渉測定の周波数領域情報とCSIチャネル測定の周波数領域情報との間には対応関係がある、トランシーバ部と、を含む。
【０４２０】
本願のこの実施形態で提供される可能な実施態様では、CSI干渉測定情報およびCSIチャネル測定の周波数領域情報は全帯域幅のサブセットである。
【０４２１】
本願のこの実施形態において提供される干渉測定装置において、
【０４２２】
本願のこの実施形態で提供される可能な実施態様では、CSI干渉測定の周波数領域情報とCSIチャネル測定の周波数領域情報との間には対応関係があるということは、
CSI干渉測定の周波数領域情報は、CSIチャネル測定の周波数領域情報と同じであるか、または、CSI干渉測定の周波数領域情報は、CSIチャネル測定の周波数領域情報と部分的に同じであるか、または、CSI干渉測定の周波数領域情報は、CSIチャネル測定の周波数領域情報とは異なる、ということを含む。
【０４２３】
本願のこの実施形態で提供される可能な実施態様では、CSI干渉測定リソースは、非ゼロ電力チャネル状態情報基準信号NZP CSI−RSリソースおよび／またはゼロ電力チャネル状態情報基準信号ZP CSI−RSリソースを含む。
【０４２４】
本願のこの実施形態で提供される可能な実施態様では、全帯域幅のサブセットは、N個のリソースユニットを含み、Nは1以上であり、全帯域幅のリソースユニットの総数より少ないか、または、全帯域幅のサブセットはM個のサブバンドを含み、Mは1以上であり、全帯域幅のサブバンドの総数よりも少ない。
【０４２５】
本願のこの実施形態で提供される可能な実施態様では、CSIチャネル測定は、チャネル品質指標CQI測定、プリコーディング行列指標PMI測定、ランク表示RI測定、およびCRI測定のうちの1つまたはそれらの組み合わせを含む。
【０４２６】
さらに、本願の一実施形態は、第1のネットワークデバイスに適用されるレートマッチング方法を提供する。
【０４２７】
A．レートマッチング方法は、
第2の周波数領域指示情報を含み、かつ第2のネットワークデバイスによって送信されるレート構成情報を、第1のネットワークデバイスにより取得するステップであって、レート構成情報は、第1のネットワークデバイスにレートマッチングを実行するように指示するために使用され、第2の周波数領域指示情報は、第1のネットワークデバイスがレートマッチングを実行する周波数領域位置を指示するために使用される、ステップと、第1のネットワークデバイスにより、レート構成情報に基づいて、第2の周波数領域指示情報に対応する周波数領域位置における基準信号のリソース位置を決定するステップと、第1のネットワークデバイスにより、リソース位置に基づいて受信データに対してレートマッチングを実行するステップと、を含む。
【０４２８】
B．Aに記載の方法であって、第2の周波数領域指示情報は、チャネル分割情報を含み、チャネル分割情報は、チャネル帯域幅を複数のリソースブロックに分割する方法を示すために使用される。
【０４２９】
C．Aに記載の方法であって、
第1のネットワークデバイスにより、予め設定された分割方式でチャネル帯域幅を複数のリソースブロックに分割するステップをさらに含む。
【０４３０】
D．AからCのいずれかに記載の方法であって、第2の周波数領域指示情報は、チャネル帯域幅の複数のリソースブロックの各々は、1つのレートマッチング識別子に対応し、第2の周波数領域指示情報に対応する周波数領域位置における基準信号のリソース位置を決定するステップは、
第1のネットワークデバイスによって、チャネル帯域幅の複数のリソースブロックのそれぞれに対応するレートマッチング識別子を取得するステップであって、レートマッチング識別子は、第1のレートマッチング識別子と第2のレートマッチング識別子とを含む、ステップと、第1のネットワークデバイスにより、チャネル帯域幅内のレートマッチング識別子が第1のレートマッチング識別子であるリソースブロック上の基準信号のリソース位置を決定するステップと、を含む。
【０４３１】
E．AからCのいずれかに記載の方法であって、第2の周波数領域指示情報は、レートマッチングが実行されるリソースブロックの情報識別子を含み、第2の周波数領域指示情報に対応する周波数領域位置における基準信号のリソース位置を決定するステップは、
第1のネットワークデバイスにより、レートマッチングが実行されるリソースブロックの情報識別子を取得するステップであって、情報識別子は周波数領域位置を含む、ステップと、第1のネットワークデバイスによって、周波数領域位置に対応するリソースブロック上の基準信号のリソース位置を決定するステップと、を含む。
【０４３２】
F．Aに記載の方法であって、第2の周波数領域指示情報を含み、かつ第2のネットワークデバイスによって送信されるレート構成情報を、第1のネットワークデバイスにより取得するステップは、
無線リソース制御RRCまたは物理層シグナリングを使用することによって第1のネットワークデバイスにより、第2の周波数領域指示情報を含み、かつ第2のネットワークデバイスによって送信されるレート構成情報を取得するステップを含む。
【０４３３】
さらに、第2のネットワーク側では、一実施形態は以下を含むことができる。
【０４３４】
A．レートマッチング方法であって、第2のネットワークデバイスによって第1のネットワークデバイスに、第2の周波数領域指示情報を含むレート構成情報を送信するステップであって、レート構成情報は、第1のネットワークデバイスにレートマッチングを実行するように指示するために使用され、第2の周波数領域指示情報は、第1のネットワークデバイスがレートマッチングを実行する周波数領域位置を指示するために使用される、ステップを含み、その結果、第1のネットワークデバイスは、レート構成情報に基づいて、第2の周波数領域指示情報に対応する周波数領域位置における基準信号のリソース位置を決定し、リソース位置に基づいて受信データに対してレートマッチングを実行する。
【０４３５】
B．Aに記載の方法であって、第2の周波数領域指示情報は、チャネル分割情報を含み、チャネル分割情報は、チャネル帯域幅を複数のリソースブロックに分割する方法を示すために使用される。
【０４３６】
C．Aに記載の方法であって、第2の周波数領域指示情報は、チャネル帯域幅の複数のリソースブロックの各々が1つのレートマッチング識別子に対応することを含む。
【０４３７】
D．Cに記載の方法であって、レートマッチング識別子は第1の測定識別子および第2の測定識別子を含み、第1の測定識別子は、チャネル帯域幅内のレートマッチング識別子が第1の測定識別子であるリソースブロック上のデータに対してレートマッチングを実行するように第1のネットワークデバイスに指示するために使用され、第2の測定識別子は、チャネル帯域幅内のレートマッチング識別子が第2の測定識別子であるリソースブロック上のデータに対してレートマッチングを実行しないように第1のネットワークデバイスに指示するために使用される。
【０４３８】
E．Aに記載の方法であって、第2の周波数領域指示情報は、レートマッチングが実行されるリソースブロックの情報識別子を含む。
【０４３９】
F．Eに記載の方法であって、情報識別子は周波数領域位置を含み、情報識別子は、周波数領域位置に対応するリソースブロック上の基準信号のリソース位置を決定するように第1のネットワークデバイスに指示し、リソース位置に基づいて受信データに対してレートマッチングを実行するように第1のネットワークデバイスに指示するために使用される。
【０４４０】
G．Aに記載の方法であって、第2のネットワークデバイスにより第1のネットワークデバイスに、第2の周波数領域指示情報を含むレート構成情報を送信するステップは、無線リソース制御RRCまたは物理層シグナリングを使用することによって第2のネットワークデバイスにより第1のネットワークデバイスに、第2の周波数領域指示情報を含むレート構成情報を送信するステップを含む。
【０４４１】
方法の実施形態の前述の説明に基づいて、当業者は、本願がソフトウェアおよび必要な汎用ハードウェアプラットフォームによって実施することができること、または確かに、ハードウェアによって実施することができることを明確に理解することができる。多くの場合、ソフトウェアと必要な汎用ハードウェアプラットフォームを使用することによる実施態様の方がより良い実施態様である。そのような理解に基づいて、本質的に本願の技術的解決策、または先行技術に寄与するリソースブロックは、ソフトウェア製品の形で実施することができる。コンピュータソフトウェア製品は、記憶媒体に格納され、本願の実施形態に記載されている方法のすべてのステップまたはリソースブロックステップを実行するようにコンピュータデバイス（パーソナルコンピュータ、サーバ、ネットワークデバイスなどであってもよい）に指示するためのいくつかの命令を含む。記憶媒体は、読み出し専用メモリ（ROM）、ランダムアクセスメモリ（RAM）、磁気ディスク、または光ディスクなどのプログラムコードを格納することができる任意の媒体を含む。
【０４４２】
さらに、前述の実施形態の一実施態様では、本願の一実施形態は第1のネットワークデバイスをさらに提供する。図10に示すように、第1のネットワークデバイスは、第1の周波数領域指示情報を含み、かつ第2のネットワークデバイスによって送信されるCSI構成情報を取得するように構成された受信部11であって、CSI構成情報は第1の周波数領域指示情報を含み、CSI構成情報は、第1のネットワークデバイスにCSI測定を実行するように指示するために使用され、第1の周波数領域指示情報は、第1のネットワークデバイスがCSI測定を実行する周波数領域位置を指示するために使用される、受信部11と、CSI構成情報に基づいて、第1の周波数領域指示情報によって指示された周波数領域位置における基準信号を測定するように構成された処理部12と、を含む。
【０４４３】
第1の周波数領域指示情報は、チャネル分割情報を含み、チャネル分割情報は、チャネル帯域幅を複数のリソースブロックに分割する方法を示すために使用される。
【０４４４】
任意選択の実施形態では、処理部12は、予め設定された分割方式でチャネル帯域幅を複数のリソースブロックに分割するようにさらに構成される。
【０４４５】
任意選択の実施形態では、第1の周波数領域指示情報は、チャネル帯域幅の複数のリソースブロックの各々に対応する周波数領域測定識別子を含む。
【０４４６】
処理部12は、チャネル帯域幅の複数のリソースブロックの各々に対応する周波数領域測定識別子を取得するようにさらに構成され、周波数領域測定識別子は、第1の測定識別子と第2の測定識別子とを含む。処理部12は、チャネル帯域幅内の周波数領域測定識別子が第1の測定識別子であるリソースブロックを測定するようにさらに構成される。
【０４４７】
任意選択の実施形態では、第1の周波数領域指示情報は、測定対象リソースブロックの情報識別子を含む。処理部12は、測定対象リソースブロックの情報識別子を取得するようにさらに構成され、情報識別子は、測定リソースの周波数領域位置を示すために使用される。処理部12は、周波数領域位置に対応するリソースブロックを測定するようにさらに構成される。
【０４４８】
任意選択の実施形態では、処理部12は、無線リソース制御RRCまたは物理層シグナリングを使用することによって、第1の周波数領域指示情報を含み、かつ第2のネットワークデバイスによって送信されるCSI構成情報を取得するために第1のネットワークデバイスによりさらに使用される。
【０４４９】
任意選択の実施形態では、基準信号はチャネル測定基準信号および／または干渉測定基準信号を含む。
【０４５０】
任意選択の実施形態では、処理部12は、複数のリソースブロック内のターゲットリソースブロックに対応する測定結果を取得し、その測定結果をCSIとして用いるようにさらに構成される。任意選択の実施形態では、処理部12は、複数のリソースブロック内のターゲットリソースブロックに対応する測定結果を取得し、ターゲットリソースブロックに対応する測定結果を予め設定された方法で処理して、CSIを取得するようにさらに構成される。
【０４５１】
任意選択の実施形態では、第1のネットワークデバイスは、CSIを第2のネットワークデバイスに送信するように構成された送信部13をさらに含む。
【０４５２】
任意選択の実施形態では、処理部12はプロセッサ510であってもよく、受信部11は受信機530であってもよく、送信部33は送信機520であってもよい。受信機530または送信機520は、トランシーバと置き換えることができる。さらに、第1のネットワークデバイスはメモリ540を含むことができる。メモリ540は、ネットワークデバイスのプログラムコードおよびデータを格納するように構成されている。具体的には、図14に示すように、ネットワークデバイスは、プロセッサ510、送信機520、受信機530、およびメモリ540を含む。
【０４５３】
前述の実施形態の一実施態様では、本願の一実施形態はさらに第2のネットワークデバイスを提供する。図11に示すように、第2のネットワークデバイスは、第1の周波数領域指示情報を含むCSI構成情報を送信するように構成された送信部21を含み、CSI構成情報は第1の周波数領域指示情報を含み、CSI構成情報は、第1のネットワークデバイスにCSI測定を実行するように指示するために使用され、第1の周波数領域指示情報は、第1のネットワークデバイスがCSI測定を実行する周波数領域位置を示すために使用され、その結果、第1のネットワークデバイスは、受信したCSI構成情報に基づいて基準信号を測定する。
【０４５４】
任意選択の実施形態では、第1の周波数領域指示情報は、チャネル分割情報を含み、チャネル分割情報は、チャネル帯域幅を複数のリソースブロックに分割する方法を示すために使用される。
【０４５５】
任意選択の実施形態では、第2のネットワークデバイスは、第2のネットワークデバイスと第1のネットワークデバイスとの間のチャネル帯域幅を予め設定された分割方式で複数のリソースブロックに分割するように構成される処理部22をさらに含む。
【０４５６】
任意選択の実施形態では、第1の周波数領域指示情報は、チャネル帯域幅の複数のリソースブロックの各々に対応する周波数領域測定識別子を含み、その結果、第1のネットワークデバイスは、周波数領域測定識別子に基づいてチャネル帯域幅のリソースブロックを測定する。
【０４５７】
任意選択の実施形態では、第1の周波数領域指示情報は、測定対象リソースブロックの情報識別子を含み、その結果、第1のネットワークデバイスが、情報識別子に基づいてチャネル帯域幅の対応するリソースブロックを測定する。
【０４５８】
任意選択の実施形態では、処理部22は、無線リソース制御RRCまたは物理層シグナリングを使用することによって、第1の周波数領域指示情報を含むCSI構成情報を第1のネットワークデバイスに送信するように構成される。
【０４５９】
任意選択の実施形態では、基準信号はチャネル測定基準信号および／または干渉測定基準信号を含む。
【０４６０】
任意選択の実施形態では、送信部21は、第1のネットワークデバイスによって送信されたCSIを取得するように構成される。
【０４６１】
任意選択の実施形態では、CSIは、複数のリソースブロックの中のターゲットリソースブロックに対応し、かつ第1のネットワークデバイスによって取得された測定結果であってもよく、あるいは、複数のリソースブロックのうちのターゲットリソースブロックに対応する測定結果を取得し、ターゲットリソースブロックに対応する測定結果を予め設定された方法で処理することによって、第1のネットワークデバイスによって取得された結果を含む。
【０４６２】
任意選択の実施形態では、処理部22はプロセッサ510であってもよく、送信部21は送信機520であってもよい。受信機530または送信機520は、トランシーバと置き換えることができる。さらに、第2のネットワークデバイスはメモリ540を含むことができる。メモリ540は、ネットワークデバイスのプログラムコードおよびデータを格納するように構成されている。具体的には、図14に示すように、ネットワークデバイスは、プロセッサ510、送信機520、受信機530、およびメモリ540を含む。
【０４６３】
前述の実施形態の一実施態様では、本願の一実施形態はさらに第1のネットワークデバイスを提供する。図12に示すように、第1のネットワークデバイスは、第2の周波数領域指示情報を含み、かつ第2のネットワークデバイスによって送信されるレート構成情報を取得するように構成された受信部31であって、レートマッチング情報は、第2の周波数領域指示情報を含み、レート構成情報は、第1のネットワークデバイスにレートマッチングを実行するように指示するために使用され、第2の周波数領域指示情報は、第1のネットワークデバイスがレートマッチングを実行する周波数領域位置を指示するために使用される、受信部31と、レート構成情報に基づいて、第2の周波数領域指示情報に対応する周波数領域位置における基準信号のリソース位置を決定するように構成された処理部32であって、リソース位置に基づいて受信データに対してレートマッチングを実行するために第1のネットワークデバイスによってさらに使用される処理部32と、を含む。
【０４６４】
任意選択の実施形態では、第2の周波数領域指示情報はチャネル分割情報を含み、チャネル分割情報はチャネル帯域幅を複数のリソースブロックに分割するために使用される。
【０４６５】
任意選択の実施形態では、処理部32は、予め設定された分割方式でチャネル帯域幅を複数のリソースブロックに分割するようにさらに構成される。
【０４６６】
任意選択の実施形態では、第2の周波数領域指示情報は、チャネル帯域幅の複数のリソースブロックの各々が1つのレートマッチング識別子に対応することを含む。処理部32は、チャネル帯域幅の複数のリソースブロックの各々に対応するレートマッチング識別子を取得するようにさらに構成され、レートマッチング識別子は、第1のレートマッチング識別子と第2のレートマッチング識別子とを含む。処理部32は、チャネル帯域幅内のレートマッチング識別子が第1のレートマッチング識別子であるリソースブロック上の基準信号のリソース位置を決定するようにさらに構成される。
【０４６７】
任意選択の実施形態では、第2の周波数領域指示情報は、レートマッチングが実行されるリソースブロックの情報識別子を含む。処理部32は、レートマッチングが実行されるリソースブロックの情報識別子を取得するようにさらに構成され、情報識別子は周波数領域位置を含む。処理部32は、周波数領域位置に対応するリソースブロック上の基準信号のリソース位置を決定するようにさらに構成される。
【０４６８】
任意選択の実施形態では、処理部32は、無線リソース制御RRCまたは物理層シグナリングを使用することによって、第2の周波数領域指示情報を含み、かつ第2のネットワークデバイスによって送信されるレート構成情報を取得するようにさらに構成される。
【０４６９】
任意選択の実施形態では、処理部32はプロセッサ510であってもよく、受信部31は受信機530であってもよい。受信機530または送信機520は、トランシーバと置き換えることができる。さらに、第1のネットワークデバイスはメモリ540を含むことができる。メモリ540は、ネットワークデバイスのプログラムコードおよびデータを格納するように構成されている。具体的には、図14に示すように、ネットワークデバイスは、プロセッサ510、送信機520、受信機530、およびメモリ540を含む。
【０４７０】
前述の実施形態の一実施態様では、本願の一実施形態はさらに第2のネットワークデバイスを提供する。図13に示すように、第2のネットワークデバイスは、レート構成情報を決定するように構成された処理部41であって、レート構成情報は第2の周波数領域指示情報を含み、レート構成情報は、第1のネットワークデバイスにレートマッチングを実行するように指示するために使用され、第2の周波数領域指示情報は、第1のネットワークデバイスがレートマッチングを実行する周波数領域位置を指示するために使用される、処理部41と、第2の周波数領域指示情報を含むレート構成情報を送信するように構成された送信部42と、を含み、その結果、第1のネットワークデバイスは、受信したレート構成情報に基づいてレートマッチングを実行する。
【０４７１】
任意選択の実施形態では、第2の周波数領域指示情報はチャネル分割情報を含み、チャネル分割情報はチャネル帯域幅を複数のリソースブロックに分割するために使用される。
【０４７２】
任意選択の実施形態では、第2の周波数領域指示情報は、チャネル帯域幅の複数のリソースブロックの各々は、1つのレートマッチング識別子に対応し、その結果、第1のネットワークデバイスは、レートマッチング識別子に基づいてチャネル帯域幅のリソースブロック上のデータに対してレートマッチングを実行することを含む。
【０４７３】
任意選択の実施形態では、第2の周波数領域指示情報は、レートマッチングが実行されるリソースブロックの情報識別子を含み、その結果、第1のネットワークデバイスは、情報識別子に基づいてチャネル帯域幅の対応するリソースブロック上のデータに対してレートマッチングを実行する。
【０４７４】
任意選択の実施形態では、送信部42は、無線リソース制御RRCまたは物理層シグナリングを使用することによって、第2の周波数領域指示情報を含むレート構成情報を第1のネットワークデバイスに送信するように構成される。
【０４７５】
任意選択の実施形態では、処理部41はプロセッサ510であってもよく、送信部42は送信機520であってもよい。受信機530または送信機520は、トランシーバと置き換えることができる。さらに、第2のネットワークデバイスはメモリ540を含むことができる。メモリ540は、ネットワークデバイスのプログラムコードおよびデータを格納するように構成されている。具体的には、図14に示すように、ネットワークデバイスは、プロセッサ510、送信機520、受信機530、およびメモリ540を含む。
【０４７６】
前述の実施形態の装置に関して、各モジュールによって動作を実行する具体的な方法は、方法に関連する実施形態で詳細に説明されており、詳細はここでは説明しない。
【０４７７】
本願は、様々な汎用または専用コンピューティングシステムの環境または構成、例えば、パーソナルコンピュータ、サーバコンピュータ、ハンドヘルドデバイスまたはポータブルデバイス、フラットパネルデバイス、マルチプロセッサシステム、マイクロプロセッサベースのシステム、セットトップボックス、プログラム可能な家庭用電子デバイス、ネットワークPC、ミニコンピュータ、メインフレームコンピュータ、ならびに前述のシステムまたはデバイスのうちのいずれか1つを含む分散コンピューティング環境に適用できることが理解されよう。
【０４７８】
本願は、コンピュータ、例えばプログラムモジュールによって実行される実行可能コンピュータ命令の一般的な文脈で記述することができる。一般に、プログラムモジュールは、特定のタスクを実行するため、または特定の抽象データ型を実装するためのルーチン、プログラム、オブジェクト、コンポーネント、データ構造などを含む。本願は、通信ネットワークを介して接続されているリモート処理デバイスによってタスクが実行される分散コンピューティング環境で実施することができる。分散コンピューティング環境では、プログラムモジュールは、記憶装置を含むローカルとリモートの両方のコンピュータ記憶媒体に配置することができる。
【０４７９】
本明細書では、「第1」および「第2」などの関係用語は、1つの実体または動作を別のものから区別するためにのみ使用されるものであって、これらの実体または動作間に何らかの実際の関係または順序が存在することを必ずしも必要としないし、またそれを意味するものでもないことに留意されたい。さらに、「含む」、「備える」という用語、またはそれらの任意の他の変形は、非排他的な包含を網羅することを意図したものであり、要素のリストを含む処理、方法、物品、またはデバイスは、それらの要素を含むだけでなく、明示的に列挙されていない他の要素を含み、あるいは、このような処理、方法、物品、またはデバイスに固有の要素をさらに含むものである。「を含む」の前にある要素は、さらなる限定なしに、その要素を含む処理、方法、物品、またはデバイスにおける付加的な同一要素の存在を除外するものではない。
【０４８０】
明細書を読み、本明細書に開示した発明を実施した後に、当業者は本願の他の実施態様を容易に理解することができる。本願は、本願のあらゆる変形、使用法、または適応的変更を包含することを意図している。これらの変形、使用、または適応的変更は、本願の一般的な原則に準拠しており、当該技術分野であって本願には開示されていない通常の知識または従来の技術的手段を含む。明細書および実施形態は単に例として考えられる。本願の真の範囲および趣旨は特許請求の範囲に示されている。
【０４８１】
本願は、添付の図面に示す前述の正確な構造に限定されず、本願の範囲から逸脱することなく様々な修正および変更を加えることができることを理解されたい。本願の範囲は特許請求の範囲によってのみ限定される。
【符号の説明】
【０４８２】
11  受信部
12  処理部
13  送信部
21  送信部
22  処理部
31  受信部
32  処理部
33  送信部
41  処理部
42  送信部
100  基地局
200  端末
300  基地局
400  基地局
500  基地局
510  プロセッサ
520  送信機
530  受信機
540  メモリ
【図１】
2019530370.tif 000070
【図２】
2019530370.tif 000071
【図３】
2019530370.tif 000072
【図４】
2019530370.tif 000073
【図５】
2019530370.tif 000074
【図６】
2019530370.tif 000075
【図７】
2019530370.tif 000076
【図８】
2019530370.tif 000077
【図９】
2019530370.tif 000078
【図１０】
2019530370.tif 000079
【図１１】
2019530370.tif 000080
【図１２】
2019530370.tif 000081
【図１３】
2019530370.tif 000082
【図１４】
2019530370.tif 000083
【図１５】
2019530370.tif 000084
【図１６】
2019530370.tif 000085
【図１７】
2019530370.tif 000086
【図１８】
2019530370.tif 000087
【図１９】
2019530370.tif 000088
【図２０】
2019530370.tif 000089
【図２１】
2019530370.tif 000090
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
第1の周波数領域指示情報を含み、かつ第2のネットワークデバイスによって送信されるCSI構成情報を、第1のネットワークデバイスにより取得するステップであって、前記CSI構成情報は、前記第1のネットワークデバイスにCSI測定を実行するように指示するために使用され、前記第1の周波数領域指示情報は、前記第1のネットワークデバイスがCSI測定を実行する周波数領域位置を示すために使用される、ステップと、
CSIを取得するために、前記CSI構成情報に基づいて前記第1のネットワークデバイスによって、前記第1の周波数領域指示情報によって示される前記周波数領域位置における基準信号を測定するステップと、
を含む、チャネル状態情報CSI測定方法。
【請求項２】
前記第1の周波数領域指示情報はチャネル帯域幅分割情報を含み、前記チャネル分割情報はチャネル帯域幅を複数のリソースブロックに分割する方式を示すために使用される、請求項1に記載の方法。
【請求項３】
前記第1のネットワークデバイスにより、予め設定された分割方式でチャネル帯域幅を複数のリソースブロックに分割するステップ
をさらに含む、請求項1に記載の方法。
【請求項４】
前記第1の周波数領域指示情報は、前記チャネル帯域幅の前記複数のリソースブロックの各々に対応する周波数領域測定識別子を含み、
前記第1の周波数領域指示情報によって示される前記周波数領域位置で基準信号を測定する前記ステップは、
前記第1のネットワークデバイスによって、前記チャネル帯域幅の前記複数のリソースブロックのそれぞれに対応する前記周波数領域測定識別子を取得するステップであって、前記周波数領域測定識別子は、第1の測定識別子と第2の測定識別子とを含む、ステップと、
前記第1のネットワークデバイスによって、前記チャネル帯域幅内の周波数領域測定識別子が前記第1の測定識別子であるリソースブロック上の基準信号を測定するステップと、
を含む、請求項1から3のいずれか一項に記載の方法。
【請求項５】
前記第1の周波数領域指示情報は、測定対象リソースブロックの情報識別子を含み、
前記第1の周波数領域指示情報によって示される前記周波数領域位置で基準信号を測定する前記ステップは、
前記第1のネットワークデバイスによって、前記測定対象リソースブロックの前記情報識別子を取得するステップであって、前記情報識別子は、測定リソースの周波数領域位置を示すために使用される、ステップと、
前記第1のネットワークデバイスによって、前記周波数領域位置に対応するリソースブロック上の基準信号を測定するステップと、
を含む、請求項1に記載の方法。
【請求項６】
第1の周波数領域指示情報を含み、かつ第2のネットワークデバイスによって送信されるCSI構成情報を、第1のネットワークデバイスにより取得する前記ステップは、
無線リソース制御RRCまたは物理層シグナリングを使用することによって前記第1のネットワークデバイスにより、前記第1の周波数領域指示情報を含み、かつ前記第2のネットワークデバイスによって送信される前記CSI構成情報を取得するステップ
を含む、請求項1から5のいずれか一項に記載の方法。
【請求項７】
前記第1のネットワークデバイスにより、前記取得されたCSIを前記第2のネットワークデバイスに送信するステップ
をさらに含み、
前記取得されたCSIは、
前記複数のリソースブロック内のターゲットリソースブロックに対応し、かつ前記第1のネットワークデバイスによって取得されたCSI、または、
前記複数のリソースブロック内のターゲットリソースブロックに対応するCSIを取得し、前記ターゲットリソースブロックに対応する前記CSIを予め設定された方式で処理することによって前記第1のネットワークデバイスにより取得されたCSIを含む、
を含む、請求項2から4のいずれか一項に記載の方法。
【請求項８】
第2のネットワークデバイスにより第1のネットワークデバイスに、第1の周波数領域指示情報を含むCSI構成情報を送信するステップであって、前記CSI構成情報は、前記第1のネットワークデバイスにCSI測定を実行するように指示するために使用され、前記第1の周波数領域指示情報は、前記第1のネットワークデバイスがCSI測定を実行する周波数領域位置を示すために使用され、その結果、前記第1のネットワークデバイスが、前記CSI構成情報に基づいて、前記第1の周波数領域指示情報によって示される前記周波数領域位置における基準信号を測定する、ステップ
を含む、チャネル状態情報CSI測定方法。
【請求項９】
前記第1の周波数領域指示情報は、チャネル帯域幅分割情報を含み、前記チャネル帯域幅分割情報は、チャネル帯域幅を複数のリソースブロックに分割する方式を示すために使用される、請求項8に記載の方法。
【請求項１０】
前記第2のネットワークデバイスにより、予め設定された分割方式でチャネル帯域幅を複数のリソースブロックに分割するステップ
をさらに含む、請求項8に記載の方法。
【請求項１１】
前記第1の周波数領域指示情報は、前記チャネル帯域幅の前記複数のリソースブロックの各々に対応する周波数領域測定識別子を含む、請求項8から10のいずれか一項に記載の方法。
【請求項１２】
前記周波数領域測定識別子は、第1の測定識別子と第2の測定識別子とを含み、
前記第1の測定識別子は、前記チャネル帯域幅内の周波数領域測定識別子が前記第1の測定識別子であるリソースブロック上の基準信号を測定するように前記第1のネットワークデバイスに指示するために使用され、
前記第2の測定識別子は、前記チャネル帯域幅内の周波数領域測定識別子が前記第2の測定識別子であるリソースブロック上の基準信号を測定しないように前記第1のネットワークデバイスに指示するために使用される、請求項11に記載の方法。
【請求項１３】
前記第1の周波数領域指示情報は、測定対象リソースブロックの情報識別子を含み、その結果、前記第1のネットワークデバイスが、前記情報識別子に基づいて前記チャネル帯域幅の対応するリソースブロックを測定する、請求項8に記載の方法。
【請求項１４】
第2のネットワークデバイスにより第1のネットワークデバイスに、第1の周波数領域指示情報を含むCSI構成情報を送信する前記ステップは、
無線リソース制御RRCまたは物理層シグナリングを使用することによって前記第2のネットワークデバイスにより前記第1のネットワークデバイスに、前記第1の周波数領域指示情報を含む前記CSI構成情報を送信するステップを含む、請求項8から13のいずれか一項に記載の方法。
【請求項１５】
前記第1のネットワークデバイスによって送信されたCSIを、前記第2のネットワークデバイスにより取得するステップをさらに含み、
前記CSIは、
前記複数のリソースブロック内のターゲットリソースブロックに対応し、かつ前記第1のネットワークデバイスによって取得されたCSI、または、
前記複数のリソースブロック内のターゲットリソースブロックに対応するCSIを取得し、前記ターゲットリソースブロックに対応する前記CSIを予め設定された方式で処理することによって前記第1のネットワークデバイスにより取得されたCSIを含む、請求項9から11のいずれか一項に記載の方法。
【請求項１６】
第1の周波数領域指示情報を含み、かつ第2のネットワークデバイスによって送信されるCSI構成情報を取得するように構成された受信部であって、前記CSI構成情報は前記第1の周波数領域指示情報を含み、前記CSI構成情報は、第1のネットワークデバイスにCSI測定を実行するように指示するために使用され、前記第1の周波数領域指示情報は、前記第1のネットワークデバイスがCSI測定を実行する周波数領域位置を示すために使用される、受信部と、
前記CSI構成情報に基づいて、前記第1の周波数領域指示情報によって示された前記周波数領域位置における基準信号を測定するように構成された処理部と
を含む、チャネル状態情報CSI測定装置であって、
前記第1の周波数領域指示情報は、チャネル帯域幅分割情報を含み、前記チャネル帯域幅分割情報は、チャネル帯域幅を複数のリソースブロックに分割する方法を示すために使用される、装置。
【請求項１７】
前記第1の周波数領域指示情報は、チャネル帯域幅分割情報を含み、前記チャネル帯域幅分割情報は、チャネル帯域幅を複数のリソースブロックに分割する方式を示すために使用される、請求項16に記載の装置。
【請求項１８】
前記処理部は、予め設定された分割方式でチャネル帯域幅を複数のリソースブロックに分割するようにさらに構成される、
請求項16に記載の装置。
【請求項１９】
前記第1の周波数領域指示情報は、前記チャネル帯域幅の前記複数のリソースブロックの各々に対応する周波数領域測定識別子を含み、
前記処理部は、前記チャネル帯域幅の前記複数のリソースブロックの各々に対応する前記周波数領域測定識別子を取得するようにさらに構成され、前記周波数領域測定識別子は、第1の測定識別子と第2の測定識別子とを含み、
前記処理部は、前記チャネル帯域幅内の周波数領域測定識別子が前記第1の測定識別子であるリソースブロック上の基準信号を測定するようにさらに構成される、請求項16から18のいずれか一項に記載の装置。
【請求項２０】
前記第1の周波数領域指示情報は、測定対象リソースブロックの情報識別子を含み、
前記処理部は、前記測定対象リソースブロックの前記情報識別子を取得するようにさらに構成され、前記情報識別子は、測定リソースの周波数領域位置を示すために使用され、
前記処理部は、前記周波数領域位置に対応するリソースブロック上の基準信号を測定するようにさらに構成される、請求項16に記載の装置。
【請求項２１】
無線リソース制御RRCまたは物理層シグナリングを使用することによって、前記第1の周波数領域指示情報を含み、かつ前記第2のネットワークデバイスによって送信される前記CSI構成情報を取得するために、前記受信部が前記第1のネットワークデバイスにより使用される、
請求項16から20のいずれか一項に記載の装置。
【請求項２２】
送信部は、取得されたCSIを前記第2のネットワークデバイスに送信するように構成され、
前記取得されたCSIは、
前記複数のリソースブロック内のターゲットリソースブロックに対応し、かつ前記第1のネットワークデバイスによって取得されたCSI、または、
前記複数のリソースブロック内のターゲットリソースブロックに対応するCSIを取得し、前記ターゲットリソースブロックに対応する前記CSIを、予め設定された方式で、処理することによって前記第1のネットワークデバイスにより取得されたCSIを含む、請求項17から19のいずれか一項に記載の装置。
【請求項２３】
チャネル状態情報CSI測定装置であって、
第1の周波数領域指示情報を含むCSI構成情報を第1のネットワークデバイスに送信するように構成された、送信部を含み、前記CSI構成情報は、前記第1のネットワークデバイスにCSI測定を実行するように指示するために使用され、前記第1の周波数領域指示情報は、前記第1のネットワークデバイスがCSI測定を実行する周波数領域位置を示すために使用され、その結果、前記第1のネットワークデバイスが、前記CSI構成情報に基づいて、前記第1の周波数領域指示情報によって示される前記周波数領域位置における基準信号を測定する、装置。
【請求項２４】
前記第1の周波数領域指示情報は、チャネル帯域幅分割情報を含み、前記チャネル帯域幅分割情報は、チャネル帯域幅を複数のリソースブロックに分割する方式を示すために使用される、請求項23に記載の装置。
【請求項２５】
予め設定された分割方式でチャネル帯域幅を複数のリソースブロックに分割するように構成される処理部
をさらに含む、請求項23に記載の装置。
【請求項２６】
前記第1の周波数領域指示情報は、前記チャネル帯域幅の前記複数のリソースブロックの各々に対応する周波数領域測定識別子を含む、請求項23から25のいずれか一項に記載の装置。
【請求項２７】
前記周波数領域測定識別子は、第1の測定識別子と第2の測定識別子とを含み、
前記処理部は、前記チャネル帯域幅内の周波数領域測定識別子が前記第1の測定識別子であるリソースブロック上の基準信号を測定するように前記第1のネットワークデバイスに指示するようにさらに構成され、
前記処理部は、前記チャネル帯域幅内の周波数領域測定識別子が前記第2の測定識別子であるリソースブロック上の基準信号を測定しないように前記第1のネットワークデバイスに指示するようにさらに構成される、請求項26に記載の装置。
【請求項２８】
前記第1の周波数領域指示情報は、測定対象リソースブロックの情報識別子を含み、その結果、前記第1のネットワークデバイスが、前記情報識別子に基づいて前記チャネル帯域幅の対応するリソースブロックを測定する、請求項23に記載の装置。
【請求項２９】
前記送信部は、無線リソース制御RRCまたは物理層シグナリングを使用することによって、前記第1の周波数領域指示情報を含む前記CSI構成情報を前記第1のネットワークデバイスに送信するようにさらに構成される、
請求項23から28のいずれか一項に記載の装置。
【請求項３０】
前記送信部は、前記第1のネットワークデバイスによって送信されたCSIを取得するように構成され、
前記CSIは、
前記複数のリソースブロック内のターゲットリソースブロックに対応し、かつ前記第1のネットワークデバイスによって取得されたCSI、または、
前記複数のリソースブロック内のターゲットリソースブロックに対応するCSIを取得し、前記ターゲットリソースブロックに対応する前記CSIを予め設定された方式で処理することによって前記第1のネットワークデバイスにより取得されたCSIをさらに含む、請求項24から26のいずれか一項に記載の装置。
【請求項３１】
端末によって、基地局から第1の情報を受信するステップであって、前記第1の情報は、CSI干渉測定の周波数領域情報を含み、前記CSI干渉測定の前記周波数領域情報とCSIチャネル測定の周波数領域情報との間には対応関係がある、ステップと、
前記CSI干渉測定の前記周波数領域情報に基づいて、前記CSI干渉測定の前記周波数領域情報に対応する周波数領域位置においてCSI干渉測定リソース上の干渉を、前記端末によって測定するステップと
を含む、干渉測定方法。
【請求項３２】
前記第1の情報はCSI構成情報であり、前記CSI構成情報は前記CSIチャネル測定の前記周波数領域情報を含み、前記CSIチャネル測定の前記周波数領域情報および／または前記CSI干渉測定の前記周波数領域情報は、全帯域幅の複数のサブセットであるか、または全帯域幅の1つのサブセットである、請求項31に記載の方法。
【請求項３３】
基地局によって、CSI干渉測定の周波数領域情報を決定するステップであって、前記CSI干渉測定の前記周波数領域情報とCSIチャネル測定の周波数領域情報との間には対応関係がある、ステップと、
前記基地局によって、第1の情報を端末に送信するステップであって、前記第1の情報は、前記CSI干渉測定の前記周波数領域情報を含む、ステップと
を含む、干渉測定方法。
【請求項３４】
前記CSIチャネル測定の前記周波数領域情報および／または前記CSI干渉測定の前記周波数領域情報は、全帯域幅の複数のサブセットであるか、または全帯域幅の1つのサブセットである、請求項33に記載の方法。
【請求項３５】
端末によって、基地局から第2の情報を受信するステップであって、前記第2の情報は、CSIチャネル測定の周波数領域情報を含み、CSI干渉測定の周波数領域情報と前記CSIチャネル測定の前記周波数領域情報との間には対応関係がある、ステップと、
前記端末によって、前記CSIチャネル測定の前記周波数領域情報に基づいて前記CSI干渉測定の前記周波数領域情報を決定するステップと、前記CSI干渉測定の前記周波数領域情報に対応する周波数領域位置においてCSI干渉測定リソース上の干渉を測定するステップと
を含む、干渉測定方法。
【請求項３６】
前記CSIチャネル測定の前記周波数領域情報および／または前記CSI干渉測定の前記周波数領域情報は、全帯域幅の複数のサブセットであるか、または全帯域幅の1つのサブセットである、請求項35に記載の方法。
【請求項３７】
基地局によって、CSIチャネル測定の周波数領域情報を取得するステップと、
前記基地局によって、端末に第2の情報を送信するステップであって、前記第2の情報は、前記CSIチャネル測定の前記周波数領域情報を含み、CSI干渉測定の周波数領域情報と前記CSIチャネル測定の前記周波数領域情報との間には対応関係がある、ステップと
を含む、干渉測定方法。
【請求項３８】
前記CSI干渉測定の前記周波数領域情報および／または前記CSIチャネル測定の前記周波数領域情報は、全帯域幅の複数のサブセットであるか、または全帯域幅の1つのサブセットである、請求項37に記載の方法。
【請求項３９】
基地局から第1の情報を受信するように構成されたトランシーバ部であって、前記第1の情報は、CSI干渉測定の周波数領域情報を含み、前記CSI干渉測定の前記周波数領域情報とCSIチャネル測定の周波数領域情報との間には対応関係がある、トランシーバ部と、
前記CSI干渉測定の前記周波数領域情報に基づいて、前記CSI干渉測定の前記周波数領域情報に対応する周波数領域位置においてCSI干渉測定リソース上の干渉を測定するように構成された処理部と
を含む、干渉測定装置。
【請求項４０】
前記第1の情報はCSI構成情報であり、前記CSI構成情報は前記CSIチャネル測定の前記周波数領域情報を含み、前記CSIチャネル測定の前記周波数領域情報および／または前記CSI干渉測定の前記周波数領域情報は、全帯域幅の複数のサブセットであるか、または全帯域幅の1つのサブセットである、請求項39に記載の装置。
【請求項４１】
CSI干渉測定の周波数領域情報を決定するように構成された処理部であって、前記CSI干渉測定の前記周波数領域情報とCSIチャネル測定の周波数領域情報との間には対応関係がある、処理部と、
端末に第1の情報を送信するように構成されたトランシーバ部であって、前記第1の情報は、前記CSI干渉測定の前記周波数領域情報を含む、トランシーバ部と
を含む、干渉測定装置。
【請求項４２】
前記CSIチャネル測定の前記周波数領域情報および／または前記CSI干渉測定の前記周波数領域情報は、全帯域幅の複数のサブセットであるか、または全帯域幅の1つのサブセットである、請求項41に記載の装置。
【請求項４３】
基地局から第2の情報を受信するように構成されたトランシーバ部であって、前記第2の情報は、CSIチャネル測定の周波数領域情報を含み、CSI干渉測定の周波数領域情報と前記CSIチャネル測定の前記周波数領域情報との間には対応関係がある、トランシーバ部と、
前記CSIチャネル測定の前記周波数領域情報に基づいて前記CSI干渉測定の前記周波数領域情報を決定し、前記CSI干渉測定の前記周波数領域情報に対応する周波数領域位置においてCSI干渉測定リソース上の干渉を測定するように構成された処理部と
を含む、干渉測定装置。
【請求項４４】
前記CSIチャネル測定の前記周波数領域情報および／または前記CSI干渉測定の前記周波数領域情報は、全帯域幅の複数のサブセットであるか、または全帯域幅の1つのサブセットである、請求項43に記載の装置。
【請求項４５】
CSIチャネル測定の周波数領域情報を取得するように構成された処理部と、
端末に第2の情報を送信するように構成されたトランシーバ部であって、前記第2の情報は、前記CSIチャネル測定の前記周波数領域情報を含み、CSI干渉測定の周波数領域情報と前記CSIチャネル測定の前記周波数領域情報との間には対応関係がある、トランシーバ部と
を含む、干渉測定装置。
【請求項４６】
前記CSI干渉測定情報および／または前記CSIチャネル測定の前記周波数領域情報は、全帯域幅の複数のサブセットであるか、または全帯域幅の1つのサブセットである、請求項45に記載の装置。
【請求項４７】
前記CSI干渉測定の前記周波数領域情報とCSIチャネル測定の周波数領域情報との間には対応関係があるということは、
前記CSI干渉測定の前記周波数領域情報は、前記CSIチャネル測定の前記周波数領域情報と同じであるか、または、
前記CSI干渉測定の前記周波数領域情報は、前記CSIチャネル測定の前記周波数領域情報と部分的に同じであるか、または、
前記CSI干渉測定の前記周波数領域情報は、前記CSIチャネル測定の前記周波数領域情報とは異なる、ということを含む、
請求項31から38のいずれか一項に記載の方法、または請求項39から46のいずれか一項に記載の装置。
【請求項４８】
前記CSI干渉測定リソースは、非ゼロ電力チャネル状態情報基準信号NZP CSI−RSリソースおよび／またはゼロ電力チャネル状態情報基準信号ZP CSI−RSリソースを含む、請求項31から38のいずれか一項に記載の方法、あるいは請求項39から46のいずれか一項および請求項47に記載の装置。
【請求項４９】
前記全帯域幅のサブセットは、N個のリソースユニットを含み、Nは1以上であり、前記全帯域幅のリソースユニットの総数より少ないか、または、
前記全帯域幅のサブセットはM個のサブバンドを含み、Mは1以上であり、前記全帯域幅のサブバンドの総数よりも少ない、請求項31から38のいずれか一項に記載の方法、あるいは請求項39から46のいずれか一項および請求項47もしくは48に記載の装置。
【請求項５０】
前記CSIチャネル測定は、チャネル品質指標CQI測定、プリコーディング行列指標PMIの測定、ランク表示RIの測定、およびCRI測定のうちの1つまたは組み合わせを含む、請求項31から38のいずれか一項に記載の方法、あるいは請求項39から46のいずれか一項および請求項47、48、もしくは49に記載の装置。
【請求項５１】
命令を含むコンピュータ可読記憶媒体であって、前記命令がコンピュータ上で実行された場合に、前記コンピュータは請求項1から7のいずれか一項に記載の方法を実行するか、または前記コンピュータは請求項8から15のいずれか一項に記載の方法を実行するか、または前記コンピュータは請求項31または32に記載の方法を実行するか、または前記コンピュータは請求項33または34に記載の方法を実行するか、または前記コンピュータは請求項35または36に記載の方法を実行するか、または前記コンピュータは請求項37または38に記載の方法を実行する、コンピュータ可読記憶媒体。
【請求項５２】
プロセッサを含むネットワークデバイスであって、前記プロセッサは、第2のネットワークデバイスによって送信された第1の周波数領域指示情報を含むCSI構成情報を取得し、前記CSI構成情報は、ネットワークデバイスにCSI測定を実行するように指示するために使用され、前記第1の周波数領域指示情報は、前記ネットワークデバイスがCSI測定を実行する周波数領域位置を指示するために使用され、CSIを取得するために、前記CSI構成情報に基づいて、前記第1の周波数領域指示情報によって示される前記周波数領域位置における基準信号を測定するように構成される、ネットワークデバイス。
【請求項５３】
プロセッサを含むネットワークデバイスであって、前記プロセッサは、第1の周波数領域指示情報を含むCSI構成情報を第1のネットワークデバイスに送信するように構成され、前記CSI構成情報は、前記第1のネットワークデバイスにCSI測定を実行するように指示するために使用され、前記第1の周波数領域指示情報は、前記第1のネットワークデバイスがCSI測定を実行する周波数領域位置を指示するために使用され、その結果、前記第1のネットワークデバイスが、前記CSI構成情報に基づいて、前記第1の周波数領域指示情報によって示される前記周波数領域位置における基準信号を測定する、ネットワークデバイス。
【請求項５４】
プロセッサを含む端末デバイスであって、前記プロセッサは、基地局から第1の情報を取得し、前記第1の情報は、CSI干渉測定の周波数領域情報を含み、前記CSI干渉測定の前記周波数領域情報とCSIチャネル測定の周波数領域情報との間には対応関係があり、前記CSI干渉測定の前記周波数領域情報に基づいて、前記CSI干渉測定の前記周波数領域情報に対応する周波数領域位置においてCSI干渉測定リソース上の干渉を測定するように構成されるか、または前記プロセッサは、基地局から第2の情報を取得し、前記第2の情報は、CSIチャネル測定の周波数領域情報を含み、CSI干渉測定の周波数領域情報と前記CSIチャネル測定の前記周波数領域情報との間には対応関係があり、前記CSIチャネル測定の前記周波数領域情報に基づいて前記CSI干渉測定の前記周波数領域情報を決定し、前記CSI干渉測定の前記周波数領域情報に対応する周波数領域位置においてCSI干渉測定リソース上の干渉を測定するように構成される、端末デバイス。
【請求項５５】
プロセッサを含む基地局であって、前記プロセッサは、CSI干渉測定の周波数領域情報を決定するように構成され、前記CSI干渉測定の前記周波数領域情報とCSIチャネル測定の周波数領域情報との間には対応関係があり、端末に第1の情報を送信し、前記第1の情報は、前記CSI干渉測定の周波数領域情報を含み、または、前記プロセッサは端末に第2の情報を送信するように構成され、前記第2の情報は、前記CSIチャネル測定の前記周波数領域情報を含み、CSI干渉測定の周波数領域情報と前記CSIチャネル測定の前記周波数領域情報との間には対応関係がある、基地局。
【手続補正２】
【補正対象書類名】明細書
【補正対象項目名】０００４
【補正方法】変更
【補正の内容】
【０００４】
分散型MIMOでは、セル間干渉に対処し、かつエッジユーザのスループットを向上させる有効な方法として、CoMP（Coordinated Multipoint Transmission、協調マルチポイント伝送）が考えられている。CoMP技術では、干渉を回避し、エッジユーザのスループットを向上させるために、複数の隣接セルに対してジョイント処理を実行するか、またはエッジユーザを協調させることができる。ダウンリンクCoMP技術は、主に、JT（Joint Transmission、ジョイント伝送）、協調スケジューリング（Coordinated Scheduling、CS）および協調ビームフォーミング（Coordinated Beamforming、CB）、およびDPS／DPB（Dynamic Point Selection／Dynamic Point Blanking、ダイナミックポイント選択／ダイナミックポイントブランキング）を含む。JTはコヒーレントJTとインコヒーレントJTに分類される。CoMPスケジューリングを実施するために、サービング基地局は、各局からターゲットユーザへのダウンリンクチャネルの状態を知る必要がある。
【手続補正３】
【補正対象書類名】明細書
【補正対象項目名】０００５
【補正方法】変更
【補正の内容】
【０００５】
LTE（Long Term Evolution、ロングタームエボリューション）仕様は基準信号、すなわちCSI−RS（Channel State Information Reference Signal、チャネル状態情報基準信号）を提供する。端末は、特定のCSI−RSを測定することによってチャネル干渉状態を推定し、CSI−IM（Channel State Information Interference Measurement、チャネル状態情報干渉測定）情報を取得し、PUCCH（Physical uplink control channel、物理アップリンク制御チャネル）を介してCSI−IM情報をサービング基地局に報告する。特定のCSI−RSを受信し処理し、必要なフィードバック情報を提供するように端末を構成するために、基地局は、上位層のRRC（Radio resource control、無線リソース制御）シグナリングを構成することによって指示を端末に提供する。しかしながら、CoMP技術の一つであるJTでは、一人のユーザに対して複数のセルが同時にデータを送信するようにスケジューリングされる。これは、異なる周波数領域位置で異なる干渉状態を引き起こす。あるいは、5Gでは、異なる種類のデータが異なる周波数領域位置で送信される。これはまた、異なる周波数領域位置において異なる干渉状態を引き起こす。従来技術では、CSI−IMおよびCSIレートマッチングは通常、全帯域幅に基づいて構成され、帯域幅の特定の周波数領域位置における干渉状態を測定することができない。
【手続補正４】
【補正対象書類名】明細書
【補正対象項目名】００１５
【補正方法】変更
【補正の内容】
【００１５】
複数のリソースブロック内のターゲットリソースブロックに対応し、かつ第1のネットワークデバイスによって取得されたCSI、または、複数のリソースブロック内のターゲットリソースブロックに対応するCSIを取得し、ターゲットリソースブロックに対応するCSIを予め設定された方法で処理することによって第1のネットワークデバイスにより取得されたCSI。
【手続補正５】
【補正対象書類名】明細書
【補正対象項目名】００２０
【補正方法】変更
【補正の内容】
【００２０】
任意選択で、周波数領域測定識別子は、第1の測定識別子と第2の測定識別子とを含み、第1の測定識別子は、チャネル帯域幅内の周波数領域測定識別子が第1の測定識別子であるリソースブロック上の基準信号を測定するように第1のネットワークデバイスに指示するために使用され、第2の測定識別子は、チャネル帯域幅内の周波数領域測定識別子が第2の測定識別子であるリソースブロック上の基準信号を測定しないように第1のネットワークデバイスに指示するために使用される。
【手続補正６】
【補正対象書類名】明細書
【補正対象項目名】００２１
【補正方法】変更
【補正の内容】
【００２１】
本願の実施形態の第3の態様によれば、CSI測定方法が提供され、本方法は、第2のネットワークデバイスにより第1のネットワークデバイスに、第1の周波数領域指示情報を含むCSI構成情報を送信するステップを含み、CSI構成情報は、第1のネットワークデバイスにCSI測定を実行するように指示するために使用され、第1の周波数領域指示情報は、第1のネットワークデバイスがCSI測定を実行する周波数領域位置を指示するために使用され、その結果、第1のネットワークデバイスが、CSI構成情報に基づいて、第1の周波数領域指示情報によって示される周波数領域位置における基準信号を測定する。第1の周波数領域指示情報は、測定対象リソースブロックの情報識別子を含み、その結果、第1のネットワークデバイスが、情報識別子に基づいてチャネル帯域幅の対応するリソースブロックを測定する。
【手続補正７】
【補正対象書類名】明細書
【補正対象項目名】００３４
【補正方法】変更
【補正の内容】
【００３４】
任意選択で、レートマッチング識別子は第1のレートマッチング識別子および第2の測定識別子を含み、第1の測定識別子は、チャネル帯域幅内のレートマッチング識別子が第1の測定識別子であるリソースブロック上のデータに対してレートマッチングを実行するように第1のネットワークデバイスに指示するために使用され、第2の測定識別子は、チャネル帯域幅内のレートマッチング識別子が第2の測定識別子であるリソースブロック上のデータに対してレートマッチングを実行しないように第1のネットワークデバイスに指示するために使用される。
【手続補正８】
【補正対象書類名】明細書
【補正対象項目名】００４１
【補正方法】変更
【補正の内容】
【００４１】
任意選択で、処理部が予め設定された分割方式でチャネル帯域幅を複数のリソースブロックに分割するようにさらに構成される。
【手続補正９】
【補正対象書類名】明細書
【補正対象項目名】００４５
【補正方法】変更
【補正の内容】
【００４５】
任意選択で、受信部は、無線リソース制御RRCまたは物理層シグナリングを使用することによって、第1の周波数領域指示情報を含み、かつ第2のネットワークデバイスによって送信されるCSI構成情報を取得するように構成される。
【手続補正１０】
【補正対象書類名】明細書
【補正対象項目名】００４６
【補正方法】変更
【補正の内容】
【００４６】
任意選択で、装置は、取得されたCSIを第2のネットワークデバイスに送信するように構成された送信部をさらに含み、取得されたCSIは以下を含む。
【手続補正１１】
【補正対象書類名】明細書
【補正対象項目名】００４７
【補正方法】変更
【補正の内容】
【００４７】
複数のリソースブロック内のターゲットリソースブロックに対応し、かつ第1のネットワークデバイスによって取得されたCSI、または、複数のリソースブロック内のターゲットリソースブロックに対応するCSIを取得し、ターゲットリソースブロックに対応するCSIを予め設定された方法で処理することによって第1のネットワークデバイスにより取得されたCSI。
【手続補正１２】
【補正対象書類名】明細書
【補正対象項目名】００４８
【補正方法】変更
【補正の内容】
【００４８】
本願の実施形態の第7の態様によれば、チャネル状態情報CSI測定装置が提供され、本装置は、第1の周波数領域指示情報を含むCSI構成情報を第1のネットワークデバイスに送信するように構成された送信部を含み、CSI構成情報は、第1のネットワークデバイスにCSI測定を実行するように指示するために使用され、第1の周波数領域指示情報は、第1のネットワークデバイスがCSI測定を実行する周波数領域位置を指示するために使用され、その結果、第1のネットワークデバイスが、CSI構成情報に基づいて、第1の周波数領域指示情報によって示される周波数領域位置における基準信号を測定する。
【手続補正１３】
【補正対象書類名】明細書
【補正対象項目名】００５２
【補正方法】変更
【補正の内容】
【００５２】
任意選択で、周波数領域測定識別子は、第1の測定識別子と第2の測定識別子とを含み、処理部は、チャネル帯域幅内の周波数領域測定識別子が第1の測定識別子であるリ基準信号上のソースブロックを測定するように第1のネットワークデバイスに指示するようにさらに構成され、処理部は、チャネル帯域幅内の周波数領域測定識別子が第2の測定識別子である基準信号上のリソースブロックを測定しないように第1のネットワークデバイスに指示するようにさらに構成される。
【手続補正１４】
【補正対象書類名】明細書
【補正対象項目名】００５５
【補正方法】変更
【補正の内容】
【００５５】
任意選択で、送信部が、第1のネットワークデバイスによって送信されたCSIを取得するように構成される。
【手続補正１５】
【補正対象書類名】明細書
【補正対象項目名】００６０
【補正方法】変更
【補正の内容】
【００６０】
本願の実施形態で提供される可能な設計では、CSIチャネル測定の周波数領域情報およびCSI干渉測定の周波数領域情報は全帯域幅のサブセットであり、CSIチャネル測定の周波数領域情報もしくはCSI干渉測定の周波数領域情報は全帯域幅のサブセットである。
【手続補正１６】
【補正対象書類名】明細書
【補正対象項目名】００６２
【補正方法】変更
【補正の内容】
【００６２】
本願の実施形態で提供される可能な設計では、CSIチャネル測定の周波数領域情報およびCSI干渉測定の周波数領域情報は全帯域幅のサブセットであり、CSIチャネル測定の周波数領域情報もしくはCSI干渉測定の周波数領域情報は全帯域幅のサブセットである。
【手続補正１７】
【補正対象書類名】明細書
【補正対象項目名】００６４
【補正方法】変更
【補正の内容】
【００６４】
本願の実施形態で提供される可能な設計では、CSI干渉測定の周波数領域情報および／またはCSIチャネル測定の周波数領域情報は、全帯域幅の複数のサブセットであるか、または全帯域幅の1つのサブセットである。
【手続補正１８】
【補正対象書類名】明細書
【補正対象項目名】００７０
【補正方法】変更
【補正の内容】
【００７０】
本願の実施形態で提供される可能な設計では、CSI干渉測定の周波数領域情報および／またはCSIチャネル測定の周波数領域情報は、全帯域幅の複数のサブセットであるか、または全帯域幅の1つのサブセットである。
【手続補正１９】
【補正対象書類名】明細書
【補正対象項目名】００７２
【補正方法】変更
【補正の内容】
【００７２】
本願の実施形態で提供される可能な設計では、CSI干渉測定の周波数領域情報およびCSIチャネル測定の周波数領域情報は全帯域幅のサブセットである。
【手続補正２０】
【補正対象書類名】明細書
【補正対象項目名】００７７
【補正方法】変更
【補正の内容】
【００７７】
本明細書の添付の図面は、本明細書に組み込まれ、本明細書の一部を構成し、本願の実施形態を示し、本明細書と共に本願の原理を説明するために使用される。
【手続補正２１】
【補正対象書類名】明細書
【補正対象項目名】００８１
【補正方法】変更
【補正の内容】
【００８１】
例えば、図1に示すように、端末は、CoMP技術を用いて伝送ポイントTP1と伝送ポイントTP2と同時に通信する。この場合、端末とTP1との間に通信チャネルがあり、端末とTP2との間にも通信チャネルがある。端末は、2つの通信チャネルのチャネル帯域幅に対して別々にCSI−IMを実行し、2つの通信チャネルのチャネル帯域幅の最適なスケジューリングサブバンドを別々に取得して、TP1およびTP2がそれぞれ対応する最適なサブバンドを使用して端末と通信する。しかしながら、2つの通信チャネルは重なり合って、2つの通信チャネル間に相互干渉を引き起こす可能性がある。その結果、2つの通信チャネルの異なるサブバンドも異なる程度の干渉を受けやすく、関連技術において端末がCSI−IMを行った後に得られる測定結果は不正確になる可能性がある。さらに、関連技術において全帯域幅で実行されるCSI−IMもまた大きなパイロットオーバーヘッドおよびリソースの浪費を引き起こす。
【手続補正２２】
【補正対象書類名】明細書
【補正対象項目名】００８４
【補正方法】変更
【補正の内容】
【００８４】
ネットワークデバイスの一例は、基地局または他の種類の伝送ポイントデバイスであってもよい。もちろん、ネットワークデバイスは、上記2種類のデバイスに限定されない。例えば、第2のネットワークデバイスは、代替として、別の端末に対する構成動作を実施することができる端末であってもよい。
【手続補正２３】
【補正対象書類名】明細書
【補正対象項目名】００８５
【補正方法】変更
【補正の内容】
【００８５】
基地局は、LTEシステムまたは進化型LTEシステムにおける、進化型ノードB（Evolved Node B、略してeNBまたはe−NodeB）、マクロ基地局、マイクロ基地局（「スモールセル」とも呼ばれる）、ピコセル、アクセスポイント（Access Point、略してAP）、または伝送ポイント（Transmission Point、略してTP）などであってもよく、あるいは、将来のネットワークにおける基地局、例えば5Gネットワークにおける基地局であってもよい。
【手続補正２４】
【補正対象書類名】明細書
【補正対象項目名】００８７
【補正方法】変更
【補正の内容】
【００８７】
図1に示すように、基地局100と基地局300は同時に端末200と通信する。端末200のモビリティ管理および通信プロセスにおいて、端末200がCSI−IMを実行し、測定結果を基地局100および／もしくは基地局300に報告することは、基地局がハンドオーバ決定を実行するのを支援する重要な方法である。本実施形態について、図1の端末200と基地局100との間のチャネル帯域幅のCSI測定を例として用いて説明する。CSIは、端末200と基地局300との間のチャネル帯域幅についても同様に測定することができる。また、端末は、基地局100のチャネル帯域幅と基地局300のチャネル帯域幅でCSIを同時に測定してもよい。
【手続補正２５】
【補正対象書類名】明細書
【補正対象項目名】００９０
【補正方法】変更
【補正の内容】
【００９０】
関連技術で使用されるCSI構成情報は以下の通りである。サービング基地局は、ターゲットユーザに対して複数のCSIプロセスを構成することができる。各CSIプロセスにおいて、チャネル情報を測定するために、端末の非ゼロ電力（Non−zero power、NZP）が示され、干渉を測定するために、干渉測定リソース（Interference measurement resource、IMR）も示される。さらに、各CSIプロセスに対応するユーザの報告内容および／もしくは報告方法は、対応して構成中に指定される。
【手続補正２６】
【補正対象書類名】明細書
【補正対象項目名】００９２
【補正方法】変更
【補正の内容】
【００９２】
チャネル帯域幅は分割される必要があるので、端末200は、基地局100によって送信されたCSI構成情報に基づいて、対応する周波数領域位置における基準信号内のCSIを測定する。本願で提供されるこの実施形態では、チャネル帯域幅は2つの方法で分割することができる。第1のチャネル帯域幅分割方式では、基地局100と端末200とは予め設定された方法で分割を行う。第2の分割方式では、基地局100は、チャネル帯域幅分割方式を定義し、その分割方式をCSI構成情報に追加し、そしてCSI構成情報を端末200に送信することができる。端末200は、基地局100によって送信されたCSI構成情報に基づいてチャネル帯域幅分割を行ってもよい。
【手続補正２７】
【補正対象書類名】明細書
【補正対象項目名】００９４
【補正方法】変更
【補正の内容】
【００９４】
本願のこの実施形態では、チャネル帯域幅は複数のリソースブロックに分割され、各リソースブロックグループは1つのRB、2つのRB、または複数のRBであってもよいことに留意されたい。各リソースブロックに含まれるリソースは、チャネル帯域幅よりも小さくなければならない。分割後に得られるリソースブロック内のいくつかのリソースは重複してもよく、またはリソースブロック内のリソースは重複しなくてもよい。リソースブロック（Resource Block、RB）は、既存のLTE技術におけるリソースユニット（リソース粒度）である。5G以降のプロトコルでは、リソースユニットはRBに基づいて定義されない可能性がある。リソースユニットまたはリソース粒度は他の方法で指定されてもよい。これは本明細書に限定されない。例えば、チャネル帯域幅が100個のRBであり、チャネル帯域幅が2つのRBの粒度に基づいて分割される場合には、チャネル帯域幅は50個のリソースブロックグループに分割することができ、各リソースブロックグループは2つのRBである。
【手続補正２８】
【補正対象書類名】明細書
【補正対象項目名】０１０１
【補正方法】変更
【補正の内容】
【０１０１】
第1の測定方法では、チャネル帯域幅が分割された複数のリソースブロックのそれぞれは、1つの周波数領域測定識別子に対応する。周波数領域測定識別子は、第1の測定識別子と第2の測定識別子とに分類することができる。端末200は、第1の測定識別子に対応するリソースブロックを測定し、第2の測定識別子に対応するリソースブロックは測定しない。例えば、チャネル帯域幅が100個のRBであり、チャネル帯域幅が2つのRBの粒度に基づいて分割される場合には、チャネル帯域幅は50個のリソースブロックグループに分割され、各リソースブロックグループは2つのRBである。そして、CSI構成情報は、50個のリソースブロックグループを個別に識別するために、50ビットを含むことができる。例えば、測定識別子のビット情報が1または0であり、端末200は、測定識別子が1のリソースブロックを測定し、測定識別子が0のリソースブロック上の基準信号を測定しない。このように、端末200は、測定対象リソースブロックの測定識別子に基づいて対応する測定を行い、チャネル帯域幅上のCSIを正確に測定することができる。
【手続補正２９】
【補正対象書類名】明細書
【補正対象項目名】０１０２
【補正方法】変更
【補正の内容】
【０１０２】
例えば、第1の測定方法ではbit mappingが使用されてもよい。上記の実施形態のようにチャネル帯域幅が複数のリソースブロックグループに分割されるとき、各リソースブロックグループの粒度は以下のようになり得る。
【手続補正３０】
【補正対象書類名】明細書
【補正対象項目名】０１０３
【補正方法】変更
【補正の内容】
【０１０３】
（1）1つのRBの粒度に基づいてチャネル帯域幅測定を行う場合、第1の周波数領域指示情報で示されるbit mapping用のbit数は、チャネル帯域幅のRB数、すなわち
【数１】
2019530370.tif 000091
となる。
【数２】
2019530370.tif 000092
は、チャネル帯域幅のRB数を示す。
【手続補正３１】
【補正対象書類名】明細書
【補正対象項目名】０１０４
【補正方法】変更
【補正の内容】
【０１０４】
（2）2つのRBの粒度に基づいてチャネル帯域幅測定を行う場合、第1の周波数領域指示情報が示すbit mapping用のbit数は、チャネル帯域幅のRB数の半分、すなわち、
【数３】
2019530370.tif 000093
となる。
【手続補正３２】
【補正対象書類名】明細書
【補正対象項目名】０１１６
【補正方法】変更
【補正の内容】
【０１１６】
選択されたRBGサブセット内の開始RBのインデクスは、サブセット内の最小のRBインデックス＋シフト量Δshift（p）から始まり、開始RBはbitmap内の最上位ビットに対応する。シフト量は、RBの個数で表され、選択されたRBGサブセットに発生したシフトを示す。第2のフィールドが0の場合には、RBGサブセットpのシフトはΔshift（p）＝0である。第2のフィールドが1の場合には、RBGサブセットpのシフトは
【数４】
2019530370.tif 000094
となり、bitmapの最下位ビットは対応するRBGサブセットの最後のRBに調整される。
【手続補正３３】
【補正対象書類名】明細書
【補正対象項目名】０１２９
【補正方法】変更
【補正の内容】
【０１２９】
（1）
【数５】
2019530370.tif 000095
であれば、
【数６】
2019530370.tif 000096
であることがわかり、最終結果は
【数７】
2019530370.tif 000097
、
【数８】
2019530370.tif 000098
となる。（2）
【数９】
2019530370.tif 000099
であれば、
【数１０】
2019530370.tif 000100
であることがわかり、最終結果は
【数１１】
2019530370.tif 000101
、
【数１２】
2019530370.tif 000102
となる。分散リソース割り当てにおいて端末に割り当てられるリソースは
【数１３】
2019530370.tif 000103
RBであり、最大で
【数１４】
2019530370.tif 000104
RBであり、ここで、
【数１５】
2019530370.tif 000105
は増加ステップであり、次の表に示すように、ダウンリンクチャネル帯域幅
【数１６】
2019530370.tif 000106
に関連する。
【手続補正３４】
【補正対象書類名】明細書
【補正対象項目名】０１３０
【補正方法】変更
【補正の内容】
【０１３０】
【表３】
2019530370.tif 000107
【手続補正３５】
【補正対象書類名】明細書
【補正対象項目名】０１３７
【補正方法】変更
【補正の内容】
【０１３７】
具体的には、周波数領域指示情報は、CSI測定リソースのために構成されてもよく、またはCQI（Channel Quality Indicator、チャネル品質インジケータ）報告のために構成されてもよい。周波数領域指示情報がCSI測定リソースに対して構成されている場合には、それは、基準信号によって占有されているリソースが周波数領域指示情報によって示された周波数領域位置にのみあることを示し、UEは周波数領域位置にある基準信号のみを測定すればよい。周波数領域指示情報がCQI報告のために構成されている場合には、それは、UEによって報告されたCQIが、周波数領域指示情報によって指示された周波数領域位置における基準信号に基づいて取得されたCSIであることを示す。
【手続補正３６】
【補正対象書類名】明細書
【補正対象項目名】０１４０
【補正方法】変更
【補正の内容】
【０１４０】
基地局は、CSI Processにおいて干渉測定（CSI−IM）リソースの周波数領域指示情報を構成し、そのリソースの干渉測定が指示された周波数領域位置にのみ適用可能であることをUEに通知する。UEが周波数領域指示情報を受信した後に、UEは、リソースに対する干渉測定の間にリソースの周波数領域位置に対する影響のみを考慮する。
【手続補正３７】
【補正対象書類名】明細書
【補正対象項目名】０１５１
【補正方法】変更
【補正の内容】
【０１５１】
図1を参照すると、基地局100はレート構成情報を端末に送信する。レート構成情報は、第2の周波数領域指示情報を含む。レート構成情報は、端末200にレートマッチングを実行するように指示するために使用される。第2の周波数領域指示情報は、第2の周波数領域指示情報に対応する周波数領域位置にある基準信号のリソース位置にある受信データに対してレートマッチングを実行するように端末200に指示するために使用される。
【手続補正３８】
【補正対象書類名】明細書
【補正対象項目名】０１５２
【補正方法】変更
【補正の内容】
【０１５２】
本明細書における第2の周波数領域指示情報は、前述の実施形態における第1の周波数領域指示情報とは異なってもよい。前述の実施形態における第1の周波数領域指示情報は、主に、端末200がCSI測定を行う周波数領域位置を示すために使用される。ここで、第2の周波数領域指示情報は、主に、端末200がレートマッチングを行う周波数領域位置を示すものである。
【手続補正３９】
【補正対象書類名】明細書
【補正対象項目名】０１５４
【補正方法】変更
【補正の内容】
【０１５４】
レート構成情報に基づいてレートマッチングを行うプロセスにおいて、端末200は、さらにチャネル帯域幅を複数のリソースブロックに分割する必要がある。具体的には、チャネル帯域幅をリソースブロックに分割する方式として、上述の実施形態におけるチャネル分割方式を用いることができる。したがって、ここでは詳細については再度の説明を省略する。
【手続補正４０】
【補正対象書類名】明細書
【補正対象項目名】０１５７
【補正方法】変更
【補正の内容】
【０１５７】
UEが周波数領域指示情報を受信した後に、UEは、ZP CSI−RSリソースの位置に基づいてデータに対してレートマッチングを実行するときに、ZP CSI−RSリソースが位置する周波数帯域のみを考慮することができ、全帯域幅に基づいてレートマッチングを実行する必要はない。
【手続補正４１】
【補正対象書類名】明細書
【補正対象項目名】０１６１
【補正方法】変更
【補正の内容】
【０１６１】
CSI測定のための周波数領域指示情報および／またはレートマッチングのための周波数領域指示情報は、DCI（Downlink Control Information、ダウンリンク制御情報）に追加される。
【手続補正４２】
【補正対象書類名】明細書
【補正対象項目名】０１６６
【補正方法】変更
【補正の内容】
【０１６６】
このフィールドは、CSI測定のための基準信号の周波数領域位置情報を示すのに使用されるか、またはCSI報告のための周波数領域位置情報を示すのに使用される。さらに、基地局は、異なる測定リソース識別子について周波数領域指示情報を構成することができる。測定リソース識別子は、CSI−process ID、CSI−IM ID、NZP CSI−RS ID、または別の測定リソースの識別子であってもよい。これは本明細書に限定されない。
【手続補正４３】
【補正対象書類名】明細書
【補正対象項目名】０１７１
【補正方法】変更
【補正の内容】
【０１７１】
以下では、レートマッチングのための基準信号がZP CSI−RSである例を使用する。基地局100は、複数のZP CSI−RS IDを予め構成してもよい。UEにデータを送信するために使用されたZP CSI−RSが以前に構成されたRRCシグナリングにおけるものと異なる場合、基地局は物理層シグナリングを使用することによってZP CSI−RS IDのみをUEに通知することができる。言い換えれば、基地局は、異なるZP CSI−RS IDについて周波数領域指示情報を構成することができる。
【手続補正４４】
【補正対象書類名】明細書
【補正対象項目名】０１７３
【補正方法】変更
【補正の内容】
【０１７３】
レート構成情報内の第2の周波数領域指示情報は、チャネル帯域幅の複数のリソースブロックの各々が1つのレートマッチング識別子に対応することを含む。レートマッチング識別子は、第1のレートマッチング識別子と第2のレートマッチング識別子とに分類することができる。端末200は、チャネル帯域幅の複数のリソースブロックの各々に対応するレートマッチング識別子を取得し、チャネル帯域幅内のレートマッチング識別子が第1のレートマッチング識別子であるリソースブロック上の基準信号のリソース位置を決定する。ここで、前述の実施形態におけるbit mapping方式は、各リソースブロックと1つのレートマッチング識別子との間の対応関係を確立するために使用することができ、その結果、端末200が、レートマッチング識別子に基づいて対応するリソースブロックのデータに対してレートマッチングを行う。
【手続補正４５】
【補正対象書類名】明細書
【補正対象項目名】０１９８
【補正方法】変更
【補正の内容】
【０１９８】
複数のリソースブロック内のターゲットリソースブロックに対応し、かつ第1のネットワークデバイスによって取得されたCSI、または、複数のリソースブロック内のターゲットリソースブロックに対応するCSIを取得し、ターゲットリソースブロックに対応するCSIを予め設定された方法で処理することによって第1のネットワークデバイスにより取得されたCSI。
【手続補正４６】
【補正対象書類名】明細書
【補正対象項目名】０２０９
【補正方法】変更
【補正の内容】
【０２０９】
第1の測定識別子は、チャネル帯域幅内の周波数領域測定識別子が第1の測定識別子であるリソースブロック上の基準信号を測定するように第1のネットワークデバイスに指示するために使用される。
【手続補正４７】
【補正対象書類名】明細書
【補正対象項目名】０２１０
【補正方法】変更
【補正の内容】
【０２１０】
第2の測定識別子は、チャネル帯域幅内の周波数領域測定識別子が第2の測定識別子であるリソースブロック上の基準信号を測定しないように第1のネットワークデバイスに指示するために使用される。
【手続補正４８】
【補正対象書類名】明細書
【補正対象項目名】０２３６
【補正方法】変更
【補正の内容】
【０２３６】
さらに、レートマッチング識別子は、第1のレートマッチング識別子と第2の測定識別子とを含む。第1の測定識別子は、チャネル帯域幅内のレートマッチング識別子が第1の測定識別子であるリソースブロック上のデータに対してレートマッチングを実行するように第1のネットワークデバイスに指示するために使用される。第2の測定識別子は、チャネル帯域幅内のレートマッチング識別子が第2の測定識別子であるリソースブロック上のデータに対してレートマッチングを実行しないように第1のネットワークデバイスに指示するために使用される。
【手続補正４９】
【補正対象書類名】明細書
【補正対象項目名】０２３８
【補正方法】変更
【補正の内容】
【０２３８】
本願で提供される別の実施形態では、チャネルのマルチパスフェージング、ドップラー特徴などのために、異なる周波数領域位置（またはサブバンド）に対するチャネル行列は異なる。基地局が協調インコヒーレントJTを実行する場合、異なる周波数領域位置（またはサブバンド）に対するチャネルは異なる。したがって、プリコーディング行列が送信のために選択されるとき、異なる周波数領域位置に対するプリコーディング行列もまた異なり、異なる周波数領域位置（またはサブバンド）におけるフロー間（またはレイヤ間、またはコードワード間）干渉は異なる。
【手続補正５０】
【補正対象書類名】明細書
【補正対象項目名】０２８３
【補正方法】変更
【補正の内容】
【０２８３】
CS／CBシナリオでは、特定のデータスケジューリング中に、隣接セルは、異なるプリコーディング行列／ビームを使用することによって異なる周波数帯域でデータを送信することができる。隣接セルにおけるデータ伝送のための異なるプリコーディング行列／ビームは、端末に対して異なる程度の干渉を引き起こす。例えば、異なるプリコーディング行列／ビームは、異なる場所では異なる信号エネルギー強度を生じさせ、さらに異なる周波数領域位置では異なる程度の干渉を引き起こす。したがって、ZP CSI−RSリソースが干渉測定に使用される場合、周波数領域情報は、チャネル測定の周波数領域情報に基づいて決定されてもよい。周波数領域情報に対応する周波数領域位置内のチャネル状態情報が取得され、チャネル状態情報測定の精度を向上させる。
【手続補正５１】
【補正対象書類名】明細書
【補正対象項目名】０３３４
【補正方法】変更
【補正の内容】
【０３３４】
CSIチャネル測定の周波数領域情報の具体的な表現形式は以下の通りであってもよい。
CSI報告構成情報またはCSI報告設定構成情報におけるCSI報告モード、ここで、CSI報告モードはCSIチャネル測定の周波数領域情報を示し、基準信号構成情報における、CSIチャネル測定基準信号の周波数領域情報、基準信号設定構成情報における、CSIチャネル測定基準信号の周波数領域情報、および、CSI測定設定構成情報における周波数領域情報。
【手続補正５２】
【補正対象書類名】明細書
【補正対象項目名】０３３６
【補正方法】変更
【補正の内容】
【０３３６】
具体的には、CSI報告モードはCSIチャネル測定の周波数領域情報を示すので、端末は、CSI干渉測定の周波数領域情報とCSIチャネル測定の周波数領域情報との間の対応関係に基づいて干渉測定の周波数領域情報を決定することができる。
別の例では、チャネル測定の周波数領域情報は、CSIチャネル測定基準信号の周波数領域情報によって代わりに示されてもよい。表示方法の詳細については、前述の実施形態の表示方法を参照されたい。
【手続補正５３】
【補正対象書類名】明細書
【補正対象項目名】０３３８
【補正方法】変更
【補正の内容】
【０３３８】
周期的CSI報告モードを受信した後に、端末は、CSI報告モードに基づいてCSIチャネル測定の周波数領域情報を決定し、さらにCSIチャネル測定を実行することができる。
【手続補正５４】
【補正対象書類名】明細書
【補正対象項目名】０３７２
【補正方法】変更
【補正の内容】
【０３７２】
CSIチャネル測定の周波数領域情報の具体的な表現形式は以下の通りであってもよい。
CSI報告構成情報またはCSI報告設定構成情報におけるCSI報告モード、ここで、CSI干渉報告モードはCSIチャネル測定の周波数領域情報を示し、基準信号構成情報における、CSIチャネル測定基準信号の周波数領域情報、基準信号設定構成情報における、CSIチャネル測定基準信号の周波数領域情報、および、CSI測定設定構成情報における周波数領域情報。
【手続補正５５】
【補正対象書類名】明細書
【補正対象項目名】０４０４
【補正方法】変更
【補正の内容】
【０４０４】
（2）CSI測定基準信号に関する情報を示すために使用されるリソース設定（Resource setting）構成情報。例えば、基準信号設定構成情報は、1つまたは複数のCSI−RSリソースセット（CSI−RS resource set）を含むことができる。各セットは、1つまたは複数のCSI−RSリソース構成情報を含むことができる。構成情報は、マッピングされた時間−周波数リソースの位置情報、アンテナポートの数、時間領域情報（周期的、非周期的、半永続的などであってもよい）などのうちの少なくとも1つを含み、RSタイプ指示情報をさらに含むことができる。
【手続補正５６】
【補正対象書類名】明細書
【補正対象項目名】０４０７
【補正方法】変更
【補正の内容】
【０４０７】
本願の前述の実施形態において提供される干渉測定方法は、協調シナリオに適用可能である。例えば、ダウンリンクCoMPは、主に、JT（Joint Transmission、ジョイント伝送）、協調スケジューリング（Coordinated Scheduling、CS）および協調ビームフォーミング（Coordinated Beamforming、CB）、およびDPS／DPB（Dynamic Point Selection／Dynamic Point Blanking、ダイナミックポイント選択／ブランキング）を含む。JTはコヒーレントJTとインコヒーレントJTに分類される。
【手続補正５７】
【補正対象書類名】明細書
【補正対象項目名】０４０８
【補正方法】変更
【補正の内容】
【０４０８】
図14に示すように、基地局400と基地局500がJTシナリオでジョイント伝送を行う場合、基地局400と基地局500のリソースは、3つの場合がある。すなわち、2つの基地局のリソースが、完全に重なる、部分的に重なる、および重ならない。2つの基地局のリソースが重なる場合には、フロー間（またはレイヤ間もしくはコードワード間）の干渉が生じる。例えば、2つの基地局のリソースが完全に重なる場合にCSIを測定するために、サブバンドCSI報告モードを構成することができる。端末は、チャネルを測定するときにサブバンド周波数領域情報を決定し、また干渉を測定するときにチャネル測定の同じサブバンド周波数領域情報を使用する。このようにして、リソースが重なる場合の測定により、フロー間（またはレイヤ間もしくはコードワード間）の干渉状態を取得することができる。この場合、干渉測定リソースはチャネル測定リソースと完全に同じである。具体的には、本願のこの実施形態では、干渉測定リソースがNZP CSI−RSリソースおよびZP CSI−RSリソースに分類される場合、NZP CSI−RSリソースは、フロー間（またはレイヤ間もしくはコードワード間）干渉を測定するために使用され、ZP CSI−RSリソースは、基地局400および基地局500とは異なる別の基地局によって生じる干渉を測定するために使用される。さらに、NZP CSI−RSリソースの干渉測定リソース情報は、チャネル測定リソース情報と同一であってもよく、全帯域幅測定は、ZP CSI−RSリソースを用いて干渉を測定する際に行ってもよい。
【手続補正５８】
【補正対象書類名】明細書
【補正対象項目名】０４０９
【補正方法】変更
【補正の内容】
【０４０９】
2つの基地局のリソースが部分的に重なる場合には、重なり合う部分にはフロー間干渉があり、重ならない部分にはフロー間（またはレイヤ間もしくはコードワード間）干渉はない。したがって、CSIを正確に測定するために、端末は、重ならない部分のチャネル測定におけるフロー間（またはレイヤ間もしくはコードワード間）干渉を無視して、重なり合う部分のチャネル測定におけるフロー間（またはレイヤ間もしくはコードワード間）干渉を考慮するように構成することができる。具体的には、基地局1のデータ伝送におけるCSIが測定される場合、端末は、チャネル測定サブバンド1上のフロー間（またはレイヤ間もしくはコードワード間）干渉の測定をスキップし、測定サブバンド2上の基地局2のためのフロー間（またはレイヤ間もしくはコードワード間）干渉測定を考慮するように構成することができる。（この場合、干渉測定リソースはチャネル測定リソースと部分的に同じである。）具体的には、干渉測定リソースがNZP CSI−RSおよびZP CSI−RSに分類される場合、NZP CSI−RSは、フロー間（またはレイヤ間もしくはコードワード間）干渉を測定するために使用することができ、ZP CSI−RSは、基地局1および基地局2とは異なる別の基地局によって生じる干渉を測定するために使用することができる。さらに、NZP CSI−RSの干渉測定リソース情報は、チャネル測定リソース情報と同一であってもよく、全帯域幅測定は、ZP CSI−RSを用いて干渉を測定する際に行ってもよい。例えば、サブバンド1が測定される場合、全帯域幅測定により干渉を測定するためにZP CSI−RSのみが構成される。サブバンド2が測定される場合、NZP CSI−RSはサブバンド2上のフロー間（またはレイヤ間もしくはコードワード間）干渉を測定するように構成することができる。ZP CSI−RSが干渉を測定するように構成されている場合、全帯域幅測定を構成することができる。
【手続補正５９】
【補正対象書類名】明細書
【補正対象項目名】０４２０
【補正方法】変更
【補正の内容】
【０４２０】
本願のこの実施形態で提供される可能な実施態様では、CSI干渉測定の周波数領域情報およびCSIチャネル測定の周波数領域情報は全帯域幅のサブセットである。
【手続補正６０】
【補正対象書類名】明細書
【補正対象項目名】０４３３
【補正方法】変更
【補正の内容】
【０４３３】
さらに、第2のネットワークデバイス側では、本願の一実施形態は、第2のネットワークデバイスに適用される、レートマッチング方法を提供する。
【手続補正６１】
【補正対象書類名】明細書
【補正対象項目名】０４３７
【補正方法】変更
【補正の内容】
【０４３７】
D．Cに記載の方法であって、レートマッチング識別子は第1の測定識別子および第2の測定識別子を含み、第1のレートマッチング識別子は、チャネル帯域幅内のレートマッチング識別子が第1の測定識別子であるリソースブロック上のデータに対してレートマッチングを実行するように第1のネットワークデバイスに指示するために使用され、第2の測定識別子は、チャネル帯域幅内のレートマッチング識別子が第2の測定識別子であるリソースブロック上のデータに対してレートマッチングを実行しないように第1のネットワークデバイスに指示するために使用される。
【手続補正６２】
【補正対象書類名】明細書
【補正対象項目名】０４４１
【補正方法】変更
【補正の内容】
【０４４１】
方法の実施形態の前述の説明に基づいて、当業者は、本願がソフトウェアおよび必要な汎用ハードウェアプラットフォームによって実施することができること、または確かに、ハードウェアによって実施することができることを明確に理解することができる。多くの場合、ソフトウェアと必要な汎用ハードウェアプラットフォームを使用することによる実施態様の方がより良い実施態様である。そのような理解に基づいて、本質的に本願の技術的解決策、または先行技術に寄与する部分は、ソフトウェア製品の形で実施することができる。コンピュータソフトウェア製品は、記憶媒体に格納され、本願の実施形態に記載されている方法のすべてのステップまたはいくつかのステップを実行するようにコンピュータデバイス（パーソナルコンピュータ、サーバ、ネットワークデバイスなどであってもよい）に指示するためのいくつかの命令を含む。記憶媒体は、読み出し専用メモリ（ROM）、ランダムアクセスメモリ（RAM）、磁気ディスク、または光ディスクなどのプログラムコードを格納することができる任意の媒体を含む。
【手続補正６３】
【補正対象書類名】明細書
【補正対象項目名】０４４２
【補正方法】変更
【補正の内容】
【０４４２】
さらに、前述の実施形態の一実施態様では、本願の一実施形態は第1のネットワークデバイスをさらに提供する。図17に示すように、第1のネットワークデバイスは、第1の周波数領域指示情報を含み、かつ第2のネットワークデバイスによって送信されるCSI構成情報を取得するように構成された受信部11であって、CSI構成情報は第1の周波数領域指示情報を含み、CSI構成情報は、第1のネットワークデバイスにCSI測定を実行するように指示するために使用され、第1の周波数領域指示情報は、第1のネットワークデバイスがCSI測定を実行する周波数領域位置を指示するために使用される、受信部11と、CSI構成情報に基づいて、第1の周波数領域指示情報によって指示された周波数領域位置における基準信号を測定するように構成された処理部12と、を含む。
【手続補正６４】
【補正対象書類名】明細書
【補正対象項目名】０４４６
【補正方法】変更
【補正の内容】
【０４４６】
処理部12は、チャネル帯域幅の複数のリソースブロックの各々に対応する周波数領域測定識別子を取得するようにさらに構成され、周波数領域測定識別子は、第1の測定識別子と第2の測定識別子とを含む。処理部12は、チャネル帯域幅内の周波数領域測定識別子が第1の測定識別子であるリソースブロック上の基準信号を測定するようにさらに構成される。
【手続補正６５】
【補正対象書類名】明細書
【補正対象項目名】０４４８
【補正方法】変更
【補正の内容】
【０４４８】
任意選択の実施形態では、処理部12は、無線リソース制御RRCまたは物理層シグナリングを使用することによって、第1の周波数領域指示情報を含み、かつ第2のネットワークデバイスによって送信されるCSI構成情報を取得するように更に構成される。
【手続補正６６】
【補正対象書類名】明細書
【補正対象項目名】０４５２
【補正方法】変更
【補正の内容】
【０４５２】
任意選択の実施形態では、処理部12はプロセッサ510であってもよく、受信部11は受信機530であってもよく、送信部13は送信機520であってもよい。受信機530または送信機520は、トランシーバと置き換えることができる。さらに、第1のネットワークデバイスはメモリ540を含むことができる。メモリ540は、ネットワークデバイスのプログラムコードおよびデータを格納するように構成されている。具体的には、図21に示すように、ネットワークデバイスは、プロセッサ510、送信機520、受信機530、およびメモリ540を含む。
【手続補正６７】
【補正対象書類名】明細書
【補正対象項目名】０４５３
【補正方法】変更
【補正の内容】
【０４５３】
前述の実施形態の一実施態様では、本願の一実施形態はさらに第2のネットワークデバイスを提供する。図18に示すように、第2のネットワークデバイスは、第1の周波数領域指示情報を含むCSI構成情報を送信するように構成された送信部21を含み、CSI構成情報は第1の周波数領域指示情報を含み、CSI構成情報は、第1のネットワークデバイスにCSI測定を実行するように指示するために使用され、第1の周波数領域指示情報は、第1のネットワークデバイスがCSI測定を実行する周波数領域位置を示すために使用され、その結果、第1のネットワークデバイスは、受信したCSI構成情報に基づいて基準信号を測定する。
【手続補正６８】
【補正対象書類名】明細書
【補正対象項目名】０４６２
【補正方法】変更
【補正の内容】
【０４６２】
任意選択の実施形態では、処理部22はプロセッサ510であってもよく、送信部21は送信機520であってもよい。受信機530または送信機520は、トランシーバと置き換えることができる。さらに、第2のネットワークデバイスはメモリ540を含むことができる。メモリ540は、ネットワークデバイスのプログラムコードおよびデータを格納するように構成されている。具体的には、図21に示すように、ネットワークデバイスは、プロセッサ510、送信機520、受信機530、およびメモリ540を含む。
【手続補正６９】
【補正対象書類名】明細書
【補正対象項目名】０４６３
【補正方法】変更
【補正の内容】
【０４６３】
前述の実施形態の一実施態様では、本願の一実施形態はさらに第1のネットワークデバイスを提供する。図19に示すように、第1のネットワークデバイスは、第2の周波数領域指示情報を含み、かつ第2のネットワークデバイスによって送信されるレート構成情報を取得するように構成された受信部31であって、レート構成情報は、第2の周波数領域指示情報を含み、レート構成情報は、第1のネットワークデバイスにレートマッチングを実行するように指示するために使用され、第2の周波数領域指示情報は、第1のネットワークデバイスがレートマッチングを実行する周波数領域位置を指示するために使用される、受信部31と、レート構成情報に基づいて、第2の周波数領域指示情報に対応する周波数領域位置における基準信号のリソース位置を決定するように構成された処理部32であって、処理部32がリソース位置に基づいて受信データに対してレートマッチングを実行するように構成されたものと、を含む。
【手続補正７０】
【補正対象書類名】明細書
【補正対象項目名】０４６９
【補正方法】変更
【補正の内容】
【０４６９】
任意選択の実施形態では、処理部32はプロセッサ510であってもよく、受信部31は受信機530であってもよい。受信機530または送信機520は、トランシーバと置き換えることができる。さらに、第1のネットワークデバイスはメモリ540を含むことができる。メモリ540は、ネットワークデバイスのプログラムコードおよびデータを格納するように構成されている。具体的には、図21に示すように、ネットワークデバイスは、プロセッサ510、送信機520、受信機530、およびメモリ540を含む。
【手続補正７１】
【補正対象書類名】明細書
【補正対象項目名】０４７０
【補正方法】変更
【補正の内容】
【０４７０】
前述の実施形態の一実施態様では、本願の一実施形態はさらに第2のネットワークデバイスを提供する。図20に示すように、第2のネットワークデバイスは、レート構成情報を決定するように構成された処理部41であって、レート構成情報は第2の周波数領域指示情報を含み、レート構成情報は、第1のネットワークデバイスにレートマッチングを実行するように指示するために使用され、第2の周波数領域指示情報は、第1のネットワークデバイスがレートマッチングを実行する周波数領域位置を指示するために使用される、処理部41と、第2の周波数領域指示情報を含むレート構成情報を送信するように構成された送信部42と、を含み、その結果、第1のネットワークデバイスは、受信したレート構成情報に基づいてレートマッチングを実行する。
【手続補正７２】
【補正対象書類名】明細書
【補正対象項目名】０４７５
【補正方法】変更
【補正の内容】
【０４７５】
任意選択の実施形態では、処理部41はプロセッサ510であってもよく、送信部42は送信機520であってもよい。受信機530または送信機520は、トランシーバと置き換えることができる。さらに、第2のネットワークデバイスはメモリ540を含むことができる。メモリ540は、ネットワークデバイスのプログラムコードおよびデータを格納するように構成されている。具体的には、図21に示すように、ネットワークデバイスは、プロセッサ510、送信機520、受信機530、およびメモリ540を含む。
【手続補正７３】
【補正対象書類名】図面
【補正対象項目名】図３
【補正方法】変更
【補正の内容】
【図３】
2019530370.tif 000108
【手続補正７４】
【補正対象書類名】図面
【補正対象項目名】図４
【補正方法】変更
【補正の内容】
【図４】
2019530370.tif 000109
【手続補正７５】
【補正対象書類名】図面
【補正対象項目名】図５
【補正方法】変更
【補正の内容】
【図５】
2019530370.tif 000110
【手続補正７６】
【補正対象書類名】図面
【補正対象項目名】図６
【補正方法】変更
【補正の内容】
【図６】
2019530370.tif 000111
【手続補正７７】
【補正対象書類名】図面
【補正対象項目名】図１２
【補正方法】変更
【補正の内容】
【図１２】
2019530370.tif 000112
【国際調査報告】
2019530370.tif 000113
2019530370.tif 000114
2019530370.tif 000115
2019530370.tif 000116
2019530370.tif 000117